(57)【要約】【課題】  ユーザがディスクの再生音の出力系統を調整することなく、当該再生音をスピーカシステムから確実に出力可能な音響システムを提供する。【解決手段】  プレーヤ２Ａ，２Ｂは、ＣＤ，ＳＡＣＤ等の読取データをＩＥ3１３９４、アナログ及びデジタルの各信号形式で出力可能になっている。ＡＶアンプ３は、ＩＥ3１３９４、アナログ及びデジタルの各信号形式で入力される複数の音声信号を選択してスピーカシステム４Ａに出力する第１の出力系統とアナログ及びデジタルの各信号形式で入力される複数の音声信号を選択してスピーカシステム４Ｂに出力する第２の出力系統を有している。第１の出力系統の入力にプレーヤ２Ａが選択されると、ＡＶアンプ３からプレーヤ２Ａに出力の信号形式をＩＥ3１３９４とするコマンドを送信し、プレーヤ２Ａの出力の信号形式を第１の出力系統で再生処理可能な形式に自動設定するようにした。【選択図】      図１
2006120195.tif 000002
【特許請求の範囲】
【請求項１】
ディスクに記録された音声データを読み取るディスク読取部と、
前記音声データを第１の信号形式で出力する第１の信号出力手段と、
前記音声データを前記第１の信号形式とは異なる第２の信号形式で出力する第２の信号出力手段と、
前記ディスク読取部で読み取られた音声データを前記第１，第２の信号形式のいずれかの形式で出力させる出力選択手段と、
前記出力選択手段の選択動作を制御する出力選択制御手段と、
を備えたディスク再生装置と、
前記第１の信号形式の音声データが入力される第１の信号入力手段と、
前記第２の信号形式の音声データが入力される第２の信号入力手段と、
前記第１の信号形式又は前記第２の信号形式の音声データを再生し、発音手段に出力する音声出力処理手段と、
前記第１，第２の信号入力手段から入力される複数の音声データから１の音声データを選択して前記音声出力処理手段に入力する入力選択手段と、
前記入力選択手段の選択動作を制御する入力選択制御手段と、
を備えた音声出力制御装置と、
からなる音響システムであって、
前記ディスク再生装置は、
前記第１の信号出力手段と前記第１の信号入力手段との間でデータの送受信が可能になっているか否かを判別する判別手段を更に備え、
前記出力選択制御手段は、前記第１の信号出力手段と前記第１の信号入力手段との間で音声データの送受信が可能になっているときは、前記ディスク読取部で読み取られた音声データを前記第１の信号形式で出力させ、前記第１の信号出力手段と前記第１の信号入力手段との間でデータの送受信が可能になっていないときは、前記ディスク読取部で読み取られた音声データを前記第２の信号形式で出力させるように、前記出力選択手段の選択動作を制御することを特徴とする、音響システム。
【請求項２】
前記第１の信号形式は、ＩＥＥＥ１３４９に準拠した信号形式であり、前記第２の信号形式はアナログオーディオ信号であることを特徴とする、請求項１に記載の音響システム。
【請求項３】
ディスクに記録された音声データを読み取るディスク読取部と、
前記音声データを第１の信号形式で出力する第１の信号出力手段と、
前記音声データを前記第１の信号形式とは異なる第２の信号形式で出力する第２の信号出力手段と、
前記ディスク読取部で読み取られた音声データを前記第１，第２の信号形式のいずれかの形式で出力させる出力選択手段と、
前記第１の信号出力手段と、音声出力制御装置の前記第１の信号形式の音声データが入力される第１の信号入力手段との間で、データの送受信が可能になっているか否かを判別する判別手段と、
前記第１の信号出力手段と前記第１の信号入力手段との間でデータの送受信が可能になっているときは、前記ディスク読取部で読み取られた音声データを前記第１の信号形式で出力させ、前記第１の信号出力手段と前記第１の信号入力手段との間でデータの送受信が可能になっていないときは、前記ディスク読取部で読み取られた音声データを前記第２の信号形式で出力させるように、前記出力選択手段の選択動作を制御する出力選択制御手段と、
を備えたことを特徴とする、ディスク再生装置。
【請求項４】
ディスクに記録された音声データを読み取るディスク読取部と、
前記音声データを第１の信号形式で出力する第１の信号出力手段と、
前記音声データを前記第１の信号形式とは異なる第２の信号形式で出力する第２の信号出力手段と、
前記ディスク読取部で読み取られた音声データを前記第１，第２の信号形式のいずれかの形式で出力させる出力選択手段と、
前記出力選択手段の選択動作を制御する出力選択制御手段と、
を備えた複数のディスク再生装置と、
前記第１の信号出力手段から出力される音声データが入力される第１の信号入力手段と、
前記第２の信号出力手段から出力される音声データが入力される第２の信号入力手段と、
前記第１の信号形式又は前記第２の信号形式の音声データを再生し、第１の発音手段に出力する第１の音声出力処理手段と、
前記第２の信号形式の音声データを再生し、第２の発音手段に出力する第２の音声出力処理手段と、
前記第１，第２の信号入力手段から入力される複数の音声データから１の音声データを選択して前記第１の音声出力処理手段に入力する第１の入力選択手段と、
前記第２の信号入力手段から入力される複数の音声データから１の音声データを選択して前記第２の音声出力処理手段に入力する第２の入力選択手段と、
前記第１，第２の入力選択手段の選択動作を制御する入力選択制御手段と、
を備えた音声出力制御装置と、
からなる音響システムであって、
前記音声出力制御装置は、
前記第１の入力選択手段により前記第１の信号入力手段から入力される音声データのうち、前記ディスク再生装置の第１の信号出力手段から出力される音声データが選択されているか否かを判別する判別手段と、
前記判別手段により前記ディスク再生装置の第１の信号出力手段から出力される音声データが選択されていると判別されると、前記ディスク読取部で読み取られた音声データを前記第１の信号形式で出力させるコマンドを前記ディスク再生装置の出力選択制御手段に送信し、前記判別手段により前記ディスク再生装置の第１の信号出力手段から出力される音声データが選択されていないと判別されると、前記ディスク読取部で読み取られた音声データを前記第２の信号形式で出力させるコマンドを前記ディスク再生装置の出力選択制御手段に送信するコマンド送信手段と、
を備え、
前記ディスク再生装置の出力選択制御手段は、前記コマンド送信手段から送信されたコマンドに従って前記出力選択手段の選択動作を制御することを特徴とする、音響システム。
【請求項５】
前記音声出力制御装置は、
前記第２の入力選択手段に前記ディスク再生装置から出力される音声データが前記第１の信号形式であるか否かを判別する第２の判別手段と、
前記第２の判別手段により前記ディスク再生装置から出力される音声データが前記第１の信号形式であると判別されと、前記ディスク読取部で読み取られた音声データを前記第２の信号形式で出力させるコマンドを前記ディスク再生装置の出力選択制御手段に送信する第２のコマンド送信手段と、
を更に備え、
前記ディスク再生装置の出力選択制御手段は、更に前記第２のコマンド送信手段から送信されたコマンドに従って前記出力選択手段の選択動作を制御することを特徴とする、請求項４に記載の音響システム。
【請求項６】
前記第１の信号形式は、ＩＥＥＥ１３４９に準拠した信号形式であり、前記第２の信号形式はアナログオーディオ信号であることを特徴とする、請求項４又は５に記載の音響システム。
【請求項７】
請求項４〜６のいずれかに記載の音響システムに適用されるディスク再生装置であって、
ディスクに記録された音声データを読み取るディスク読取部と、
前記音声データを第１の信号形式で出力する第１の信号出力手段と、
前記音声データを前記第１の信号形式とは異なる第２の信号形式で出力する第２の信号出力手段と、
前記ディスク読取部で読み取られた音声データを前記第１，第２の信号形式のいずれかの形式で出力させる出力選択手段と、
音声出力制御装置のコマンド送信手段から送信されたコマンドに従って前記出力選択手段の選択動作を制御する出力選択制御手段と、
を備えたことを特徴とする、ディスク再生装置。
【請求項８】
請求項５に記載の音響システムに適用されるディスク再生装置であって、
ディスクに記録された音声データを読み取るディスク読取部と、
前記音声データを第１の信号形式で出力する第１の信号出力手段と、
前記音声データを前記第１の信号形式とは異なる第２の信号形式で出力する第２の信号出力手段と、
前記ディスク読取部で読み取られた音声データを前記第１，第２の信号形式のいずれかの形式で出力させる出力選択手段と、
前記音声出力制御装置のコマンド送信手段及び第２のコマンド送信手段から送信されたコマンドに従って前記出力選択手段の選択動作を制御する出力選択制御手段と、
を備えたことを特徴とする、ディスク再生装置。
【請求項９】
ディスク再生装置の第１の信号出力手段から出力される第１の信号形式の音声データが入力される第１の信号入力手段と、
前記ディスク再生装置の第２の信号出力手段から出力される第２の信号形式の音声データが入力される第２の信号入力手段と、
前記第１の信号形式又は前記第２の信号形式の音声データを再生し、第１の発音手段に出力する第１の音声出力処理手段と、
前記第２の信号形式の音声データを再生し、第２の発音手段に出力する第２の音声出力処理手段と、
前記第１，第２の信号入力手段から入力される複数の音声データから１の音声データを選択して前記第１の音声出力処理手段に入力する第１の入力選択手段と、
前記第２の信号入力手段から入力される複数の音声データから１の音声データを選択して前記第２の音声出力処理手段に入力する第２の入力選択手段と、
前記第１，第２の入力選択手段の選択動作を制御する入力選択制御手段と、
前記第１の入力選択手段により前記第１の信号入力手段から入力される音声データのうち、前記ディスク再生装置の第１の信号出力手段から出力される音声データが選択されているか否かを判別する判別手段と、
前記判別手段により前記ディスク再生装置の第１の信号出力手段から出力される音声データが選択されていると判別されると、前記ディスク読取部で読み取られた音声データを前記第１の信号形式で出力させるコマンドを前記ディスク再生装置に送信し、前記判別手段により前記ディスク再生装置の第１の信号出力手段から出力される音声データが選択されていないと判別されると、前記ディスク読取部で読み取られた音声データを前記第２の信号形式で出力させるコマンドを前記ディスク再生装置に送信するコマンド送信手段と、
を備えたことを特徴とする、音声出力制御装置。
【請求項１０】
前記第２の入力選択手段に前記ディスク再生装置から出力される音声データが前記第１の信号形式であるか否かを判別する第２の判別手段と、
前記第２の判別手段により前記ディスク再生装置から出力される音声データが前記第１の信号形式であると判別されると、前記ディスク読取部で読み取られた音声データを前記第２の信号形式で出力させるコマンドを前記ディスク再生装置に送信する第２のコマンド送信手段と、
を更に備えたことを特徴とする、請求項９に記載の音声出力制御装置。
【発明の詳細な説明】
【技術分野】
【０００１】
本発明は、ＩＥＥＥ１３９４インターフェース（以下、ＩＥ3１３９４Ｉ／Ｆという。）により相互にオーディオ信号の送受が可能なＤＶＤなどのディスク再生装置とこのプレーヤから入力されたオーディオ信号を増幅してスピーカに出力するＡＶ（Audio Video）アンプとからなる音響システムに関する。
【背景技術】
【０００２】
従来、システムの構成要素であるＡＶアンプとディスク再生装置との間をＩＥＥＥ１３９４Ｉ／Ｆにより接続した構成の音響システムや、ＡＶアンプに異なる部屋に配置された２以上のスピーカシステムを接続し、各部屋でそれぞれ音楽を楽しむことのできる音響システムは、例えば特開平１１−３５５３２６号公報や特開２００３−２５９４６７号公報に示されるように、周知である。
【０００３】
また、従来、音響システムの音源側のコンポーネントであるプレーヤには、ＤＶＤ（Digital Versatile Disc）、ＣＤ（Compact Disc）、ＳＡＣＤ（Super Audio CD）などの複数種類のディスクに記録されたデータ（デジタルオーディオデータ）の読取りが可能になされ、その読取データを直接デジタル出力端子から出力するデジタル出力経路と、その読取データをアナログ信号に変換してアナログ出力端子から出力するアナログ出力経路と、その読取データをＩＥ3１３９４規格に準拠した伝送データ（以下、ＩＥ3１３９４伝送データという。）に変換してＩＥ3１３９４Ｉ／Ｆから出力するＩＥ3１３９４出力経路を備えたものが知られている。
【０００４】
このようなプレーヤは、具体的には、ディスクの記録データを読み取る機能を果すディスク読取部と、読取データをアナログ信号に変換する処理を行うＤＳＰ（Digital Signal Processor）と、ＳＡＣＤから読み取られたＤＳＤ（Direct Stream Digital）方式のオーディオデータの再生処理を行うＤＳ  Ｄデコーダと、読取データ（ＳＡＣＤの場合は、ＤＳＤデコーダでデコードされたデータ）をＩＥ3１３９４Ｉ／Ｆにより出力するか否かを選択設定するＩＥ3１３９４セレクタを備えている。
【０００５】
そして、デジタル出力経路ではディスクの読取データが直接デジタル出力端子から出力され、アナログ出力経路では、ディスクがＳＡＣＤでない場合は読取データがＤＳＰを介して、また、ディスクがＳＡＣＤの場合はＩＥ3１３９４セレクタがＩＥ3１３９４Ｉ／Ｆにより出力しない設定がされているときにＤＳＤデコーダ及びＩＥ3１３９４セレクタを介して、それぞれアナログ出力端子から出力され、ＩＥ3１３９４出力経路ではＩＥ3１３９４セレクタが読取データをＩＥ3１３９４Ｉ／Ｆにより出力する設定がされているときに、ディスクの読取データがＤＳＤデコーダ及びＩＥ3１３９４セレクタを介してＩＥ3１３９４Ｉ／Ｆから出力されるように構成されている。
【０００６】
また、ＩＥ3１３９４セレクタの設定はユーザによる操作部の操作により切換可能になされ、「ＩＥ3１３９４  ＯＮ」に設定されると、ディスクの読取データはＩＥ3１３９４Ｉ／Ｆから出力される状態となり、「ＩＥ3１３９４  ＯＦＦ」に設定されると、ディスクの読取データはＩＥ3１３９４Ｉ／Ｆから出力されない状態となる。
【０００７】
プレーヤにおけるＩＥ3１３９４の設定状態と各出力端子から出力される信号に基づく再生可否との関係を示すと、下記表１のようになり、プレーヤに装着されたディスクがＳＡＣＤの場合は、ＩＥ3１３９４セレクタが「ＩＥ3１３９４  ＯＮ」に設定されていると、後段に接続されるＡＶアンプではＩＥ3１３９４Ｉ／Ｆによってデジタルオーディオデータを受信しなければ音声出力はできず、ＩＥ3１３９４セレクタが「ＩＥ3１３９４ＯＦＦ」に設定されていると、ＡＶアンプではアナログ入力端子からアナログ信号が入力されなければ、音声出力はできない。
【０００８】
【表１】
2006120195.tif 000003
【０００９】
音響システムの音声出力側のコンポーネントであるスピーカには、サラウンドシステムに対応した周波数帯域の異なる複数個のスピーカ（一般的な５．1チャンネルサラウンドシステムでは６個）からなるスピーカシステムが知られている。
【００１０】
また、プレーヤとスピーカとの間に介在されるコンポーネントのＡＶアンプには、上記した種類のプレーヤと上記したスピーカシステムとをそれぞれ複数個、接続可能になされたものが知られている。具体的には、複数個のデジタル入力端子と、複数個のアナログ入力端子と、ＩＥ3１３９４Ｉ／Ｆからなる入力端子群と、複数組のマルチチャンネル用スピーカ出力端子からなる出力端子群と、入力端子群の各入力端子と出力端子群の各マルチチャンネル用スピーカ出力端子との信号経路を切換設定するとともに、デジタルオーディオデータのアナログオーディオ信号への変換や信号レベルの増幅などの所定の信号処理を行うオーディオ信号処理部とを備えたＡＶアンプが知られている。
【００１１】
例えば、２組のマルチチャンネルに対応したスピーカ出力端子を備えるとともに、一方のスピーカ出力端子にはデジタル入力端子、アナログ入力端子及びＩＥ3１３９４Ｉ／Ｆから入力されるデジタルオーディオデータ及びアナログオーディオ信号を選択的に切り換えて出力することができる第１のオーディオ信号処理部（以下、この第１のオーディオ信号処理部を通る信号の出力系統を第１スピーカ出力系統という。）を備え、他方のスピーカ出力端子にはデジタル入力端子及びアナログ入力端子から入力されるデジタルオーディオデータ及びアナログオーディオ信号を選択的に切り換えて出力することができる第２のオーディオ信号処理部（以下、この第２のオーディオ信号処理部を通る信号の出力系統を第２スピーカ出力系統という。）を備えたＡＶアンプが知られている。
【００１２】
この種のＡＶアンプもプレーヤと同様のＩＥ3１３９４セレクタを備え、更に第１のオーディオ信号処理部にはデジタル入力端子、アナログ入力端子及びＩＥ3１３９４Ｉ／Ｆのいずれかから入力されるデジタルオーディオデータ又はアナログオーディオ信号を選択するための第１入力セレクタが設けられ、第２のオーディオ信号処理部にはデジタル入力端子及びアナログ入力端子のいずれかから入力されるデジタルオーディオデータ又はアナログオーディオ信号を選択するための第２入力セレクタが設けられ、これらの入力セレクタの設定はユーザによる操作部の操作により切換可能になされている。
【００１３】
このようなＡＶアンプでは、音源として、上述した種類のプレーヤが例えば２台接続されていると、第１，第２入力セレクタの設定によって、一方のプレーヤからのオーディオ出力を第１，第２スピーカ出力経路を通して、互いに異なる部屋に設置された２組のスピーカシステムに同時に出力したり、一方のプレーヤからのオーディオ出力を第１スピーカ出力経路を通して一方のスピーカシステムに出力し、他方のプレーヤからのオーディオ出力を第２スピーカ出力経路を通して他方のスピーカシステムに出力したりすることができる。
【００１４】
【特許文献１】特開平１１−３５５３２６号公報
【特許文献２】特開２００３−２５９４６７号公報
【非特許文献１】ＡＶレシーバーＴＸ−ＤＳ９８９カタログ（ＵＳ向け、オンキョー株式会社、カタログＮＯ．２ＫＣ０５  ２０ページ）
【発明の開示】
【発明が解決しようとする課題】
【００１５】
ところで、上記した２台のプレーヤと１台のＡＶアンプと２組のスピーカシステムからなる音響システムでは、第１スピーカ出力系統にはＩＥ3１３９４Ｉ／Ｆから入力されたデジタルオーディオデータは入力されるが、第２スピーカ出力系統にはＩＥ3１３９４Ｉ／Ｆから入力されたデジタルオーディオデータは入力されない構成であるので、下記表２に示すように、第２スピーカ出力系統では当該オーディオデジタルデータを再生できないので、例えば２組のスピーカシステムから別々に異なるプレーヤの再生音を出力する場合、第２スピーカ出力系統に対して音源となるプレーヤのＩＥ3１３９４セレクタが「ＩＥ3１３９４  ＯＮ」に設定され、かつ、セットされたディスクがＳＡＣＤであると、このＳＡＣＤの再生音を第２スピーカ出力系統を通してスピーカシステムから出力させることはできない、という不都合が生じる。
【００１６】
【表２】
2006120195.tif 000004
【００１７】
また、２組のスピーカシステムから同時に同一のプレーヤの再生音を出力する場合であっても、第１，第２スピーカ出力系統に対して音源となるプレーヤのＩＥ3１３９４セレクタが「ＩＥ3１３９４  ＯＮ」に設定され、かつ、セットされたディスクがＳＡＣＤであれば、当然に第２スピーカ出力系統に接続されるスピーカシステムからは再生音を出力させることはできない。
【００１８】
図４は、上記問題をより一般化して説明するための音響システムの基本構成を示すブロック図である。
【００１９】
図４に示す構成では、２台のプレーヤ５００Ａ，５００Ｂは、それぞれ３種類の信号形式でオーディオ信号を同時に出力することができるようになっている。但し、ＳＡＣＤのような特定のディスクに対してはセレクタ５０１により信号形式Ａ又はＢのいずれかしか選択的に出力できないようになっている。一方、ＡＶアンプ６００は、第１音声出力処理部６０１に対しては、第１入力セレクタ６０２により２台のプレーヤ５００Ａ，５００Ｂからそれぞれ入力される３種類の信号形式Ａ，Ｂ，Ｃのオーディオ信号の中から１のオーディオ信号を選択して第１スピーカシステム７０１から再生することができ、第２音声出力処理部６０３に対しては、第２入力セレクタ６０４により２台のプレーヤ２００Ａ，２００Ｂからそれぞれ入力される２種類の信号形式Ｂ，Ｃのオーディオ信号の中から１のオーディオ信号を選択して第２スピーカシステム７０２から再生することができるようになっている。
【００２０】
ＡＶアンプ６００の第１音声出力処理部６０１は第１スピーカシステム７０１にだけ接続され、第２音声出力処理部６０３は第２スピーカシステム７０２にだけ接続されているから、第１入力セレクタ６０２は第１スピーカシステム７０１に対する音源を選択し、第２入力セレクタ６０４は第２スピーカシステム７０１に対する音源を選択するものとなっている。
【００２１】
第１入力セレクタ６０２に対しては、プレーヤ５００Ａの出力端子５０２，５０３，５０４からそれぞれ出力されるオーディオ信号Ａ１，Ｂ１，Ｃ１とプレーヤ５００Ｂの出力端子５０２，５０３，５０４からそれぞれ出力されるオーディオ信号Ａ２，Ｂ２，Ｃ２の６種類のオーディオ信号が入力され、第２入力セレクタ６０４に対しては、プレーヤ５００Ａの出力端子５０３，５０４からそれぞれ出力されるオーディオ信号Ｂ１，Ｃ１とプレーヤ５００Ｂの出力端子５０３，５０４からそれぞれ出力されるオーディオ信号Ｂ２，Ｃ２の４種類のオーディオ信号が入力されているので、プレーヤ５００Ａ，５００Ｂに装着されたディスクが特定のディスクでなければ、第１スピーカシステム７０１に対する音源としてプレーヤ５００Ａが選択されたとしても、第２スピーカシステム７０２に対する音源としてプレーヤ５００Ｂを選択することができ、その逆の場合も同様に第１，第２スピーカシステム７０１，７０２に対してそれぞれプレーヤ５００Ａ，５００Ｂを選択することができる。
【００２２】
しかしながら、プレーヤ５００Ａ，５００Ｂのいずれか一方若しくは両方に装着されたディスクが特定のディスクの場合は、上記のように第１，第２スピーカシステム７０１，７０２に対してそれぞれプレーヤ５００Ａ，５００Ｂを選択できない場合が生じる。
【００２３】
例えばプレーヤ５００Ａのみに特定のディスクが装着されている場合、図５に示すように、プレーヤ５００Ａのセレクタ５０１が信号形式Ｂの出力に設定されている状態でＡＶアンプ６００の第１入力セレクタ６０２でオーディオ信号Ａ１が選択されると、第１スピーカシステム７０１からはプレーヤ５００Ａを再生することはできない。
【００２４】
また、プレーヤ５００Ａ，５００Ｂの両方に特定のディスクが装着されている場合、図６に示すように、プレーヤ５００Ａ，５００Ｂのセレクタ５０１がいずれも信号形式Ａの出力に設定され、ＡＶアンプ６００の第１入力セレクタ６０２でオーディオ信号Ａ１が選択され、第２入力セレクタ６０３でオーディオ信号Ｂ２が選択されると、第１スピーカシステム７０１からはプレーヤ５００Ａを再生できるが、第２スピーカシステム７０２からはプレーヤ５００Ｂを再生することはできない。
【００２５】
ＡＶアンプ６００での第１入力セレクタ６０２及び第２入力セレクタ６０４の設定は、ユーザが第１スピーカシステム７０１及び第２スピーカシステム７０２からそれぞれいずれの音源を再生するかを設定するものであるから、第１入力セレクタ６０２及び第２入力セレクタ６０４の設定に対して各セレクタへの入力には、ユーザの希望とする種類のオーディオ信号が入力されることが望ましいが、図５及び図６のケースでは、ユーザの希望とする種類のオーディオ信号が入力されないので、ユーザは、プレーヤ５００Ａ，５００Ｂのセレクタ５０１の設定状態を希望とする信号形式に変更せざるを得ない。
【００２６】
すなわち、ユーザは、図５のケースでは、プレーヤ５００Ａからオーディオ信号Ａ１が出力されるようにセレクタ５０１の設定を変更しなければならず、図６のケースでは、プレーヤ５００Ｂからオーディオ信号Ｂ２が出力されるようにセレクタ５０１の設定を変更しなければならない。
【００２７】
上記のように、ＡＶアンプを用いた音響システムでは、ユーザは、プレーヤ５００Ａ，５００Ｂにディスクをセットする毎にプレーヤ５００Ａ，５００Ｂのオーディオ信号の出力形式がＡＶアンプ６００の各プレーヤに対応する第１音声出力処理部６０１又は第２音声出力処理部６０３の要求するオーディオ信号の入力形式と合致するように、プレーヤ５００Ａ，５００Ｂのオーディオ信号の出力形式を調整するための操作をしなければならず、その操作が煩わしいものとなっていた。
【００２８】
なお、ＡＶアンプ６００の第１音声出力処理部６０１と第２音声出力処理部６０３を同一の構成とし、第１，第２音声出力処理部６０１，６０３に対してそれぞれプレーヤ５００Ａ，５００Ｂから出力される合計６種類のオーディオ信号を選択可能にＡＶアンプ６００を構成すれば、上記の問題が生じることはないが、一般に、第１音声出力処理部６０１及び第１入力セレクタ６０２をメインスピーカ出力系統とし、第２音声出力処理部６０３及び第２入力セレクタ６０４をサブスピーカ出力系統とするように、用途に応じてスピーカ出力系統に主従の関係を設けてＡＶアンプ６００の構成の簡素化及び低コスト化を図りながら、高機能化を図ることが多く、このような場合には上記の問題を避けることはできない。
【００２９】
本発明は、上記した課題に鑑みてなされたものであり、プレーヤにセットされたディスクの種類に応じてユーザがそのディスクの出力系統を調整することなく、当該ディスクの再生音をスピーカシステムから確実に出力させることのできる音響システム、この音響システムに適用されるディスク再生装置及び音声出力制御装置を提供することを目的とする。
【課題を解決するための手段】
【００３０】
請求項１に記載の発明は、ディスクに記録された音声データを読み取るディスク読取部と、前記音声データを第１の信号形式で出力する第１の信号出力手段と、前記音声データを前記第１の信号形式とは異なる第２の信号形式で出力する第２の信号出力手段と、前記ディスク読取部で読み取られた音声データを前記第１，第２の信号形式のいずれかの形式で出力させる出力選択手段と、前記出力選択手段の選択動作を制御する出力選択制御手段と、を備えたディスク再生装置と、前記第１の信号形式の音声データが入力される第１の信号入力手段と、前記第２の信号形式の音声データが入力される第２の信号入力手段と、前記第１の信号形式又は前記第２の信号形式の音声データを再生し、発音手段に出力する音声出力処理手段と、前記第１，第２の信号入力手段から入力される複数の音声データから１の音声データを選択して前記音声出力処理手段に入力する入力選択手段と、前記入力選択手段の選択動作を制御する入力選択制御手段と、を備えた音声出力制御装置と、からなる音響システムであって、前記ディスク再生装置は、前記第１の信号出力手段と前記第１の信号入力手段との間でデータの送受信が可能になっているか否かを判別する判別手段を更に備え、前記出力選択制御手段は、前記第１の信号出力手段と前記第１の信号入力手段との間で音声データの送受信が可能になっているときは、前記ディスク読取部で読み取られた音声データを前記第１の信号形式で出力させ、前記第１の信号出力手段と前記第１の信号入力手段との間でデータの送受信が可能になっていないときは、前記ディスク読取部で読み取られた音声データを前記第２の信号形式で出力させるように、前記出力選択手段の選択動作を制御することを特徴とする。
【００３１】
なお、請求項１に記載の発明において、前記第１の信号形式は、ＩＥＥＥ１３４９に準拠した信号形式であり、前記第２の信号形式はアナログオーディオ信号にするとよい（請求項２）。
【００３２】
請求項３に記載の発明は、ディスクに記録された音声データを読み取るディスク読取部と、前記音声データを第１の信号形式で出力する第１の信号出力手段と、前記音声データを前記第１の信号形式とは異なる第２の信号形式で出力する第２の信号出力手段と、前記ディスク読取部で読み取られた音声データを前記第１，第２の信号形式のいずれかの形式で出力させる出力選択手段と、前記第１の信号出力手段と、音声出力制御装置の前記第１の信号形式の音声データが入力される第１の信号入力手段との間で、データの送受信が可能になっているか否かを判別する判別手段と、前記第１の信号出力手段と前記第１の信号入力手段との間でデータの送受信が可能になっているときは、前記ディスク読取部で読み取られた音声データを前記第１の信号形式で出力させ、前記第１の信号出力手段と前記第１の信号入力手段との間でデータの送受信が可能になっていないときは、前記ディスク読取部で読み取られた音声データを前記第２の信号形式で出力させるように、前記出力選択手段の選択動作を制御する出力選択制御手段とを備えたことを特徴とする、ディスク再生装置である。
【００３３】
請求項４に記載の発明は、ディスクに記録された音声データを読み取るディスク読取部と、前記音声データを第１の信号形式で出力する第１の信号出力手段と、前記音声データを前記第１の信号形式とは異なる第２の信号形式で出力する第２の信号出力手段と、前記ディスク読取部で読み取られた音声データを前記第１，第２の信号形式のいずれかの形式で出力させる出力選択手段と、前記出力選択手段の選択動作を制御する出力選択制御手段とを備えた複数のディスク再生装置と、前記第１の信号出力手段から出力される音声データを含む、複数の前記第１の信号形式の音声データが入力される第１の信号入力手段と、前記第２の信号出力手段から出力される音声データを含む、複数の前記第２の信号形式の音声データが入力される第２の信号入力手段と、前記第１の信号形式又は前記第２の信号形式の音声データを再生し、第１の発音手段に出力する第１の音声出力処理手段と、前記第２の信号形式の音声データを再生し、第２の発音手段に出力する第２の音声出力処理手段と、前記第１，第２の信号入力手段から入力される複数の音声データから１の音声データを選択して前記第１の音声出力処理手段に入力する第１の入力選択手段と、前記第２の信号入力手段から入力される複数の音声データから１の音声データを選択して前記第２の音声出力処理手段に入力する第２の入力選択手段と、前記第１，第２の入力選択手段の選択動作を制御する入力選択制御手段とを備えた音声出力制御装置と、からなる音響システムであって、前記音声出力制御装置は、前記第１の入力選択手段により前記第１の信号入力手段から入力される音声データのうち、前記ディスク再生装置の第１の信号出力手段から出力される音声データが選択されているか否かを判別する判別手段と、前記判別手段により前記ディスク再生装置の第１の信号出力手段から出力される音声データが選択されていると判別されると、前記ディスク読取部で読み取られた音声データを前記第１の信号形式で出力させるコマンドを前記ディスク再生装置の出力選択制御手段に送信し、前記判別手段により前記ディスク再生装置の第１の信号出力手段から出力される音声データが選択されていないと判別されると、前記ディスク読取部で読み取られた音声データを前記第２の信号形式で出力させるコマンドを前記ディスク再生装置の出力選択制御手段に送信するコマンド送信手段とを備え、前記ディスク再生装置の前記出力選択制御手段は、前記コマンド送信手段から送信されたコマンドに従って前記出力選択手段の選択動作を制御することを特徴とする。
【００３４】
なお、請求項４に記載の発明において、前記音声出力制御装置は、前記第２の入力選択手段により前記第２の信号入力手段から入力される音声データのうち、前記ディスク再生装置から出力される音声データが選択されているか否かを判別する第２の判別手段と、前記第２の判別手段により前記ディスク再生装置から出力される音声データが選択されていると判別されると、前記ディスク読取部で読み取られた音声データを前記第２の信号形式で出力させるコマンドを前記ディスク再生装置の出力選択制御手段に送信する第２のコマンド送信手段とを更に備え、前記ディスク再生装置の前記出力選択制御手段は、更に前記第２のコマンド送信手段から送信されたコマンドに従って前記出力選択手段の選択動作を制御するとよい（請求項５）。
【００３５】
また、請求項４又は５に記載の発明において、前記第１の信号形式は、ＩＥＥＥ１３４９に準拠した信号形式であり、前記第２の信号形式はアナログオーディオ信号にするとよい（請求項６）。
【００３６】
請求項７に記載の発明は、請求項４〜６のいずれかに記載の音響システムに適用されるディスク再生装置であって、ディスクに記録された音声データを読み取るディスク読取部と、前記音声データを第１の信号形式で出力する第１の信号出力手段と、前記音声データを前記第１の信号形式とは異なる第２の信号形式で出力する第２の信号出力手段と、前記ディスク読取部で読み取られた音声データを前記第１，第２の信号形式のいずれかの形式で出力させる出力選択手段と、前記音声出力制御装置のコマンド送信手段から送信されたコマンドに従って前記出力選択手段の選択動作を制御する出力選択制御手段とを備えたことを特徴とする。
【００３７】
請求項８に記載の発明は、請求項５に記載の音響システムに適用されるディスク再生装置であって、ディスクに記録された音声データを読み取るディスク読取部と、前記音声データを第１の信号形式で出力する第１の信号出力手段と、前記音声データを前記第１の信号形式とは異なる第２の信号形式で出力する第２の信号出力手段と、前記ディスク読取部で読み取られた音声データを前記第１，第２の信号形式のいずれかの形式で出力させる出力選択手段と、前記音声出力制御装置の前記コマンド送信手段及び第２のコマンド送信手段から送信されたコマンドに従って前記出力選択手段の選択動作を制御する出力選択制御手段と、を備えたことを特徴とする。
【００３８】
請求項９に記載の発明は、ディスク再生装置の第１の信号出力手段から出力される第１の信号形式の音声データが入力される第１の信号入力手段と、前記ディスク再生装置の第２の信号出力手段から出力される第２の信号形式の音声データが入力される第２の信号入力手段と、前記第１の信号形式又は前記第２の信号形式の音声データを再生し、第１の発音手段に出力する第１の音声出力処理手段と、前記第２の信号形式の音声データを再生し、第２の発音手段に出力する第２の音声出力処理手段と、前記第１，第２の信号入力手段から入力される複数の音声データから１の音声データを選択して前記第１の音声出力処理手段に入力する第１の入力選択手段と、前記第２の信号入力手段から入力される複数の音声データから１の音声データを選択して前記第２の音声出力処理手段に入力する第２の入力選択手段と、前記第１，第２の入力選択手段の選択動作を制御する入力選択制御手段と、前記第１の入力選択手段により前記第１の信号入力手段から入力される音声データのうち、前記ディスク再生装置の第１の信号出力手段から出力される音声データが選択されているか否かを判別する判別手段と、前記判別手段により前記ディスク再生装置の第１の信号出力手段から出力される音声データが選択されていると判別されると、前記ディスク読取部で読み取られた音声データを前記第１の信号形式で出力させるコマンドを前記ディスク再生装置に送信し、前記判別手段により前記ディスク再生装置の第１の信号出力手段から出力される音声データが選択されていないと判別されると、前記ディスク読取部で読み取られた音声データを前記第２の信号形式で出力させるコマンドを前記ディスク再生装置に送信するコマンド送信手段と、を備えたことを特徴とする、音声出力制御装置である。
【００３９】
請求項１０に記載の発明は、請求項９に記載の音声出力制御装置であって、前記第２の入力選択手段に前記ディスク再生装置から出力される音声データが前記第１の信号形式であるか否かを判別する第２の判別手段と、前記第２の判別手段により前記ディスク再生装置から出力される音声データが前記第１の信号形式であると判別されると、前記ディスク読取部で読み取られた音声データを前記第２の信号形式で出力させるコマンドを前記ディスク再生装置に送信する第２のコマンド送信手段と、を更に備えたことを特徴とする。
【発明の効果】
【００４０】
請求項１〜３に記載の発明によれば、ディスク再生装置の第１の信号出力手段と音声出力制御装置の第１の信号入力手段との間で音声データの送受が可能になっているときは、第１の信号形式で音声データが出力させるように、ディスク再生装置の音声データの出力形式が設定され、ディスク再生装置の第１の信号出力手段と音声出力制御装置の第１の信号入力手段との間で音声データの送受が可能になっていないときは、第２の信号形式で音声データが出力させるように、ディスク再生装置の音声データの出力形式が設定されるので、ユーザは、ディスク再生装置から出力される音声データの信号形式を調整することなく、ディスク再生装置からの音声データを確実に音声出力制御装置の第１の音声出力処理手段で再生して第１の発音手段から出力させることができる。
【００４１】
請求項４〜１０に記載の発明によれば、音声出力制御装置から第１の音声出力処理手段の音源として選択されたディスク再生装置に音声データを第１の信号形式で出力させるコマンドを送信し、当該ディスク再生装置から出力される音声データの信号形式を第１の音声出力処理手段で処理可能な形式に変更させるので、請求項１〜３に記載の発明と同様に、ユーザは、ディスク再生装置から出力される音声データの信号形式を調整することなく、ディスク再生装置からの音声データを確実に音声出力制御装置の第１の音声出力処理手段で再生して第１の発音手段から出力させることができる。
【００４２】
また、音声出力制御装置から第２の音声出力処理手段の音源として選択されたディスク再生装置に音声データを第２の信号形式で出力させるコマンドを送信し、当該ディスク再生装置から出力される音声データの信号形式を第２の音声出力処理手段で処理可能な形式に変更させるので、ユーザは、ディスク再生装置から出力される音声データの信号形式を調整することなく、ディスク再生装置からの音声データを確実に音声出力制御装置の第２の音声出力処理手段で再生して第２の発音手段から出力させることができる。
【発明を実施するための最良の形態】
【００４３】
本発明に係る音響システムについて、図面を用いて説明する。
【００４４】
図１は、本発明に係る音響システムの一実施形態を示す要部ブロック図である。
【００４５】
同図に示す、音響システム１は、２個のＤＶＤプレーヤ２Ａ，２Ｂ（ディスク再生装置）と、１個のＡＶアンプ３（音声出力制御装置）と、２組のサラウンドシステムに対応したマルチチャンネル用のスピーカシステム４Ａ，４Ｂとで構成されている。２個のＤＶＤプレーヤ２Ａ，２Ｂは同一の内部構成を有している。また、２組のスピーカシステム４Ａ，４Ｂは同一の構成を有しているが、両スピーカシステム４Ａ，４Ｂは互いに異なる部屋に配置されている。例えば一方のスピーカシステム４Ａはリビングに配置され、他方のスピーカシステム４Ｂは書斎などの別室に配置されている。
【００４６】
スピーカシステム４Ａ，４Ｂは、５．１チャンネルのマルチチャンネルに対応したスピーカシステムで、それぞれフロント左チャンネル用スピーカ（ＦＬ）、センタチャンネル用スピーカ（Ｃ）、フロント右チャンネル用スピーカ（ＦＲ）、サラウンド右チャンネル用スピーカ（ＳＲ）、サラウンド左チャンネル用スピーカ（ＳＬ）及びサラウンド低音用スピーカ（ＳＷ）の６個のスピーカで構成されている。
【００４７】
ＤＶＤプレーヤ２Ａ，２Ｂは、同一の内部構成を有しているので、以下、ＤＶＤプレーヤ２Ａについて説明すると、ＤＶＤプレーヤ２Ａは、ＤＶＤディスクだけでなく、ＣＤ及びＳＡＣＤの各ディスクに記録されたオーディオデータ（デジタルオーディオデータ）の読取りが可能なユニバーサルタイプのプレーヤである。なお、ＤＶＤの場合、画像データも読み取られるが、本発明は、オーディオデータの再生に関するものであるので、以下では専らオーディオデータについて説明する。
【００４８】
ＤＶＤプレーヤ２Ａは、ディスク読取部２０１、ＤＳＰ２０２、ＤＳＤデコーダ２０３、ＩＥ3１３９４セレクタ２０４、通信制御部２０５（以下、ＩＥ3１３９４マイコン２０５という。）、ＩＥ3１３９４Ｉ／Ｆ２０６、アナログ出力端子２０７、デジタル出力端子２０８、制御部２０９（以下、ＤＶＤシステムマイコン２０９という。）、制御端子２１０及び操作部２１１を備えている。
【００４９】
ＩＥ3１３９４Ｉ／Ｆ２０６は、所定のＩＥ3１３９４ケーブルによりＡＶアンプ３のＩＥ3１３９４Ｉ／Ｆ３０１に接続されている。また、アナログ出力端子２０７は、ＡＶアンプ３のアナログ入力端子３０５に同軸線路などの電気信号線路により接続され、デジタル出力端子２０８は、ＡＶアンプ３のデジタル入力端子３０７にオプティカル線路若しくは同軸線路などの電気信号線路により接続されている。また、制御端子２１０は、ＡＶアンプ３の制御端子３０９に同軸線路などの電気信号線路により接続されている。
【００５０】
ディスク読取部２０１はディスクに記録されたデータを読み取る部分である。ディスク読取部２０１はディスクを装着脱するための機構、装着されたディスクを所定の速度で回転させる駆動機構、回転中のディスクの記録面にレーザ光を照射し、その反射光からオーディオデータ（デジタルデータ）を読み出す光学機構、及びこれらの機械的機構や光学機構の動作を制御する制御部を備えている。ディスク読取部２０１によるディスクの読取動作はＤＶＤシステムマイコン２０９によって制御される。
【００５１】
ユーザが操作部２１１を操作して「ディスクの再生」を指示すると、ＤＶＤシステムマイコン２０９はディスク読取部２０１の制御部にディスクの読取りを指令する制御信号を出力し、この制御信号を受けて制御部は上記の機械的機構及び光学機構の動作を制御して装着されたディスクからオーディオデータを読み取る。ディスク読取部２０１で読み取られたデータは、ＤＳＰ２０２及びＤＳＤデコーダ２０３に入力されるとともに、デジタル出力端子２０８からオプティカル線路若しくは同軸線路の信号線を介してＡＶアンプ３に入力される。
【００５２】
ＤＳＰ２０２は、ディスク読取部２０１から入力されるディスクの読取データ（デジタルオーディオデータ）をアナログオーディオ信号にデコードするものである。なお、ＤＶＤやＣＤに記録された音声データが５．１チャンネルのサラウンド音声データの場合は、ＤＳＰ２０２は、各チャンネルに対応した周波数特性を有するアナログオーディオ信号（すなわち、６種類のアナログオーディオ信号）にデコードする。ＤＳＰ２０２から出力されるアナログオーディオ信号は、アナログ出力端子２０７から同軸線路などの信号線を介してＡＶアンプ３に入力される。
【００５３】
ＤＳＤデコーダ２０３は、ＤＳＤ方式のオーディオデータをアナログオーディオ信号にデコードするものである。本実施形態では、ディスク読取部２０１から入力されるデジタルオーディオデータのうち、ＤＳＤ方式のデータはＳＡＣＤを読み取ったデータだけであるので、実質的にＤＳＤデコーダ２０３はＳＡＣＤの読取データに対する専用のデコーダとなっている。
【００５４】
なお、ＤＳＤデコーダ２０３には、ＤＶＤやＣＤの読取データも入力されるが、これらの読取データはＤＳＤ方式ではないので、ディスクがＤＶＤやＣＤの場合は、ＤＳＤデコーダ２０３ではデコード処理は行われず、そのまま入力信号を出力するスルー処理が行われる。すなわち、ＤＳＤデコーダ２０３の動作はＤＶＤシステムマイコン２０９によって制御され、ＤＶＤシステムマイコン２０９はディスク読取部２０１からディスクがＳＡＣＤの場合は、ＤＳＤデコーダ２０３にデコード処理を行わせ、ディスクがＳＡＣＤでない場合は、ＤＳＤデコーダ２０３にスルー処理を行わせる。ＤＳＤデコーダ２０３から出力されるデータは、ＩＥ3１３９４セレクタ２０４に入力される。
【００５５】
ＩＥ3１３９４セレクタ２０４は、ＤＳＤデコーダ２０３からのアナログオーディオ信号の出力先をＩＥ3１３９４Ｉ／Ｆ２０６とアナログ出力端子２０７との間で切り換えるものである。ＩＥ3１３９４セレクタ２０４は、「ＩＥ3１３９４  ＯＮ」に設定されると、ＤＳＤデコーダ２０３から入力されるアナログオーディオ信号をＩＥ3１３９４規格に準拠した伝送データ（以下、ＩＥ3１３９４伝送データという。）に変換してＩＥ3１３９４Ｉ／Ｆ２０６に出力し、「ＩＥ3１３９４  ＯＦＦ」に設定されると、ＤＳＤデコーダ２０３から入力されるアナログオーディオ信号をアナログ出力端子２０７に出力する。
【００５６】
ＩＥ3１３９４セレクタ２０４の設定はユーザの操作部２１１の操作により選択可能になっている。ユーザが操作部２１１により「ＩＥ3１３９４  ＯＮ」の設定を指示する操作を行うと、ＤＶＤシステムマイコン２０９からその指示内容がディスク読取部２０１に入力され、ディスク読取部２０１の制御部によってＩＥ3１３９４セレクタ２０４が「ＩＥ3１３９４  ＯＮ」に設定される。同様にユーザが操作部２１１により「ＩＥ3１３９４  ＯＦＦ」の設定を指示する操作を行うと、ＤＶＤシステムマイコン２０９からその指示内容がディスク読取部２０１に入力され、ディスク読取部２０１の制御部によってＩＥ3１３９４セレクタ２０４が「ＩＥ3１３９４  ＯＦＦ」に設定される。
【００５７】
ＩＥ3１３９４セレクタ２０４が「ＩＥ3１３９４  ＯＮ」に設定されているときは、ＩＥ3１３９４セレクタ２０４からＩＥ3１３９４伝送データが出力され、そのＩＥ3１３９４伝送データは、ＩＥ3１３９４Ｉ／Ｆ２０６からＡＶアンプ３に入力される。
【００５８】
一方、ＩＥ3１３９４セレクタ２０４が「ＩＥ3１３９４  ＯＦＦ」に設定されているときは、ＩＥ3１３９４セレクタ２０４からは入力されたデジタルオーディオデータ若しくはアナログオーディオ信号（ＤＳＤデコーダによってデコードされた信号）がそのまま出力され、そのデジタルオーディオデータ若しくはアナログオーディオ信号はアナログ出力端子２０７からＡＶアンプ３に出力される。
【００５９】
ディスクがＳＡＣＤの場合は、ＩＥ3１３９４セレクタ２０４が「ＩＥ3１３９４  ＯＮ」に設定されていると、ＳＡＣＤの読取データはＤＳＤデコーダ２０３、ＩＥ3１３９４セレクタ２０４及びＩＥ3１３９４Ｉ／Ｆ２０６を介してＩＥ3１３９４伝送データの形式でＡＶアンプ３に入力される。この場合は、ＡＶアンプ３では、ＤＳＤ方式のデータをデコードできない構成であるので、後述するように、アナログ出力端子２０７から入力される信号及びデジタル出力端子２０８から入力されるデータはスピーカシステム４Ａ又は４Ｂから音声出力されず、ＩＥ3１３９４伝送データのみがスピーカシステム４Ａ又は４Ｂから音声出力される。
【００６０】
一方、ＩＥ3１３９４セレクタ２０４が「ＩＥ3１３９４  ＯＦＦ」に設定されていると、ＳＡＣＤの読取データはＤＳＤデコーダ２０３、ＩＥ3１３９４セレクタ２０４及びアナログ出力端子２０７を介してＡＶアンプ３にアナログオーディオ信号で入力される。この場合は、ＡＶアンプ３では、後述するように、ＩＥ3１３９４Ｉ／Ｆ２０６及びデジタル出力端子２０８から入力されるデータはスピーカシステム４Ａ又は４Ｂから音声出力されず、アナログオーディオ信号のみがスピーカシステム４Ａ又は４Ｂから音声出力される。
【００６１】
また、ディスクがＤＶＤまたはＣＤの場合は、ＩＥ3１３９４セレクタ２０４が「ＩＥ3１３９４  ＯＮ」に設定されていると、ＤＶＤまたはＣＤの読取データはＤＳＤデコーダ２０３、ＩＥ3１３９４セレクタ２０４及びＩＥ3１３９４Ｉ／Ｆ２０６を介してＩＥ3１３９４伝送データの形式でＡＶアンプ３に入力されるとともに、ＤＳＰ２０２及びアナログ出力端子２０７を介してＡＶアンプ３に入力され、更にデジタル出力端子２０８を介してもＡＶアンプ３に入力される。この場合は、ＡＶアンプ３では、ＩＥ3１３９４Ｉ／Ｆ２０６及びデジタル出力端子２０８から入力されるデータとアナログ出力端子２０７から入力される信号はいずれもスピーカシステム４Ａ又は４Ｂから音声出力可能であるので、３つのオーディオ入力の中から選択された２つのオーディオ入力がスピーカシステム４Ａ又は４Ｂから音声出力される。
【００６２】
また、ＩＥ3１３９４セレクタ２０４が「ＩＥ3１３９４  ＯＦＦ」に設定されていると、ＤＶＤまたはＣＤの読取データはＤＳＰ２０２及びアナログ出力端子２０７を介してＡＶアンプ３に入力されるとともに、デジタル出力端子２０８を介してＡＶアンプ３に入力される。この場合は、ＡＶアンプ３では、２つのオーディオ入力がスピーカシステム４，５から音声出力される。
【００６３】
ＩＥ3１３９４Ｉ／Ｆ２０６は、デジタルオーディオデータをＩＥ3１３９４規格に基づく伝送方式で外部に出力するためのインターフェースである。
【００６４】
ＩＥ3１３９４マイコン２０５は、ＡＶアンプ３のＩＥ3１３９４マイコン３１８との間でＩＥ3１３９４規格に基づくデータの送受に関する制御するもので、マイクロコンピュータで構成されている。ＩＥ3１３９４マイコン２０５は、ＩＥ3１３９４Ｉ／Ｆ２０６の物理的な接続状態の確認、ＡＶアンプ３のＩＥ3１３９４マイコン３１８との間でデータの送受を行うための認証、データ送受時のフローレートの制御などを行う。ＩＥ3１３９４マイコン２０５によるＩＥ3１３９４伝送データの送受に関する制御は、ＤＶＤシステムマイコン２０９により制御される。
【００６５】
すなわち、ＤＶＤプレーヤ２ＡのＩＥ3１３９４Ｉ／Ｆ２０６からＩＥ3１３９４伝送データを出力するときは、ＤＶＤシステムマイコン２０９からＩＥ3１３９４マイコン２０５にＩＥ3１３９４Ｉ／Ｆ２０６の物理的な接続状態の確認指令やデータ送受を可能にする認証指令が出力され、ＩＥ3１３９４マイコン２０５はこれらの指令に基づいてＩＥ3１３９４Ｉ／Ｆ２０６の物理的な接続状態の確認処理やデータ送受を可能にする認証処理を行なう。その後、ＤＶＤシステムマイコン２０９からＩＥ3１３９４マイコン２０５にＩＥ3１３９４Ｉ送データの出力指令が出力されると、ＩＥ3１３９４マイコン２０５はＩＥ3１３９４Ｉ／Ｆ２０６からＩＥ3１３９４伝送データを出力する。このとき、ＩＥ3１３９４マイコン２０５はＡＶアンプ３のＩＥ3１３９４マイコン３１８との間で通信を行ってＩＥ3１３９４伝送データの出力レートを制御する。
【００６６】
デジタル出力端子２０８は、デジタルオーディオデータを外部に出力するための出力端子である。また、アナログ出力端子２０７は、アナログオーディオ信号を外部に出力するための出力端子である。
【００６７】
ＤＶＤシステムマイコン２０９は、ＤＶＤプレーヤ２Ａの動作を統括的に制御するもので、マイクロコンピュータで構成されている。ＤＶＤシステムマイコン２０９は、操作部２１１から入力される操作情報に基づいてディスク読取部２０１、ＤＳＰ２０２、ＤＳＤデコーダ２０３及びＩＥ3１３９４マイコン２０５の各部の動作を制御してディスク読取部２０１に装着されたディスクに記録されたオーディオデータを読み取り、その読取データ若しくはその読取データをデコードしたデータをＡＶアンプ３へ出力する一連の再生処理を制御する。
【００６８】
また、ＤＶＤシステムマイコン２０９はＡＶアンプ３のＡＶシステムマイコン３１８との間で各種の情報を通信し、ＤＶＤレーヤ２の動作状態や動作条件をＡＶアンプ３の動作状態や動作条件にリンクをさせる。例えば装着されたディスクがＳＡＣＤで、そのデータの出力形式がＡＶアンプ３で再生処理の可能な形式でない場合は、ＤＶＤプレーヤ２Ａの出力形式をＡＶアンプ３で再生処理の可能な形式に変更する。
【００６９】
すなわち、装着されたディスクがＳＡＣＤで、ＩＥ3１３９セレクタ２０４が「ＩＥ3１３９４  ＯＮ」に設定されている場合、ＡＶアンプ３の再生処理の可能な信号形式がアナログオーディオ信号に設定されていれば、ＤＶＤシステムマイコン２０９は、ディスク読取部２０１を介してＩＥ3１３９セレクタ２０４を「ＩＥ3１３９４  ＯＦＦ」に切り換える。逆にＩＥ3１３９セレクタ２０４が「ＩＥ3１３９４  ＯＦＦ」に設定されている場合、ＡＶアンプ３の再生処理の可能な信号形式がＩＥ3１３９４伝送データに設定されていれば、ＤＶＤシステムマイコン２０９は、ＩＥ3１３９セレクタ２０４を「ＩＥ3１３９４  ＯＮ」に切り換える。なお、ＤＶＤプレーヤ２Ａの出力形式の変更に関する処理の詳細は後述する。
【００７０】
制御端子２１０は、システムマイコン２１０と後述するＡＶアンプ３のＡＶシステムマイコン３１８との間で制御信号を送受するための端子である。
【００７１】
操作部２１１は、ＤＶＤプレーヤ２Ａの本体に設けられた複数の操作ボタンやリモートコントローラからなり、ユーザが操作部２１１を操作することによりディスクの再生に関する各種の条件を入力するものである。ユーザは操作部２１１を操作することにより、例えば再生音の音量や音質、再生曲、再生曲の順番、上述したＩＥ3１３９セレクタ２０４の設定内容などを所望の条件に設定することができる。
【００７２】
ＡＶアンプ３は、ＩＥ3１３９４Ｉ／Ｆ３０１、通信制御部３０２（以下、ＩＥ3１３９４マイコン３０２という。）、ＩＥ3１３９４セレクタ３０３、ＩＥ3１３９４デコーダ３０４、アナログ入力端子３０５、アナログ入力セレクタ３０６、デジタル入力端子３０７、デジタル入力セレクタ３０８、制御端子３０９、第１入力セレクタ３１０、第１ＤＳＰ３１１、第１アンプ３１２、第１スピーカ出力端子３１３、第２入力セレクタ３１４、第２ＤＳＰ３１５、第２アンプ３１６、第２スピーカ出力端子３１７、制御部３１８（以下、ＡＶシステムマイコン３１８という。）及び操作部３１９を備えている。
【００７３】
ＩＥ3１３９４Ｉ／Ｆ３０１、アナログ入力端子３０５、デジタル入力端子３０７及び制御端子３０９は、それぞれ２個ずつ設けられ、一方のＩＥ3１３９４Ｉ／Ｆ３０１、アナログ入力端子３０５、デジタル入力端子３０７及び制御端子３０９にそれぞれ一方のＤＶＤプレーヤ２ＡのＩＥ3１３９４Ｉ／Ｆ２０６、アナログ入力端子２０７、デジタル入力端子２０８及び制御端子２１０が上述した所定のケーブルで接続され、他方のＩＥ3１３９４Ｉ／Ｆ３０１、アナログ入力端子３０５、デジタル入力端子３０７及び制御端子３０９にそれぞれ他方のＤＶＤプレーヤ２ＢのＩＥ3１３９４Ｉ／Ｆ２０６、アナログ入力端子２０７、デジタル入力端子２０８及び制御端子２１０が上述した所定のケーブルで接続されている。
【００７４】
ＡＶアンプ３は、外部入力される同一若しくは異なるオーディオ信号を２つのスピーカシステム４Ａ，４Ｂにそれぞれ独立に出力する２つのスピーカ出力系統を有している。第１入力セレクタ３１０、第１ＤＳＰ３１１、第１アンプ３１２及び第１スピーカ出力端子３１３は第１スピーカ出力系統を構成し、第２入力セレクタ３１４、第２ＤＳＰ３１５、第２アンプ３１６及び第２スピーカ出力端子３１７は第２スピーカ出力系統を構成している。また、ＩＥ3１３９４Ｉ／Ｆ３０１ＩＥ3１３９４マイコン３０２、ＩＥ3１３９４セレクタ３０３、ＩＥ3１３９４デコーダ３０４、アナログ入力端子３０５、アナログ入力セレクタ３０６及びデジタル入力端子３０７は、外部入力される複数種類のオーディオ信号を第１，第２スピーカ出力系統に入力するための前段回路を構成し
ている。
【００７５】
ＩＥ3１３９４Ｉ／Ｆ３０１とＩＥ3１３９４マイコン３０２は、それぞれ上述したＤＶＤプレーヤ２ＡのＩＥ3１３９４Ｉ／Ｆ２０６とＩＥ3１３９４マイコン２０５と同一の機能を果たすものである。ＩＥ3１３９４マイコン３０２によるＩＥ3１３９４伝送データの送受に関する制御は、ＡＶシステムマイコン３１８より制御される。
【００７６】
ＩＥ3１３９４セレクタ３０３は、２つのＩＥ3１３９４Ｉ／Ｆ３０１のうち、いずれの１のＩＥ3１３９４Ｉ／Ｆ３０１からのＩＥ3１３９４伝送データを選択的にＩＥ3１３９４デコーダ３０４に出力するものである。ＩＥ3１３９４セレクタ３０３の入力設定はユーザの操作部３１９の操作により選択可能になっている。
【００７７】
図示はしていないが、各ＩＥ3１３９４Ｉ／Ｆ３０１にはポート番号が付加されており、ユーザが操作部３１９によりＩＥ3１３９４Ｉ／Ｆ３０１のポート番号を入力すると、ＡＶシステムマイコン３１８からそのポート番号がＩＥ3１３９４セレクタ３０３に設定される。これによりＩＥ3１３９４セレクタ３０３は設定されたポート番号のＩＥ3１３９４Ｉ／Ｆ３０１から入力されるＩＥ3１３９４伝送データをＩＥ3１３９４デコーダ３０４に出力する。図１において、ＩＥ3１３９４Ｉ／Ｆ３０１の上側のポート番号が設定されていと、ＩＥ3１３９４デコーダ３０４には、ＤＶＤプレーヤ２ＡからＩＥ3１３９４Ｉ／Ｆ２０６及びＩＥ3１３９４Ｉ／Ｆ３０１を介して入力されるＩＥ3１３９４伝送データが入力される。
【００７８】
ＩＥ3１３９４デコーダ３０４は、入力されるＩＥ3１３９４伝送データを元のデジタルオーディオデータにデコードするものである。デコードされたデジタルオーディオデータは第１入力セレクタ３１０に入力される。
【００７９】
アナログ入力セレクタ３０６は、２つのアナログ入力端子３０５から入力されるアナログオーディオ信号のうち、いずれか１のアナログオーディオ信号を選択的に後段に出力するものである。また、デジタル入力セレクタ３０８は、２つのデジタル入力端子３０７から入力されるデジタルオーディオデータのうち、いずれか１のデジタルオーディオデータを選択的に出力するものである。
【００８０】
アナログ入力セレクタ３０６及びデジタル入力セレクタ３０８の入力設定もユーザの操作部３１９の操作により選択可能になっている。アナログ入力セレクタ３０６及びデジタル入力セレクタ３０８にも、図示はしていないが、それぞれポート番号が付加されており、ユーザが操作部３１９によりアナログ入力セレクタ３０６及びデジタル入力セレクタ３０８のポート番号を入力すると、ＡＶシステムマイコン３１８からそのポート番号がアナログ入力セレクタ３０６及びデジタル入力セレクタ３０８にそれぞれ設定される。これによりアナログ入力セレクタ３０６及びデジタル入力セレクタ３０８は、それぞれ設定されたポート番号のアナログ入力端子３０５及びデジタル入力端子３０７から入力されるアナログオーディオ信号とデジタルオーディオデータを後段の回路に出力する。
【００８１】
図１において、アナログ入力セレクタ３０６の上側のポート番号が設定されていると、ＡＶプレーヤ２Ａからアナログ出力端子２０７及びアナログ入力端子３０５を介して入力されるアナログオーディオ信号がアナログ入力セレクタ３０６から出力される。アナログ入力セレクタ３０６から出力されるアナログオーディオ信号は、第１入力セレクタ３１０及び第２入力セレクタ３１４に入力される。従って、ＡＶプレーヤ２Ａのアナログ出力端子２０７から出力されるアナログオーディオ信号が第１入力セレクタ３１０及び第２入力セレクタ３１４に入力される。
【００８２】
また、デジタル入力セレクタ３０８の上側のポート番号が設定されていると、ＡＶプレーヤ２Ａからデジタル出力端子２０８及びデジタル入力端子３０７を介して入力されるデジタルオーディオデータがデジタル入力セレクタ３０８から出力される。デジタル入力セレクタ３０８から出力されるデジタルオーディオデータは、第１入力セレクタ３１０及び第２入力セレクタ３１４に入力される。従って、ＡＶプレーヤ２Ａのデジタル出力端子２０７から出力されるデジタルオーディオデータが第１入力セレクタ３１０及び第２入力セレクタ３１４に入力される。
【００８３】
第１入力セレクタ３１０は、ＩＥ3１３９４デコーダ３０４から入力されるデジタルオーディオデータ、アナログ入力セレクタ３０６から入力されるアナログオーディオ信号、及びデジタル入力セレクタ３０８から入力されるデジタルオーディオデータのうち、いずれか１の入力を後段の第１ＤＳＰ３１１に選択的に出力するものである。
【００８４】
第１入力セレクタ３１０の入力設定もユーザの操作部３１９の操作により選択可能になっている。ユーザが操作部３１９により第１スピーカ出力系統に対して「ＩＥ3１３９４  ＩＮ」（ＩＥ3１３９４Ｉ／Ｆ３０１からの入力）、「アナログ  ＩＮ」（アナログ入力端子３０５からの入力）及び「デジタル  ＩＮ」（デジタル入力端子３０７からの入力）のいずれかを指定すると、ＡＶシステムマイコン３１８から情報が第１入力セレクタ３１０に設定される。
【００８５】
例えば「ＩＥ3１３９４  ＩＮ」が設定されると、ＩＥ3１３９４デコーダ３０４から入力されるデジタルオーディオデータが第１入力セレクタ３１０から出力され、「アナログ  ＩＮ」が設定されると、アナログ入力端子３０５から入力されるアナログオーディオ信号が第１入力セレクタ３１０から出力され、「デジタル  ＩＮ」が設定されると、デジタル入力端子３０７から入力されるデジタルオーディオデータが第１入力セレクタ３１０から出力される。
【００８６】
第１ＤＳＰ３１１は、上述したＤＶＤプレーヤ２ＡのＤＳＰ２０２と同一の機能を果たすものである。従って、デジタル入力端子３０７から入力されるデジタルオーディオデータがアナログオーディオ信号にデコードされる。第１ＤＳＰ３１１のデコード動作はＡＶシステムマイコン３１８により制御される。すなわち、ＡＶシステムマイコン３１８は、第１入力セレクタ３１０に「デジタル  ＩＮ」が設定されたとき、第１ＤＳＰ３１１を「デコード  ＯＮ」に設定してデコード処理を行わせ、第１入力セレクタ３１０に「ＩＥ3１３９４  ＩＮ」又は「アナログ  ＩＮ」が設定されたときは、第１ＤＳＰ３１１を「デコード  ＯＦＦ」に設定してデコード処理を禁止する。このときは、第１ＤＳＰ３１１から入力された信号がそのまま出力される。
【００８７】
なお、デジタルオーディオデータが５．１チャンネルのサラウンド音声データの場合は、各チャンネルに対応した周波数特性を有するアナログオーディオ信号（すなわち、６種類のアナログオーディオ信号）にデコードされる。第１ＤＳＰ３１１でデコードされたアナログオーディオ信号は第１アンプ３１２に入力される。
【００８８】
第１アンプ３１２は、第１ＤＳＰ３１１から入力されるアナログオーディオ信号を所定のレベルに増幅するものである。第１アンプ３１２は、５．１チャンネルのサラウンドシステムに対応して６個のアンプを備えている。第１アンプ３１２の増幅度は、ユーザの操作部３１９の操作による音量によって調整される。すなわち、ユーザが操作部３１９を操作して第１スピーカ出力系統の音量を設定すると、ＡＶシステムマイコン３１８から音量の設定値の情報が第１アンプ３１２に入力され、第１アンプ３１２ではこの情報に基づいて各チャンネルの増幅度が設定される。
【００８９】
第１アンプ３１２から出力されるアナログオーディオ信号は第１スピーカ出力端子３１３を介して第１スピーカシステム４Ａに出力される。より具体的には、第１アンプ３１２から出力されるＦＬ，Ｃ，ＦＲ，ＳＬ，ＳＲ，ＳＷの各チャンネルのアナログオーディオ信号はそれぞれ第１スピーカ出力端子３１３のＦＬ，Ｃ，ＦＲ，ＳＬ，ＳＲ，ＳＷの各出力端子から出力され、それぞれ第１スピーカシステム４ＡのスピーカＦＬ，スピーカＣ，スピーカＦＲ，スピーカＳＬ，スピーカＳＲ，スピーカＳＷから音声出力される。
【００９０】
第２入力セレクタ３１４は、アナログ入力セレクタ３０６から入力されるアナログオーディオ信号及びデジタル入力セレクタ３０８から入力されるデジタルオーディオデータのうち、いずれか１の入力を選択的に後段の第２ＤＳＰ３１１に出力するものである。
【００９１】
第２入力セレクタ３１４の入力設定もユーザの操作部３１９の操作により選択可能になっている。ユーザが操作部３１９により第２スピーカ出力系統に対して「アナログ  ＩＮ」（アナログ入力端子３０５からの入力）及び「デジタル  ＩＮ」（デジタル入力端子３０７からの入力）のいずれかを指定すると、ＡＶシステムマイコン３１８から情報が第２入力セレクタ３１４に設定される。
【００９２】
例えば「アナログ  ＩＮ」が設定されると、アナログ入力端子３０５から入力されるアナログオーディオ信号が第２入力セレクタ３１４から出力され、「デジタル  ＩＮ」が設定されると、デジタル入力端子３０７から入力されるデジタルオーディオデータが第２入力セレクタ３１４から出力される。
【００９３】
第２ＤＳＰ３１５は、第１ＤＳＰ３１１と同一の機能を果たすものである。従って、デジタル入力端子３０７から入力されるデジタルオーディオデータがアナログオーディオ信号にデコードされる。第２ＤＳＰ３１５のデコード動作もＡＶシステムマイコン３１８により制御される。すなわち、ＡＶシステムマイコン３１８は、第２入力セレクタ３１４に「デジタル  ＩＮ」が設定されたとき、第２ＤＳＰ３１５を「デコード  ＯＮ」に設定してデコード処理を行わせ、第２入力セレクタ３１４に「アナログ  ＩＮ」が設定されたときは、第２ＤＳＰ３１５を「デコード  ＯＦＦ」に設定してデコード処理を禁止する。このときは、第２ＤＳＰ３１５から入力された信号がそのまま出力される。
【００９４】
なお、デジタルオーディオデータが５．１チャンネルのサラウンド音声データの場合は、第１ＤＳＰ３１１と同様に、各チャンネルに対応した周波数特性を有するアナログオーディオ信号にデコードされ、それぞれ第２アンプ３１６に入力される。
【００９５】
第２アンプ３１６は、第２ＤＳＰ３１４から入力されるアナログオーディオ信号を所定のレベルに増幅するものである。第２アンプ３１６も５．１チャンネルのサラウンドシステムに対応して６個のアンプを備えている。第２アンプ３１６の増幅度も第１アンプ３１２と同様に、ユーザの操作部３１９の操作による音量によって調整される。すなわち、ユーザが操作部３１９を操作して第２スピーカ出力系統の音量を設定すると、ＡＶシステムマイコン３１８から音量の設定値の情報が第２アンプ３１６に入力され、第２アンプ３１６ではこの情報に基づいて各チャンネルの増幅度が設定される。
【００９６】
第２アンプ３１６から出力されるアナログオーディオ信号は第２スピーカ出力端子３１７を介して第２スピーカシステム４Ｂに出力される。より具体的には、第２アンプ３１６から出力されるＦＬ，Ｃ，ＦＲ，ＳＬ，ＳＲ，ＳＷの各チャンネルのアナログオーディオ信号はそれぞれ第２スピーカ出力端子３１７のＦＬ，Ｃ，ＦＲ，ＳＬ，ＳＲ，ＳＷの各出力端子から出力され、それぞれ第２スピーカシステム４ＢのスピーカＦＬ，スピーカＣ，スピーカＦＲ，スピーカＳＬ，スピーカＳＲ，スピーカＳＷから音声出力される。
【００９７】
ＡＶシステムマイコン３１８は、ＡＶアンプ３の動作を統括的に制御するもので、マイクロコンピュータで構成されている。ＡＶシステムマイコン３１８は、操作部３１９から入力される操作情報に基づいてＩＥ3１３９４セレクタ３０３、アナログ入力セレクタ３０６、デジタル入力セレクタ３０８、第１，第２入力セレクタ３１０，３１４、第１，第２ＤＳＰ３１１，３１５、第１，第２アンプ３１２，３１６の各部の動作を制御してＩＥ3１３９４Ｉ／Ｆ３０１、アナログ入力端子３０５及びデジタル入力端子３０７から入力されるデジタルオーディオデータ若しくはアナログオーディオ信号を第１，第２スピーカ出力系統を通してスピーカシステム４Ａ，４Ｂへ出力する一連の再生処理を制御する。
【００９８】
また、ＡＶシステムマイコン３１８は、ＤＶＤプレーヤ２のＤＶＤシステムマイコン２０９との間で各種の情報を通信し、ＡＶアンプ３の動作状態や動作条件をＤＶＤレーヤ２Ａの動作状態や動作条件にリンクをさせる。例えばＤＶＤプレーヤ２に装着されたディスクがＳＡＣＤで、そのデータの出力形式がＡＶアンプ３で再生処理の可能な形式でない場合は、ＤＶＤプレーヤ２Ａの出力形式をＡＶアンプ３で再生処理の可能な形式に変更させる。
【００９９】
すなわち、装着されたディスクがＳＡＣＤで、ＩＥ3１３９セレクタ２０４が「ＩＥ3１３９４  ＯＮ」に設定されている場合、ＡＶアンプ３の再生処理の可能な信号形式がアナログ信号に設定されていれば、ＡＶシステムマイコン３１８は、ＤＶＤシステムマイコン２０９に「ＩＥ3１３９４  ＯＦＦ」のコマンドを送信し、ＤＶＤプレーヤ２のＩＥ3１３９セレクタ２０４を「ＩＥ3１３９４  ＯＦＦ」に切り換えさせる。
【０１００】
逆にＩＥ3１３９４セレクタ２０４が「ＩＥ3１３９４  ＯＦＦ」に設定されている場合、ＡＶアンプ３の再生処理の可能な信号形式がＩＥ3１３９４伝送データに設定されていれば、ＡＶシステムマイコン３１８は、ＤＶＤシステムマイコン２０９に「ＩＥ3１３９４  ＯＮ」のコマンドを送信し、ＤＶＤプレーヤ２のＩＥ3１３９セレクタ２０４を「ＩＥ3１３９４  ＯＮ」に切り換えさせる。
【０１０１】
制御端子３０９は、ＡＶシステムマイコン３１８とＤＶＤプレーヤ２のＤＶＤシステムマイコン２０９との間で制御信号を送受するための端子である。
【０１０２】
操作部３１９は、ＡＶアンプ３の本体に設けられた複数の操作ボタンやリモートコントローラからなり、ユーザが操作部３１９を操作することにより外部入力されるオーディ信号の再生に関する各種の条件を入力するものである。ユーザは操作部３１９を操作することにより、例えば再生音の音量や音質、第１，第２スピーカ出力系統への入力の設定、上述したＩＥ3１３９セレクタ２０４の設定内容などを所望の条件に設定することができる。
【０１０３】
次に、本発明に係る音響システムのＤＶＤプレーヤ２のＩＥ3１３９４セレクタ２０４の切換制御について説明する。
【０１０４】
図２は、ＤＶＤプレーヤ２におけるＩＥ3１３９４セレクタ２０４の切換制御に関する処理手順を示すフローチャートである。
【０１０５】
ＤＶＤプレーヤ２では、電源がＯＮの状態では（Ｓ１〜Ｓ３のループ）、ディスクの装着若しくはディスクの交換があったか否かの判別（Ｓ１）と、ＡＶアンプ３からのＩＥ3１３９４セレクタ２０４の設定に関するコマンドを受信したか否かの判別（Ｓ２）が行われている。
【０１０６】
ディスクの装着若しくはディスクの交換があると（Ｓ１：ＹＥＳ）、更に装着されたディクスの種類がＳＡＣＤであるか否かが判別される（Ｓ４）。ディスク読取部２０１によって装着されたディスクの種類情報が読み取られ、その種類情報がＤＶＤシステムマイコン２０９に入力されるので、この判別は、ＤＶＤシステムマイコン２０９によりその種類情報に基づいて行われる。
【０１０７】
装着されたディクスの種類がＳＡＣＤでなければ、すなわち、装着されたディクスの種類がＤＶＤ若しくはＣＤであれば（Ｓ４：ＮＯ）、ステップＳ２に移行し、装着されたディクスの種類がＳＡＣＤであれば（Ｓ４：ＹＥＳ）、更にＩＥ3１３９４セレクタ２０４が「ＩＥ3１３９４  ＯＮ」に設定されているか否かが判別される。ディスク読取部２０１によってＩＥ3１３９４セレクタ２０４の設定情報がＤＶＤシステムマイコン２０９に入力されるので、この判別は、ＤＶＤシステムマイコン２０９によりその設定情報に基づいて行われる。
【０１０８】
ＩＥ3１３９４セレクタ２０４が「ＩＥ3１３９４  ＯＮ」に設定されていれば（Ｓ５：ＹＥＳ）、ＩＥ3１３９４Ｉ／Ｆ２０６がＡＶアンプ３のＩＥ3１３９４Ｉ／Ｆ３０１との間でＩＥ3１３９４伝送データを送受信可能な状態になっているか否かが判別される（Ｓ６）。ＩＥ3１３９４Ｉ／Ｆ２０６とＩＥ3１３９４Ｉ／Ｆ３０１との間のハード的な接続状態とソフト的な送受信可能な状態はＩＥ3１３９４マイコン２０５によって制御され、その制御情報はＤＶＤシステムマイコン２０９に入力されるので、この判別は、ＤＶＤシステムマイコン２０９によりその制御情報に基づいて行われる。
【０１０９】
送受信可能な状態になっていなければ（Ｓ６：ＮＯ）、ＩＥ3１３９４セレクタ２０４の設定が「ＩＥ3１３９４  ＯＦＦ」に切り換えられて（Ｓ７）、ステップＳ２に移行し、送受信可能な状態になっていれば（Ｓ６：ＹＥＳ）、ＩＥ3１３９４セレクタ２０４の設定を切り換えることなくステップＳ２に移行する。
【０１１０】
また、ステップＳ５の判別で、ＩＥ3１３９４セレクタ２０４が「ＩＥ3１３９４  ＯＦＦ」に設定されていれば（Ｓ５：ＮＯ）、ステップＳ６と同様に、ＩＥ3１３９４Ｉ／Ｆ２０６がＡＶアンプ３のＩＥ3１３９４Ｉ／Ｆ３０１との間でＩＥ3１３９４伝送データを送受信可能な状態になっているか否かが判別される（Ｓ８）。送受信可能な状態になっていれば（Ｓ８：ＹＥＳ）、ＩＥ3１３９４セレクタ２０４の設定が「ＩＥ3１３９４  ＯＮ」に切り換えられて（Ｓ９）、ステップＳ２に移行し、送受信可能な状態になっていなければ（Ｓ８：ＮＯ）、ＩＥ3１３９４セレクタ２０４の設定を切り換えることなくステップＳ２に移行する。
【０１１１】
すなわち、ディスクの装着若しくは交換があったとき、新たに装着されたディスクがＳＡＣＤの場合、ＩＥ3１３９４Ｉ／Ｆ２０６がＡＶアンプ３のＩＥ3１３９４Ｉ／Ｆ３０１との間でＩＥ3１３９４伝送データを送受信可能な状態になっており、ＩＥ3１３９４セレクタ２０４も「ＩＥ3１３９４  ＯＮ」に設定されていれば、ＩＥ3１３９４セレクタ２０４を「ＩＥ3１３９４  ＯＮ」に保持してＳＡＣＤの読取データをＩＥ3１３９４インターフェースによってデジタルオーディオデータの形式でＡＶアンプ３に送信する。
【０１１２】
一方、新たに装着されたディスクがＳＡＣＤの場合、ＩＥ3１３９４Ｉ／Ｆ２０６がＡＶアンプ３のＩＥ3１３９４Ｉ／Ｆ３０１との間でＩＥ3１３９４伝送データを送受信可能な状態になっていないのに、ＩＥ3１３９４セレクタ２０４が「ＩＥ3１３９４  ＯＮ」に設定されていれば、ＩＥ3１３９４セレクタ２０４を「ＩＥ3１３９４  ＯＦＦ」に切り換え、ＳＡＣＤの読取データをアナログ信号の形式でＡＶアンプ３に送信可能にする。
【０１１３】
ステップＳ２で、ＡＶシステムマイコン２０９により、ＡＶアンプ３からＩＥ3１３９４セレクタ２０４の設定に関するコマンドを受信したと判別されると（Ｓ２：ＹＥＳ）、更にその受信コマンドが「ＩＥ3１３９４  ＯＮ」の設定を指示するコマンドであるか否かが判別され（Ｓ１０）、受信コマンドが「ＩＥ3１３９４  ＯＦＦ」の設定コマンドであれば（Ｓ１０：ＮＯ）、ＩＥ3１３９４セレクタ２０４が「ＩＥ3１３９４  ＯＦＦ」に設定され（Ｓ１１）、受信コマンドが「ＩＥ3１３９４  ＯＮ」の設定コマンドであれば（Ｓ１０：ＹＥＳ）、ＩＥ3１３９４セレクタ２０４が「ＩＥ3１３９４  ＯＮ」に設定され（Ｓ１２）、ステップＳ３に移行する。すなわち、ＡＶアンプ３からのＩＥ3１３９４セレクタ２０４の設定に関するコマンドの内容がＩＥ3１３９４セレクタ２０４からディスク読取部２０１に入力され、ディスク読取部２０１によってＩＥ3１３９４セレクタ２０４の設定内容がコマンド内容に設定される。
【０１１４】
すなわち、ＡＶアンプ３のＩＥ3１３９４Ｉ／Ｆ３０１がＤＶＤプレーヤ２のＩＥ3１３９４Ｉ／Ｆ２０６との間でＩＥ3１３９４伝送データを送受信可能な状態になっていれば、ＡＶアンプ３からＩＥ3１３９４セレクタ２０４の設定を「ＩＥ3１３９４  ＯＮ」にするコマンドが送信され、ＡＶアンプ３のＩＥ3１３９４Ｉ／Ｆ３０１がＤＶＤプレーヤ２のＩＥ3１３９４Ｉ／Ｆ２０６との間でＩＥ3１３９４伝送データを送受信可能な状態になっていなければ、ＡＶアンプ３からＩＥ3１３９４セレクタ２０４の設定を「ＩＥ3１３９４  ＯＦＦ」にするコマンドが送信されるので、このコマンドに基づきＤＶＤプレーヤ２のＩＥ3１３９４セレクタ２０４の設定を切換設定することにより、ＳＡＣＤの読取データをＡＶアンプ３で再生処理可能なＩＥ3１３９４インターフェースによるデジタルオーディオデータの形式又はアナログ信号の形式で送信できるようにする。
【０１１５】
図３は、ＡＶアンプにおけるＩＥ3１３９４セレクタの切換制御に関する処理手順を示すフローチャートである。
【０１１６】
ＡＶアンプ３では、電源がＯＮの状態では（Ｓ２１〜Ｓ２３のループ）、ユーザの操作部３１９による第１スピーカ出力系統の入力又は第２スピーカ出力系統の入力に変更があったか否かの判別（Ｓ２１，Ｓ２２）が行われている。すなわち、ＩＥ3１３９４入力セレクタ３０３、第１入力セレクタ３１０、アナログ入力セレクタ３０６、デジタル入力セレクタ３０８及び第２入力セレクタ３１４の設定に変化があったか否かの判別が行われている。
【０１１７】
第１スピーカ出力系統の入力に変更があると（Ｓ２１：ＹＥＳ）、変更後の入力先のＤＶＤプレーヤとその入力信号の形式の確認が行われる（Ｓ２４）。図１の構成では、第１入力セレクタ３１０で選択されている入力形式と、その入力形式に関係する入力セレクタで選択されている入力端子とにより第１スピーカ出力系統に接続されるＤＶＤプレーヤ２Ａ（又は２Ｂ）とそのＤＶＤプレーヤ２Ａ（又は２Ｂ）から出力される信号形式の確認が行われる。例えば第１入力セレクタ３１０でＩＥ3１３９４Ｉ／Ｆ３０１による入力が選択され、２つのＩＥ3１３９４Ｉ／Ｆ３０１のうち、上側のＩＥ3１３９４Ｉ／Ｆ３０１が選択されていると、第１スピーカ出力系統への入力はＤＶＤプレーヤ２ＡからＩＥ3１３９４Ｉ／Ｆ３０１によって入力されるデジタルオーディオデータであると認識される。また、例えば第１入力セレクタ３１０でアナログ入力端子からの入力が選択され、２つのアナログ入力端子３０５のうち、下側のアナログ入力端子３０５が選択されていると、第１スピーカ出力系統への入力はＤＶＤプレーヤ２Ｂからアナログ入力端子３０７によって入力されるアナログオーディオ信号であると認識される。
【０１１８】
続いて、選択された入力信号がＩＥ3１３９４Ｉ／Ｆ３０１からの入力信号であるか否かが判別され（Ｓ２５）、選択された入力信号がＩＥ3１３９４Ｉ／Ｆ３０１からの入力信号であれば（Ｓ２５：ＹＥＳ）、選択されたＤＶＤプレーヤとの間でＩＥ3１３９４プラグ処理が行われる（Ｓ２６）。すなわち、上記の例で説明すると、ＡＶアンプ３のＩＥ3１３９４マイコン３０２はＤＶＤプレーヤ２ＡのＩＥ3１３９４マイコン２０５との間でＩＥ3１３９４Ｉ／Ｆ２０６とＩＥ3１３９４Ｉ／Ｆ３０１間の物理的な接続状態の確認処理とデータ送受を可能にする認証処理が行われる。
【０１１９】
ＩＥ3１３９４プラグ処理が終了すると、ＡＶアンプ３のＡＶシステムマイコン３１８から、選択されたＤＶＤプレーヤ（上記の例ではＤＶＤプレーヤ２Ａ）のＤＶＤシステムマイコン２０９に「ＩＥ3１３９４  ＯＮ」のコマンドが送信された後（Ｓ２７）、ステップＳ２２に移行する。
【０１２０】
一方、選択された入力信号がＩＥ3１３９４Ｉ／Ｆ３０１からの入力信号でなければ（Ｓ２５：ＮＯ）、ＡＶアンプ３のＡＶシステムマイコン３１８から、選択されたＤＶＤプレーヤ（上記の例ではＤＶＤプレーヤ２Ａ）のＤＶＤシステムマイコン２０９に「ＩＥ3１３９４  ＯＦＦ」のコマンドが送信された後（Ｓ２７）、ステップＳ２２に移行する。なお、ステップＳ２７，Ｓ２８のコマンドの送信処理は、図２のフローチャートのステップＳ２に対応するものである。
【０１２１】
すなわち、ステップＳ２１からステップＳ２４〜Ｓ２８の処理は、第１スピーカ出力系統に対する入力信号の形式がＩＥ3１３９４Ｉ／Ｆからのデジタルオーディオデータの場合は、第１スピーカ出力系統に接続されるＤＶＤプレーヤ２Ａ（又は２Ｂ）に「ＩＥ3１３９４  ＯＮ」のコマンドを送信して当該ＤＶＤプレーヤ２Ａ（又は２Ｂ）からＩＥ3１３９４Ｉ／Ｆによってデジタルオーディオデータが出力されるようにし、第１スピーカ出力系統に対する入力信号の形式がアナログ入力端子３０５若しくはデジタル入力端子３０７からのアナログオーディオ信号若しくはデジタルオーディオデータの場合は、第１スピーカ出力系統に接続されるＤＶＤプレーヤ２Ａ（又は２Ｂ）に「ＩＥ3１３９４  ＯＦＦ」のコマンドを送信して当該ＤＶＤプレーヤ２Ａ（又は２Ｂ）からＩＥ3１３９４Ｉ／Ｆによってデジタルオーディオデータが出力されないようにするものである。
【０１２２】
これにより、第１スピーカ出力系統に接続されるＤＶＤプレーヤ２Ａ（又は２Ｂ）にＳＡＣＤのディスクが装着された場合にも当該ＳＡＣＤからの読取データを確実に第１スピーカ出力系統を通して第１スピーカシステム４Ａから再生させることができる。
【０１２３】
続いて、ステップＳ２２で、第２スピーカ出力系統の入力に変更があると（Ｓ２２：ＹＥＳ）、第１スピーカ出力系統の入力先のＤＶＤプレーヤと、第２スピーカ出力系統の入力先のＤＶＤプレーヤとが同一であるか否かが判別される（Ｓ２９）。第１，第２スピーカ出力系統の入力先が同一でなければ（Ｓ２９：ＮＯ）、ステップＳ２３に移行し、第１，第２スピーカ出力系統の入力先が同一であれば（Ｓ２９：ＹＥＳ）、第１スピーカ出力系統の入力先のＤＶＤプレーヤとその入力信号の形式の確認が行われる（Ｓ３０）。この確認処理はステップＳ２４の場合と同様である。例えば第１入力セレクタ３１０でＩＥ3１３９４Ｉ／Ｆ３０１からの入力が選択され、２つのＩＥ3１３９４Ｉ／Ｆ３０１のうち、上側のＩＥ3１３９４Ｉ／Ｆ３０１が選択されていると、第１スピーカ出力系統及び第２スピーカ出力系統への入力はＤＶＤプレーヤ２ＡからＩＥ3１３９４Ｉ／Ｆ３０１によって入力されるデジタルオーディオデータであると確認される。また、例えば第１入力セレクタ３１０でアナログ入力端子３０５からの入力が選択されていると、２つのアナログ入力端子３０５のうち、上側のアナログ入力端子３０５が選択されていると、第１スピーカ出力系統及び第２スピーカ出力系統への入力はＤＶＤプレーヤ２Ａからアナログ入力端子３０５によって入力されるアナログオーディオ信号であると確認される。
【０１２４】
続いて、第１スピーカ出力系統への入力信号がＩＥ3１３９４Ｉ／Ｆ３０１からの入力信号であるか否かが判別され（Ｓ３１）、ＩＥ3１３９４Ｉ／Ｆ３０１からの入力信号でなければ（Ｓ３１：ＮＯ）、ステップＳ２３に移行し、ＩＥ3１３９４Ｉ／Ｆ３０１からの入力信号であれば（Ｓ３１：ＹＥＳ）、ステップＳ３２に移行する。すなわち、ステップＳ２９〜Ｓ３１では、第２スピーカ出力系統に入力されるＤＶＤプレーヤからの出力がＩＥ3１３９４Ｉ／Ｆ３０１による出力であるか否かが判別される。
【０１２５】
そして、ステップＳ３２において、ＡＶアンプ３のＡＶシステムマイコン３１８から、選択されたＤＶＤプレーヤのＤＶＤシステムマイコン２０９に「ＩＥ3１３９４  ＯＦＦ」のコマンドが送信された後、ステップＳ２３に移行する。なお、ステップＳ３２のコマンドの送信処理は、図２のフローチャートのステップＳ２に対応するものである。
【０１２６】
すなわち、ステップＳ２２からステップＳ２９，Ｓ３２の処理は、第２スピーカ出力系統が再生処理可能な入力信号の形式にはＩＥ3１３９４Ｉ／Ｆからのデジタルオーディオデータが含まれないから、第２スピーカ出力系統に接続されるＤＶＤプレーヤ２Ａ（又は２Ｂ）に「ＩＥ3１３９４  ＯＦＦ」のコマンドを送信して当該ＤＶＤプレーヤ２Ａ（又は２Ｂ）からはＩＥ3１３９４Ｉ／Ｆによってデジタルオーディオデータが出力されないようにするものである。
【０１２７】
これにより、第２スピーカ出力系統に接続されるＤＶＤプレーヤ２Ａ（又は２Ｂ）にＳＡＣＤのディスクが装着された場合にも当該ＳＡＣＤからの読取データをアナログ出力端子２０７からアナログオーディオ信号で出力させ、確実に第２スピーカ出力系統を通して第２スピーカシステム４Ｂから再生させることができる。
【０１２８】
上記のように、本実施形態に係る音響システムでは、ＡＶアンプ３の第１スピーカ出力系統又は第２スピーカ出力系統に対して接続されるＤＶＤプレーヤ２Ａ（又は２Ｂ）のオーディオ信号の出力形式が第１スピーカ出力系統又は第２スピーカ出力系統で再生処理可能な形式でない場合は、ＤＶＤプレーヤ２Ａ（又は２Ｂ）の側で自動的に、或いはＡＶアンプ３からのコマンドにより、オーディオ信号の出力形式を第１スピーカ出力系統又は第２スピーカ出力系統で再生処理可能な形式となるようにＩＥ3１３９４セレクタ２０４の設定を自動的に切り換えられるので、ＤＶＤプレーヤ２Ａ，２ＢにＳＡＣＤのような出力形式に制限のある特定のディスクが装着された場合にも、ユーザが手動操作によりＤＶＤプレーヤ２Ａ，２Ｂ及びＡＶアンプ３のセレクタを調整することなく、ＡＶアンプ３の第１，第２スピーカ出力系統の各出力系統に設定されたＤＶＤプレーヤ２Ａ（又は２Ｂ）の読取データを確実に再生させることができる。
【０１２９】
なお、上記実施形態では、第１スピーカ出力系統と第２スピーカ出力系統をそれぞれ１個ずつ有するＡＶアンプ３を用いた音響システムについて説明したが、本発明は、ＡＶアンプ３の第１スピーカ出力系統と第２スピーカ出力系統をそれぞれ複数個ずつ備えたＡＶアンプ３を用いた音響システムにも適用することができる。すなわち、本発明は、複数個のスピーカ出力系統を備え、このうちの少なくとも１組の出力系統がＩＥ3１３９４Ｉ／Ｆからのオーディオデータを再生可能な第１スピーカ出力系統とＩＥ3１３９４Ｉ／Ｆからのオーディオデータを再生できない第２スピーカ出力系統とで構成されるＡＶアンプを用いた音響システムに適用することができる。
【図面の簡単な説明】
【０１３０】
【図１】本発明に係る音響システムの一実施形態を示す要部ブロック図である。
【図２】ＤＶＤプレーヤにおけるＩＥ3１３９４セレクタの切換制御に関する処理手順を示すフローチャートである。
【図３】ＡＶアンプにおけるＩＥ3１３９４セレクタの切換制御に関する処理手順を示すフローチャートである。
【図４】従来の課題を一般化して説明するための音響システムの基本構成を示すブロック図である。
【図５】ＡＶアンプの第１スピーカ出力系統に接続されたプレーヤのオーディオ信号の出力形式が第１スピーカ出力系統で再生処理可能な形式でない場合の一例を示す図である。
【図６】ＡＶアンプの第２スピーカ出力系統に接続されたプレーヤのオーディオ信号の出力形式が第２スピーカ出力系統で再生処理可能な形式でない場合の一例を示す図である。
【符号の説明】
【０１３１】
１  音響システム
２Ａ，２Ｂ  ＤＶＤプレーヤ
２０１  ディスク読取部
２０２  ＤＳＰ
２０３  ＤＳＤデコーダ
２０４  ＩＥ3１３９４セレクタ
２０５  通信制御部（ＩＥ3１３９４マイコン）
２０６  ＩＥ3１３９４Ｉ／Ｆ
２０７  アナログ出力端子
２０８  デジタル出力端子
２０９  制御部（ＤＶＤシステムマイコン）
２１０  制御端子
２１１  操作部
３  ＡＶアンプ
３０１  ＩＥ3１３９４Ｉ／Ｆ
３０２  ＩＥ3１３９４マイコン
３０３  ＩＥ3１３９４セレクタ
３０４  ＩＥ3１３９４デコーダ
３０５  アナログ入力端子
３０６  アナログ入力セレクタ
３０７  デジタル入力端子
３０８  デジタル入力セレクタ
３０９  制御端子
３１０  第１入力セレクタ
３１１  第１ＤＳＰ
３１２  第１アンプ
３１３  第１スピーカ出力端子
３１４  第２入力セレクタ
３１５  第２ＤＳＰ
３１６  第２アンプ
３１７  第２スピーカ出力端子
３１８  制御部（ＡＶシステムマイコン）
３１９  操作部
４Ａ，４Ｂ  スピーカシステム
【図１】
2006120195.tif 000005
【図２】
2006120195.tif 000006
【図３】
2006120195.tif 000007
【図４】
2006120195.tif 000008
【図５】
2006120195.tif 000009
【図６】
2006120195.tif 000010
【手続補正書】
【提出日】平成17年4月28日(2005.4.28)
【手続補正１】
【補正対象書類名】特許請求の範囲
【補正対象項目名】請求項５
【補正方法】変更
【補正の内容】
【請求項５】
前記音声出力制御装置は、
前記第２の入力選択手段に前記ディスク再生装置から出力される音声データが前記第１の信号形式であるか否かを判別する第２の判別手段と、
前記第２の判別手段により前記ディスク再生装置から出力される音声データが前記第１の信号形式であると判別されると、前記ディスク読取部で読み取られた音声データを前記第２の信号形式で出力させるコマンドを前記ディスク再生装置の出力選択制御手段に送信する第２のコマンド送信手段と、
を更に備え、
前記ディスク再生装置の出力選択制御手段は、更に前記第２のコマンド送信手段から送信されたコマンドに従って前記出力選択手段の選択動作を制御することを特徴とする、請求項４に記載の音響システム。
【手続補正２】
【補正対象書類名】明細書
【補正対象項目名】全文
【補正方法】変更
【補正の内容】
【発明の詳細な説明】
【技術分野】
【０００１】
本発明は、ＩＥＥＥ１３９４インターフェース（以下、ＩＥ3１３９４Ｉ／Ｆという。）により相互にオーディオ信号の送受が可能なＤＶＤなどのディスク再生装置とこのディスク再生装置から入力されたオーディオ信号を増幅してスピーカに出力するＡＶ（Audio Video）アンプとからなる音響システムに関する。
【背景技術】
【０００２】
従来、システムの構成要素であるＡＶアンプとディスク再生装置との間をＩＥＥＥ１３９４Ｉ／Ｆにより接続した構成の音響システムや、ＡＶアンプに異なる部屋に配置された２以上のスピーカシステムを接続し、各部屋でそれぞれ音楽を楽しむことのできる音響システムは、例えば特開平１１−３５５３２６号公報や特開２００３−２５９４６７号公報に示されるように、周知である。
【０００３】
また、従来、音響システムの音源側のコンポーネントであるプレーヤには、ＤＶＤ（Digital Versatile Disc）、ＣＤ（Compact Disc）、ＳＡＣＤ（Super Audio CD）などの複数種類のディスクに記録されたデータ（デジタルオーディオデータ）の読取りが可能になされ、その読取データを直接デジタル出力端子から出力するデジタル出力経路と、その読取データをアナログ信号に変換してアナログ出力端子から出力するアナログ出力経路と、その読取データをＩＥ3１３９４規格に準拠した伝送データ（以下、ＩＥ3１３９４伝送データという。）に変換してＩＥ3１３９４Ｉ／Ｆから出力するＩＥ3１３９４出力経路を備えたものが知られている。
【０００４】
このようなプレーヤは、具体的には、ディスクの記録データを読み取る機能を果すディスク読取部と、読取データをアナログ信号に変換する処理を行うＤＳＰ（Digital Signal Processor）と、ＳＡＣＤから読み取られたＤＳＤ（Direct Stream Digital）方式のオーディオデータの再生処理を行うＤＳＤデコーダと、読取データ（ＳＡＣＤの場合は、ＤＳＤデコーダでデコードされたデータ）をＩＥ3１３９４Ｉ／Ｆにより出力するか否かを選択設定するＩＥ3１３９４セレクタを備えている。
【０００５】
そして、デジタル出力経路ではディスクの読取データが直接デジタル出力端子から出力され、アナログ出力経路では、ディスクがＳＡＣＤでない場合は読取データがＤＳＰを介して、また、ディスクがＳＡＣＤの場合はＩＥ3１３９４セレクタがＩＥ3１３９４Ｉ／Ｆにより出力しない設定がされているときにＤＳＤデコーダ及びＩＥ3１３９４セレクタを介して、それぞれアナログ出力端子から出力され、ＩＥ3１３９４出力経路ではＩＥ3１３９４セレクタが読取データをＩＥ3１３９４Ｉ／Ｆにより出力する設定がされているときに、ディスクの読取データがＤＳＤデコーダ及びＩＥ3１３９４セレクタを介してＩＥ3１３９４Ｉ／Ｆから出力されるように構成されている。
【０００６】
また、ＩＥ3１３９４セレクタの設定はユーザによる操作部の操作により切換可能になされ、「ＩＥ3１３９４  ＯＮ」に設定されると、ディスクの読取データはＩＥ3１３９４Ｉ／Ｆから出力される状態となり、「ＩＥ3１３９４  ＯＦＦ」に設定されると、ディスクの読取データはＩＥ3１３９４Ｉ／Ｆから出力されない状態となる。
【０００７】
プレーヤにおけるＩＥ3１３９４の設定状態と各出力端子から出力される信号に基づく再生可否との関係を示すと、下記表１のようになり、プレーヤに装着されたディスクがＳＡＣＤの場合は、ＩＥ3１３９４セレクタが「ＩＥ3１３９４  ＯＮ」に設定されていると、後段に接続されるＡＶアンプではＩＥ3１３９４Ｉ／Ｆによってデジタルオーディオデータを受信しなければ音声出力はできず、ＩＥ3１３９４セレクタが「ＩＥ3１３９４  ＯＦＦ」に設定されていると、ＡＶアンプではアナログ入力端子からアナログ信号が入力されなければ、音声出力はできない。
【０００８】
【表１】
2006120195.tif 000011
【０００９】
音響システムの音声出力側のコンポーネントであるスピーカには、サラウンドシステムに対応した周波数帯域の異なる複数個のスピーカ（一般的な５．1チャンネルサラウンドシステムでは６個）からなるスピーカシステムが知られている。
【００１０】
また、プレーヤとスピーカとの間に介在されるコンポーネントのＡＶアンプには、上記した種類のプレーヤと上記したスピーカシステムとをそれぞれ複数個、接続可能になされたものが知られている。具体的には、複数個のデジタル入力端子と、複数個のアナログ入力端子と、ＩＥ3１３９４Ｉ／Ｆからなる入力端子群と、複数組のマルチチャンネル用スピーカ出力端子からなる出力端子群と、入力端子群の各入力端子と出力端子群の各マルチチャンネル用スピーカ出力端子との信号経路を切換設定するとともに、デジタルオーディオデータのアナログオーディオ信号への変換や信号レベルの増幅などの所定の信号処理を行うオーディオ信号処理部とを備えたＡＶアンプが知られている。
【００１１】
例えば、２組のマルチチャンネルに対応したスピーカ出力端子を備えるとともに、一方のスピーカ出力端子にはデジタル入力端子、アナログ入力端子及びＩＥ3１３９４Ｉ／Ｆから入力されるデジタルオーディオデータ及びアナログオーディオ信号を選択的に切り換えて出力することができる第１のオーディオ信号処理部（以下、この第１のオーディオ信号処理部を通る信号の出力系統を第１スピーカ出力系統という。）を備え、他方のスピーカ出力端子にはデジタル入力端子及びアナログ入力端子から入力されるデジタルオーディオデータ及びアナログオーディオ信号を選択的に切り換えて出力することができる第２のオーディオ信号処理部（以下、この第２のオーディオ信号処理部を通る信号の出力系統を第２スピーカ出力系統という。）を備えたＡＶアンプが知られている。
【００１２】
この種のＡＶアンプもプレーヤと同様のＩＥ3１３９４セレクタを備え、更に第１のオーディオ信号処理部にはデジタル入力端子、アナログ入力端子及びＩＥ3１３９４Ｉ／Ｆのいずれかから入力されるデジタルオーディオデータ又はアナログオーディオ信号を選択するための第１入力セレクタが設けられ、第２のオーディオ信号処理部にはデジタル入力端子及びアナログ入力端子のいずれかから入力されるデジタルオーディオデータ又はアナログオーディオ信号を選択するための第２入力セレクタが設けられ、これらの入力セレクタの設定はユーザによる操作部の操作により切換可能になされている。
【００１３】
このようなＡＶアンプでは、音源として、上述した種類のプレーヤが例えば２台接続されていると、第１，第２入力セレクタの設定によって、一方のプレーヤからのオーディオ出力を第１，第２スピーカ出力系統を通して、互いに異なる部屋に設置された２組のスピーカシステムに同時に出力したり、一方のプレーヤからのオーディオ出力を第１スピーカ出力系統を通して一方のスピーカシステムに出力し、他方のプレーヤからのオーディオ出力を第２スピーカ出力系統を通して他方のスピーカシステムに出力したりすることができる。
【００１４】
【特許文献１】特開平１１−３５５３２６号公報
【特許文献２】特開２００３−２５９４６７号公報
【非特許文献１】ＡＶレシーバーＴＸ−ＤＳ９８９カタログ（ＵＳ向け、オンキョー株式会社、カタログＮＯ．２ＫＣ０５  ２０ページ）
【発明の開示】
【発明が解決しようとする課題】
【００１５】
ところで、上記した２台のプレーヤと１台のＡＶアンプと２組のスピーカシステムからなる音響システムでは、第１スピーカ出力系統にはＩＥ3１３９４Ｉ／Ｆから入力されたデジタルオーディオデータは入力されるが、第２スピーカ出力系統にはＩＥ3１３９４Ｉ／Ｆから入力されたデジタルオーディオデータは入力されない構成であるので、下記表２に示すように、第２スピーカ出力系統では当該オーディオデジタルデータを再生できないので、例えば２組のスピーカシステムから別々に異なるプレーヤの再生音を出力する場合、第２スピーカ出力系統に対して音源となるプレーヤのＩＥ3１３９４セレクタが「ＩＥ3１３９４  ＯＮ」に設定され、かつ、セットされたディスクがＳＡＣＤであると、このＳＡＣＤの再生音を第２スピーカ出力系統を通してスピーカシステムから出力させることはできない、という不都合が生じる。
【００１６】
【表２】
2006120195.tif 000012
【００１７】
また、２組のスピーカシステムから同時に同一のプレーヤの再生音を出力する場合であっても、第１，第２スピーカ出力系統に対して音源となるプレーヤのＩＥ3１３９４セレクタが「ＩＥ3１３９４  ＯＮ」に設定され、かつ、セットされたディスクがＳＡＣＤであれば、当然に第２スピーカ出力系統に接続されるスピーカシステムからは再生音を出力させることはできない。
【００１８】
図４は、上記問題をより一般化して説明するための音響システムの基本構成を示すブロック図である。
【００１９】
図４に示す構成では、２台のプレーヤ５００Ａ，５００Ｂは、それぞれ３種類の信号形式でオーディオ信号を同時に出力することができるようになっている。但し、ＳＡＣＤのような特定のディスクに対してはセレクタ５０１により信号形式Ａ又はＢのいずれかしか選択的に出力できないようになっている。一方、ＡＶアンプ６００は、第１音声出力処理部６０１に対しては、第１入力セレクタ６０２により２台のプレーヤ５００Ａ，５００Ｂからそれぞれ入力される３種類の信号形式Ａ，Ｂ，Ｃのオーディオ信号の中から１のオーディオ信号を選択して第１スピーカシステム７０１から再生することができ、第２音声出力処理部６０３に対しては、第２入力セレクタ６０４により２台のプレーヤ５００Ａ，５００Ｂからそれぞれ入力される２種類の信号形式Ｂ，Ｃのオーディオ信号の中から１のオーディオ信号を選択して第２スピーカシステム７０２から再生することができるようになっている。
【００２０】
ＡＶアンプ６００の第１音声出力処理部６０１は第１スピーカシステム７０１にだけ接続され、第２音声出力処理部６０３は第２スピーカシステム７０２にだけ接続されているから、第１入力セレクタ６０２は第１スピーカシステム７０１に対する音源を選択し、第２入力セレクタ６０４は第２スピーカシステム７０１に対する音源を選択するものとなっている。
【００２１】
第１入力セレクタ６０２に対しては、プレーヤ５００Ａの出力端子５０２，５０３，５０４からそれぞれ出力されるオーディオ信号Ａ１，Ｂ１，Ｃ１とプレーヤ５００Ｂの出力端子５０２，５０３，５０４からそれぞれ出力されるオーディオ信号Ａ２，Ｂ２，Ｃ２の６種類のオーディオ信号が入力され、第２入力セレクタ６０４に対しては、プレーヤ５００Ａの出力端子５０３，５０４からそれぞれ出力されるオーディオ信号Ｂ１，Ｃ１とプレーヤ５００Ｂの出力端子５０３，５０４からそれぞれ出力されるオーディオ信号Ｂ２，Ｃ２の４種類のオーディオ信号が入力されているので、プレーヤ５００Ａ，５００Ｂに装着されたディスクが特定のディスクでなければ、第１スピーカシステム７０１に対する音源としてプレーヤ５００Ａが選択されたとしても、第２スピーカシステム７０２に対する音源としてプレーヤ５００Ｂを選択することができ、その逆の場合も同様に第１，第２スピーカシステム７０１，７０２に対してそれぞれプレーヤ５００Ａ，５００Ｂを選択することができる。
【００２２】
しかしながら、プレーヤ５００Ａ，５００Ｂのいずれか一方若しくは両方に装着されたディスクが特定のディスクの場合は、上記のように第１，第２スピーカシステム７０１，７０２に対してそれぞれプレーヤ５００Ａ，５００Ｂを選択できない場合が生じる。
【００２３】
例えばプレーヤ５００Ａのみに特定のディスクが装着されている場合、図５に示すように、プレーヤ５００Ａのセレクタ５０１が信号形式Ｂの出力に設定されている状態でＡＶアンプ６００の第１入力セレクタ６０２でオーディオ信号Ａ１が選択されると、第１スピーカシステム７０１からはプレーヤ５００Ａを再生することはできない。
【００２４】
また、プレーヤ５００Ａ，５００Ｂの両方に特定のディスクが装着されている場合、図６に示すように、プレーヤ５００Ａ，５００Ｂのセレクタ５０１がいずれも信号形式Ａの出力に設定され、ＡＶアンプ６００の第１入力セレクタ６０２でオーディオ信号Ａ１が選択され、第２入力セレクタ６０４でオーディオ信号Ｂ２が選択されると、第１スピーカシステム７０１からはプレーヤ５００Ａを再生できるが、第２スピーカシステム７０２からはプレーヤ５００Ｂを再生することはできない。
【００２５】
ＡＶアンプ６００での第１入力セレクタ６０２及び第２入力セレクタ６０４の設定は、ユーザが第１スピーカシステム７０１及び第２スピーカシステム７０２からそれぞれいずれの音源を再生するかを設定するものであるから、第１入力セレクタ６０２及び第２入力セレクタ６０４の設定に対して各セレクタへの入力には、ユーザの希望とする種類のオーディオ信号が入力されることが望ましいが、図５及び図６のケースでは、ユーザの希望とする種類のオーディオ信号が入力されないので、ユーザは、プレーヤ５００Ａ，５００Ｂのセレクタ５０１の設定状態を希望とする信号形式に変更せざるを得ない。
【００２６】
すなわち、ユーザは、図５のケースでは、プレーヤ５００Ａからオーディオ信号Ａ１が出力されるようにセレクタ５０１の設定を変更しなければならず、図６のケースでは、プレーヤ５００Ｂからオーディオ信号Ｂ２が出力されるようにセレクタ５０１の設定を変更しなければならない。
【００２７】
上記のように、ＡＶアンプを用いた音響システムでは、ユーザは、プレーヤ５００Ａ，５００Ｂにディスクをセットする毎にプレーヤ５００Ａ，５００Ｂのオーディオ信号の出力形式がＡＶアンプ６００の各プレーヤに対応する第１音声出力処理部６０１又は第２音声出力処理部６０３の要求するオーディオ信号の入力形式と合致するように、プレーヤ５００Ａ，５００Ｂのオーディオ信号の出力形式を調整するための操作をしなければならず、その操作が煩わしいものとなっていた。
【００２８】
なお、ＡＶアンプ６００の第１音声出力処理部６０１と第２音声出力処理部６０３を同一の構成とし、第１，第２音声出力処理部６０１，６０３に対してそれぞれプレーヤ５００Ａ，５００Ｂから出力される合計６種類のオーディオ信号を選択可能にＡＶアンプ６００を構成すれば、上記の問題が生じることはないが、一般に、第１音声出力処理部６０１及び第１入力セレクタ６０２をメインスピーカ出力系統とし、第２音声出力処理部６０３及び第２入力セレクタ６０４をサブスピーカ出力系統とするように、用途に応じてスピーカ出力系統に主従の関係を設けてＡＶアンプ６００の構成の簡素化及び低コスト化を図りながら、高機能化を図ることが多く、このような場合には上記の問題を避けることはできない。
【００２９】
本発明は、上記した課題に鑑みてなされたものであり、プレーヤにセットされたディスクの種類に応じてユーザがそのディスクの出力系統を調整することなく、当該ディスクの再生音をスピーカシステムから確実に出力させることのできる音響システム、この音響システムに適用されるディスク再生装置及び音声出力制御装置を提供することを目的とする。
【課題を解決するための手段】
【００３０】
請求項１に記載の発明は、ディスクに記録された音声データを読み取るディスク読取部と、前記音声データを第１の信号形式で出力する第１の信号出力手段と、前記音声データを前記第１の信号形式とは異なる第２の信号形式で出力する第２の信号出力手段と、前記ディスク読取部で読み取られた音声データを前記第１，第２の信号形式のいずれかの形式で出力させる出力選択手段と、前記出力選択手段の選択動作を制御する出力選択制御手段と、を備えたディスク再生装置と、前記第１の信号形式の音声データが入力される第１の信号入力手段と、前記第２の信号形式の音声データが入力される第２の信号入力手段と、前記第１の信号形式又は前記第２の信号形式の音声データを再生し、発音手段に出力する音声出力処理手段と、前記第１，第２の信号入力手段から入力される複数の音声データから１の音声データを選択して前記音声出力処理手段に入力する入力選択手段と、前記入力選択手段の選択動作を制御する入力選択制御手段と、を備えた音声出力制御装置と、からなる音響システムであって、前記ディスク再生装置は、前記第１の信号出力手段と前記第１の信号入力手段との間でデータの送受信が可能になっているか否かを判別する判別手段を更に備え、前記出力選択制御手段は、前記第１の信号出力手段と前記第１の信号入力手段との間で音声データの送受信が可能になっているときは、前記ディスク読取部で読み取られた音声データを前記第１の信号形式で出力させ、前記第１の信号出力手段と前記第１の信号入力手段との間でデータの送受信が可能になっていないときは、前記ディスク読取部で読み取られた音声データを前記第２の信号形式で出力させるように、前記出力選択手段の選択動作を制御することを特徴とする。
【００３１】
なお、請求項１に記載の発明において、前記第１の信号形式は、ＩＥＥＥ１３４９に準拠した信号形式であり、前記第２の信号形式はアナログオーディオ信号にするとよい（請求項２）。
【００３２】
請求項３に記載の発明は、ディスクに記録された音声データを読み取るディスク読取部と、前記音声データを第１の信号形式で出力する第１の信号出力手段と、前記音声データを前記第１の信号形式とは異なる第２の信号形式で出力する第２の信号出力手段と、前記ディスク読取部で読み取られた音声データを前記第１，第２の信号形式のいずれかの形式で出力させる出力選択手段と、前記第１の信号出力手段と、音声出力制御装置の前記第１の信号形式の音声データが入力される第１の信号入力手段との間で、データの送受信が可能になっているか否かを判別する判別手段と、前記第１の信号出力手段と前記第１の信号入力手段との間でデータの送受信が可能になっているときは、前記ディスク読取部で読み取られた音声データを前記第１の信号形式で出力させ、前記第１の信号出力手段と前記第１の信号入力手段との間でデータの送受信が可能になっていないときは、前記ディスク読取部で読み取られた音声データを前記第２の信号形式で出力させるように、前記出力選択手段の選択動作を制御する出力選択制御手段とを備えたことを特徴とする、ディスク再生装置である。
【００３３】
請求項４に記載の発明は、ディスクに記録された音声データを読み取るディスク読取部と、前記音声データを第１の信号形式で出力する第１の信号出力手段と、前記音声データを前記第１の信号形式とは異なる第２の信号形式で出力する第２の信号出力手段と、前記ディスク読取部で読み取られた音声データを前記第１，第２の信号形式のいずれかの形式で出力させる出力選択手段と、前記出力選択手段の選択動作を制御する出力選択制御手段とを備えた複数のディスク再生装置と、前記第１の信号出力手段から出力される音声データを含む、複数の前記第１の信号形式の音声データが入力される第１の信号入力手段と、前記第２の信号出力手段から出力される音声データを含む、複数の前記第２の信号形式の音声データが入力される第２の信号入力手段と、前記第１の信号形式又は前記第２の信号形式の音声データを再生し、第１の発音手段に出力する第１の音声出力処理手段と、前記第２の信号形式の音声データを再生し、第２の発音手段に出力する第２の音声出力処理手段と、前記第１，第２の信号入力手段から入力される複数の音声データから１の音声データを選択して前記第１の音声出力処理手段に入力する第１の入力選択手段と、前記第２の信号入力手段から入力される複数の音声データから１の音声データを選択して前記第２の音声出力処理手段に入力する第２の入力選択手段と、前記第１，第２の入力選択手段の選択動作を制御する入力選択制御手段とを備えた音声出力制御装置と、からなる音響システムであって、前記音声出力制御装置は、前記第１の入力選択手段により前記第１の信号入力手段から入力される音声データのうち、前記ディスク再生装置の第１の信号出力手段から出力される音声データが選択されているか否かを判別する判別手段と、前記判別手段により前記ディスク再生装置の第１の信号出力手段から出力される音声データが選択されていると判別されると、前記ディスク読取部で読み取られた音声データを前記第１の信号形式で出力させるコマンドを前記ディスク再生装置の出力選択制御手段に送信し、前記判別手段により前記ディスク再生装置の第１の信号出力手段から出力される音声データが選択されていないと判別されると、前記ディスク読取部で読み取られた音声データを前記第２の信号形式で出力させるコマンドを前記ディスク再生装置の出力選択制御手段に送信するコマンド送信手段とを備え、前記ディスク再生装置の前記出力選択制御手段は、前記コマンド送信手段から送信されたコマンドに従って前記出力選択手段の選択動作を制御することを特徴とする。
【００３４】
なお、請求項４に記載の発明において、前記音声出力制御装置は、前記第２の入力選択手段により前記第２の信号入力手段から入力される音声データのうち、前記ディスク再生装置から出力される音声データが選択されているか否かを判別する第２の判別手段と、前記第２の判別手段により前記ディスク再生装置から出力される音声データが選択されていると判別されると、前記ディスク読取部で読み取られた音声データを前記第２の信号形式で出力させるコマンドを前記ディスク再生装置の出力選択制御手段に送信する第２のコマンド送信手段とを更に備え、前記ディスク再生装置の前記出力選択制御手段は、更に前記第２のコマンド送信手段から送信されたコマンドに従って前記出力選択手段の選択動作を制御するとよい（請求項５）。
【００３５】
また、請求項４又は５に記載の発明において、前記第１の信号形式は、ＩＥＥＥ１３４９に準拠した信号形式であり、前記第２の信号形式はアナログオーディオ信号にするとよい（請求項６）。
【００３６】
請求項７に記載の発明は、請求項４〜６のいずれかに記載の音響システムに適用されるディスク再生装置であって、ディスクに記録された音声データを読み取るディスク読取部と、前記音声データを第１の信号形式で出力する第１の信号出力手段と、前記音声データを前記第１の信号形式とは異なる第２の信号形式で出力する第２の信号出力手段と、前記ディスク読取部で読み取られた音声データを前記第１，第２の信号形式のいずれかの形式で出力させる出力選択手段と、前記音声出力制御装置のコマンド送信手段から送信されたコマンドに従って前記出力選択手段の選択動作を制御する出力選択制御手段とを備えたことを特徴とする。
【００３７】
請求項８に記載の発明は、請求項５に記載の音響システムに適用されるディスク再生装置であって、ディスクに記録された音声データを読み取るディスク読取部と、前記音声データを第１の信号形式で出力する第１の信号出力手段と、前記音声データを前記第１の信号形式とは異なる第２の信号形式で出力する第２の信号出力手段と、前記ディスク読取部で読み取られた音声データを前記第１，第２の信号形式のいずれかの形式で出力させる出力選択手段と、前記音声出力制御装置の前記コマンド送信手段及び第２のコマンド送信手段から送信されたコマンドに従って前記出力選択手段の選択動作を制御する出力選択制御手段と、を備えたことを特徴とする。
【００３８】
請求項９に記載の発明は、ディスク再生装置の第１の信号出力手段から出力される第１の信号形式の音声データが入力される第１の信号入力手段と、前記ディスク再生装置の第２の信号出力手段から出力される第２の信号形式の音声データが入力される第２の信号入力手段と、前記第１の信号形式又は前記第２の信号形式の音声データを再生し、第１の発音手段に出力する第１の音声出力処理手段と、前記第２の信号形式の音声データを再生し、第２の発音手段に出力する第２の音声出力処理手段と、前記第１，第２の信号入力手段から入力される複数の音声データから１の音声データを選択して前記第１の音声出力処理手段に入力する第１の入力選択手段と、前記第２の信号入力手段から入力される複数の音声データから１の音声データを選択して前記第２の音声出力処理手段に入力する第２の入力選択手段と、前記第１，第２の入力選択手段の選択動作を制御する入力選択制御手段と、前記第１の入力選択手段により前記第１の信号入力手段から入力される音声データのうち、前記ディスク再生装置の第１の信号出力手段から出力される音声データが選択されているか否かを判別する判別手段と、前記判別手段により前記ディスク再生装置の第１の信号出力手段から出力される音声データが選択されていると判別されると、前記ディスク読取部で読み取られた音声データを前記第１の信号形式で出力させるコマンドを前記ディスク再生装置に送信し、前記判別手段により前記ディスク再生装置の第１の信号出力手段から出力される音声データが選択されていないと判別されると、前記ディスク読取部で読み取られた音声データを前記第２の信号形式で出力させるコマンドを前記ディスク再生装置に送信するコマンド送信手段と、を備えたことを特徴とする、音声出力制御装置である。
【００３９】
請求項１０に記載の発明は、請求項９に記載の音声出力制御装置であって、前記第２の入力選択手段に前記ディスク再生装置から出力される音声データが前記第１の信号形式であるか否かを判別する第２の判別手段と、前記第２の判別手段により前記ディスク再生装置から出力される音声データが前記第１の信号形式であると判別されると、前記ディスク読取部で読み取られた音声データを前記第２の信号形式で出力させるコマンドを前記ディスク再生装置に送信する第２のコマンド送信手段と、を更に備えたことを特徴とする。
【発明の効果】
【００４０】
請求項１〜３に記載の発明によれば、ディスク再生装置の第１の信号出力手段と音声出力制御装置の第１の信号入力手段との間で音声データの送受が可能になっているときは、第１の信号形式で音声データを出力させるように、ディスク再生装置の音声データの出力形式が設定され、ディスク再生装置の第１の信号出力手段と音声出力制御装置の第１の信号入力手段との間で音声データの送受が可能になっていないときは、第２の信号形式で音声データを出力させるように、ディスク再生装置の音声データの出力形式が設定されるので、ユーザは、ディスク再生装置から出力される音声データの信号形式を調整することなく、ディスク再生装置からの音声データを確実に音声出力制御装置の第１の音声出力処理手段で再生して第１の発音手段から出力させることができる。
【００４１】
請求項４〜１０に記載の発明によれば、音声出力制御装置から第１の音声出力処理手段の音源として選択されたディスク再生装置に音声データを第１の信号形式で出力させるコマンドを送信し、当該ディスク再生装置から出力される音声データの信号形式を第１の音声出力処理手段で処理可能な形式に変更させるので、請求項１〜３に記載の発明と同様に、ユーザは、ディスク再生装置から出力される音声データの信号形式を調整することなく、ディスク再生装置からの音声データを確実に音声出力制御装置の第１の音声出力処理手段で再生して第１の発音手段から出力させることができる。
【００４２】
また、音声出力制御装置から第２の音声出力処理手段の音源として選択されたディスク再生装置に音声データを第２の信号形式で出力させるコマンドを送信し、当該ディスク再生装置から出力される音声データの信号形式を第２の音声出力処理手段で処理可能な形式に変更させるので、ユーザは、ディスク再生装置から出力される音声データの信号形式を調整することなく、ディスク再生装置からの音声データを確実に音声出力制御装置の第２の音声出力処理手段で再生して第２の発音手段から出力させることができる。
【発明を実施するための最良の形態】
【００４３】
本発明に係る音響システムについて、図面を用いて説明する。
【００４４】
図１は、本発明に係る音響システムの一実施形態を示す要部ブロック図である。
【００４５】
同図に示す、音響システム１は、２個のＤＶＤプレーヤ２Ａ，２Ｂ（ディスク再生装置）と、１個のＡＶアンプ３（音声出力制御装置）と、２組のサラウンドシステムに対応したマルチチャンネル用のスピーカシステム４Ａ，４Ｂとで構成されている。２個のＤＶＤプレーヤ２Ａ，２Ｂは同一の内部構成を有している。また、２組のスピーカシステム４Ａ，４Ｂは同一の構成を有しているが、両スピーカシステム４Ａ，４Ｂは互いに異なる部屋に配置されている。例えば一方のスピーカシステム４Ａはリビングに配置され、他方のスピーカシステム４Ｂは書斎などの別室に配置されている。
【００４６】
スピーカシステム４Ａ，４Ｂは、５．１チャンネルのマルチチャンネルに対応したスピーカシステムで、それぞれフロント左チャンネル用スピーカ（ＦＬ）、センタチャンネル用スピーカ（Ｃ）、フロント右チャンネル用スピーカ（ＦＲ）、サラウンド右チャンネル用スピーカ（ＳＲ）、サラウンド左チャンネル用スピーカ（ＳＬ）及びサラウンド低音用スピーカ（ＳＷ）の６個のスピーカで構成されている。
【００４７】
ＤＶＤプレーヤ２Ａ，２Ｂは、同一の内部構成を有しているので、以下、ＤＶＤプレーヤ２Ａについて説明すると、ＤＶＤプレーヤ２Ａは、ＤＶＤディスクだけでなく、ＣＤ及びＳＡＣＤの各ディスクに記録されたオーディオデータ（デジタルオーディオデータ）の読取りが可能なユニバーサルタイプのプレーヤである。なお、ＤＶＤの場合、画像データも読み取られるが、本発明は、オーディオデータの再生に関するものであるので、以下では専らオーディオデータについて説明する。
【００４８】
ＤＶＤプレーヤ２Ａは、ディスク読取部２０１、ＤＳＰ２０２、ＤＳＤデコーダ２０３、ＩＥ3１３９４出力セレクタ２０４、通信制御部２０５（以下、ＩＥ3１３９４マイコン２０５という。）、ＩＥ3１３９４Ｉ／Ｆ２０６、アナログ出力端子２０７、デジタル出力端子２０８、制御部２０９（以下、ＤＶＤシステムマイコン２０９という。）、制御端子２１０及び操作部２１１を備えている。
【００４９】
ＩＥ3１３９４Ｉ／Ｆ２０６は、所定のＩＥ3１３９４ケーブルによりＡＶアンプ３のＩＥ3１３９４Ｉ／Ｆ３０１に接続されている。また、アナログ出力端子２０７は、ＡＶアンプ３のアナログ入力端子３０５に同軸線路などの電気信号線路により接続され、デジタル出力端子２０８は、ＡＶアンプ３のデジタル入力端子３０７にオプティカル線路若しくは同軸線路などの電気信号線路により接続されている。また、制御端子２１０は、ＡＶアンプ３の制御端子３０９に同軸線路などの電気信号線路により接続されている。
【００５０】
ディスク読取部２０１はディスクに記録されたデータを読み取る部分である。ディスク読取部２０１はディスクを装着脱するための機構、装着されたディスクを所定の速度で回転させる駆動機構、回転中のディスクの記録面にレーザ光を照射し、その反射光からオーディオデータ（デジタルデータ）を読み出す光学機構、及びこれらの機械的機構や光学機構の動作を制御する制御部を備えている。ディスク読取部２０１によるディスクの読取動作はＤＶＤシステムマイコン２０９によって制御される。
【００５１】
ユーザが操作部２１１を操作して「ディスクの再生」を指示すると、ＤＶＤシステムマイコン２０９はディスク読取部２０１の制御部にディスクの読取りを指令する制御信号を出力し、この制御信号を受けて制御部は上記の機械的機構及び光学機構の動作を制御して装着されたディスクからオーディオデータを読み取る。ディスク読取部２０１で読み取られたデータは、ＤＳＰ２０２及びＤＳＤデコーダ２０３に入力されるとともに、デジタル出力端子２０８からオプティカル線路若しくは同軸線路の信号線を介してＡＶアンプ３に入力される。
【００５２】
ＤＳＰ２０２は、ディスク読取部２０１から入力されるディスクの読取データ（デジタルオーディオデータ）をアナログオーディオ信号にデコードするものである。なお、ＤＶＤやＣＤに記録された音声データが５．１チャンネルのサラウンド音声データの場合は、ＤＳＰ２０２は、各チャンネルに対応した周波数特性を有するアナログオーディオ信号（すなわち、６種類のアナログオーディオ信号）にデコードする。ＤＳＰ２０２から出力されるアナログオーディオ信号は、アナログ出力端子２０７から同軸線路などの信号線を介してＡＶアンプ３に入力される。
【００５３】
ＤＳＤデコーダ２０３は、ＤＳＤ方式のオーディオデータをアナログオーディオ信号にデコードするものである。本実施形態では、ディスク読取部２０１から入力されるデジタルオーディオデータのうち、ＤＳＤ方式のデータはＳＡＣＤを読み取ったデータだけであるので、実質的にＤＳＤデコーダ２０３はＳＡＣＤの読取データに対する専用のデコーダとなっている。
【００５４】
なお、ＤＳＤデコーダ２０３には、ＤＶＤやＣＤの読取データも入力されるが、これらの読取データはＤＳＤ方式ではないので、ディスクがＤＶＤやＣＤの場合は、ＤＳＤデコーダ２０３ではデコード処理は行われず、そのまま入力信号を出力するスルー処理が行われる。すなわち、ＤＳＤデコーダ２０３の動作はＤＶＤシステムマイコン２０９によって制御され、ＤＶＤシステムマイコン２０９はディスク読取部２０１からディスクがＳＡＣＤの場合は、ＤＳＤデコーダ２０３にデコード処理を行わせ、ディスクがＳＡＣＤでない場合は、ＤＳＤデコーダ２０３にスルー処理を行わせる。ＤＳＤデコーダ２０３から出力されるデータは、ＩＥ3１３９４出力セレクタ２０４に入力される。
【００５５】
ＩＥ3１３９４出力セレクタ２０４は、ＤＳＤデコーダ２０３からのアナログオーディオ信号の出力先をＩＥ3１３９４Ｉ／Ｆ２０６とアナログ出力端子２０７との間で切り換えるものである。ＩＥ3１３９４出力セレクタ２０４は、「ＩＥ3１３９４  ＯＮ」に設定されると、ＤＳＤデコーダ２０３から入力されるアナログオーディオ信号をＩＥ3１３９４規格に準拠した伝送データ（以下、ＩＥ3１３９４伝送データという。）に変換してＩＥ3１３９４Ｉ／Ｆ２０６に出力し、「ＩＥ3１３９４  ＯＦＦ」に設定されると、ＤＳＤデコーダ
２０３から入力されるアナログオーディオ信号をアナログ出力端子２０７に出力する。
【００５６】
ＩＥ3１３９４出力セレクタ２０４の設定はユーザの操作部２１１の操作により選択可能になっている。ユーザが操作部２１１により「ＩＥ3１３９４  ＯＮ」の設定を指示する操作を行うと、ＤＶＤシステムマイコン２０９からその指示内容がディスク読取部２０１に入力され、ディスク読取部２０１の制御部によってＩＥ3１３９４出力セレクタ２０４が「ＩＥ3１３９４  ＯＮ」に設定される。同様にユーザが操作部２１１により「ＩＥ3１３９４  ＯＦＦ」の設定を指示する操作を行うと、ＤＶＤシステムマイコン２０９からその指示内容がディスク読取部２０１に入力され、ディスク読取部２０１の制御部によってＩＥ3１３９４出力セレクタ２０４が「ＩＥ3１３９４  ＯＦＦ」に設定される。
【００５７】
ＩＥ3１３９４出力セレクタ２０４が「ＩＥ3１３９４  ＯＮ」に設定されているときは、ＩＥ3１３９４出力セレクタ２０４からＩＥ3１３９４伝送データが出力され、そのＩＥ3１３９４伝送データは、ＩＥ3１３９４Ｉ／Ｆ２０６からＡＶアンプ３に入力される。
【００５８】
一方、ＩＥ3１３９４出力セレクタ２０４が「ＩＥ3１３９４  ＯＦＦ」に設定されているときは、ＩＥ3１３９４出力セレクタ２０４からは入力されたデジタルオーディオデータ若しくはアナログオーディオ信号（ＤＳＤデコーダによってデコードされた信号）がそのまま出力され、そのデジタルオーディオデータ若しくはアナログオーディオ信号はアナログ出力端子２０７からＡＶアンプ３に出力される。
【００５９】
ディスクがＳＡＣＤの場合は、ＩＥ3１３９４出力セレクタ２０４が「ＩＥ3１３９４  ＯＮ」に設定されていると、ＳＡＣＤの読取データはＤＳＤデコーダ２０３、ＩＥ3１３９４出力セレクタ２０４及びＩＥ3１３９４Ｉ／Ｆ２０６を介してＩＥ3１３９４伝送データの形式でＡＶアンプ３に入力される。この場合は、ＡＶアンプ３では、ＤＳＤ方式のデータをデコードできない構成であるので、後述するように、アナログ出力端子２０７から入力される信号及びデジタル出力端子２０８から入力されるデータはスピーカシステム４Ａ又は４Ｂから音声出力されず、ＩＥ3１３９４伝送データのみがスピーカシステム４Ａ又は４Ｂから音声出力される。
【００６０】
一方、ＩＥ3１３９４出力セレクタ２０４が「ＩＥ3１３９４  ＯＦＦ」に設定されていると、ＳＡＣＤの読取データはＤＳＤデコーダ２０３、ＩＥ3１３９４出力セレクタ２０４及びアナログ出力端子２０７を介してＡＶアンプ３にアナログオーディオ信号で入力される。この場合は、ＡＶアンプ３では、後述するように、ＩＥ3１３９４Ｉ／Ｆ２０６及びデジタル出力端子２０８から入力されるデータはスピーカシステム４Ａ又は４Ｂから音声出力されず、アナログオーディオ信号のみがスピーカシステム４Ａ又は４Ｂから音声出力される。
【００６１】
また、ディスクがＤＶＤまたはＣＤの場合は、ＩＥ3１３９４出力セレクタ２０４が「ＩＥ3１３９４  ＯＮ」に設定されていると、ＤＶＤまたはＣＤの読取データはＤＳＤデコーダ２０３、ＩＥ3１３９４出力セレクタ２０４及びＩＥ3１３９４Ｉ／Ｆ２０６を介してＩＥ3１３９４伝送データの形式でＡＶアンプ３に入力されるとともに、ＤＳＰ２０２及びアナログ出力端子２０７を介してＡＶアンプ３に入力され、更にデジタル出力端子２０８を介してもＡＶアンプ３に入力される。この場合は、ＡＶアンプ３では、ＩＥ3１３９４Ｉ／Ｆ２０６及びデジタル出力端子２０８から入力されるデータとアナログ出力端子２０７から入力される信号はいずれもスピーカシステム４Ａ又は４Ｂから音声出力可能であるので、３つのオーディオ入力の中から選択された２つのオーディオ入力がスピーカシステム４Ａ又は４Ｂから音声出力される。
【００６２】
また、ＩＥ3１３９４出力セレクタ２０４が「ＩＥ3１３９４  ＯＦＦ」に設定されていると、ＤＶＤまたはＣＤの読取データはＤＳＰ２０２及びアナログ出力端子２０７を介してＡＶアンプ３に入力されるとともに、デジタル出力端子２０８を介してＡＶアンプ３に入力される。この場合は、ＡＶアンプ３では、２つのオーディオ入力がスピーカシステム４Ａ，４Ｂから音声出力される。
【００６３】
ＩＥ3１３９４Ｉ／Ｆ２０６は、デジタルオーディオデータをＩＥ3１３９４規格に基づく伝送方式で外部に出力するためのインターフェースである。
【００６４】
ＩＥ3１３９４マイコン２０５は、ＡＶアンプ３のＩＥ3１３９４マイコン３０２との間でＩＥ3１３９４規格に基づくデータの送受に関する制御するもので、マイクロコンピュータで構成されている。ＩＥ3１３９４マイコン２０５は、ＩＥ3１３９４Ｉ／Ｆ２０６の物理的な接続状態の確認、ＡＶアンプ３のＩＥ3１３９４マイコン３０２との間でデータの送受を行うための認証、データ送受時のフローレートの制御などを行う。ＩＥ3１３９４マイコン２０５によるＩＥ3１３９４伝送データの送受に関する制御は、ＤＶＤシステムマイコン２０９により制御される。
【００６５】
すなわち、ＤＶＤプレーヤ２ＡのＩＥ3１３９４Ｉ／Ｆ２０６からＩＥ3１３９４伝送データを出力するときは、ＤＶＤシステムマイコン２０９からＩＥ3１３９４マイコン２０５にＩＥ3１３９４Ｉ／Ｆ２０６の物理的な接続状態の確認指令やデータ送受を可能にする認証指令が出力され、ＩＥ3１３９４マイコン２０５はこれらの指令に基づいてＩＥ3１３９４Ｉ／Ｆ２０６の物理的な接続状態の確認処理やデータ送受を可能にする認証処理を行なう。その後、ＤＶＤシステムマイコン２０９からＩＥ3１３９４マイコン２０５にＩＥ3１３９４Ｉ伝送データの出力指令が出力されると、ＩＥ3１３９４マイコン２０５はＩＥ3１３９４Ｉ／Ｆ２０６からＩＥ3１３９４伝送データを出力する。このとき、ＩＥ3１３９４マイコン２０５はＡＶアンプ３のＩＥ3１３９４マイコン３０２との間で通信を行ってＩＥ3１３９４伝送データの出力レートを制御する。
【００６６】
デジタル出力端子２０８は、デジタルオーディオデータを外部に出力するための出力端子である。また、アナログ出力端子２０７は、アナログオーディオ信号を外部に出力するための出力端子である。
【００６７】
ＤＶＤシステムマイコン２０９は、ＤＶＤプレーヤ２Ａの動作を統括的に制御するもので、マイクロコンピュータで構成されている。ＤＶＤシステムマイコン２０９は、操作部２１１から入力される操作情報に基づいてディスク読取部２０１、ＤＳＰ２０２、ＤＳＤデコーダ２０３及びＩＥ3１３９４マイコン２０５の各部の動作を制御してディスク読取部２０１に装着されたディスクに記録されたオーディオデータを読み取り、その読取データ若しくはその読取データをデコードしたデータをＡＶアンプ３へ出力する一連の再生処理を制御する。
【００６８】
また、ＤＶＤシステムマイコン２０９はＡＶアンプ３のＡＶシステムマイコン３１８との間で各種の情報を通信し、ＤＶＤプレーヤ２Ａの動作状態や動作条件をＡＶアンプ３の動作状態や動作条件にリンクをさせる。例えば装着されたディスクがＳＡＣＤで、そのデータの出力形式がＡＶアンプ３で再生処理の可能な形式でない場合は、ＤＶＤプレーヤ２Ａの出力形式をＡＶアンプ３で再生処理の可能な形式に変更する。
【００６９】
すなわち、装着されたディスクがＳＡＣＤで、ＩＥ3１３９４入力セレクタ２０４が「ＩＥ3１３９４  ＯＮ」に設定されている場合、ＡＶアンプ３の再生処理の可能な信号形式がアナログオーディオ信号に設定されていれば、ＤＶＤシステムマイコン２０９は、ディスク読取部２０１を介してＩＥ3１３９４入力セレクタ２０４を「ＩＥ3１３９４  ＯＦＦ」に切り換える。逆にＩＥ3１３９４入力セレクタ２０４が「ＩＥ3１３９４  ＯＦＦ」に設定されている場合、ＡＶアンプ３の再生処理の可能な信号形式がＩＥ3１３９４伝送データに設定されていれば、ＤＶＤシステムマイコン２０９は、ＩＥ3１３９４入力セレクタ２０４を「ＩＥ3１３９４  ＯＮ」に切り換える。なお、ＤＶＤプレーヤ２Ａの出力形式の変更に関する処理の詳細は後述する。
【００７０】
制御端子２１０は、ＤＶＤシステムマイコン２０９と後述するＡＶアンプ３のＡＶシステムマイコン３１８との間で制御信号を送受するための端子である。
【００７１】
操作部２１１は、ＤＶＤプレーヤ２Ａの本体に設けられた複数の操作ボタンやリモートコントローラからなり、ユーザが操作部２１１を操作することによりディスクの再生に関する各種の条件を入力するものである。ユーザは操作部２１１を操作することにより、例えば再生音の音量や音質、再生曲、再生曲の順番、上述したＩＥ3１３９４入セレクタ２０４の設定内容などを所望の条件に設定することができる。
【００７２】
ＡＶアンプ３は、ＩＥ3１３９４Ｉ／Ｆ３０１、通信制御部３０２（以下、ＩＥ3１３９４マイコン３０２という。）、ＩＥ3１３９４入力セレクタ３０３、ＩＥ3１３９４デコーダ３０４、アナログ入力端子３０５、アナログ入力セレクタ３０６、デジタル入力端子３０７、デジタル入力セレクタ３０８、制御端子３０９、第１入力セレクタ３１０、第１ＤＳＰ３１１、第１アンプ３１２、第１スピーカ出力端子３１３、第２入力セレクタ３１４、第２ＤＳＰ３１５、第２アンプ３１６、第２スピーカ出力端子３１７、制御部３１８（以下、ＡＶシステムマイコン３１８という。）及び操作部３１９を備えている。
【００７３】
ＩＥ3１３９４Ｉ／Ｆ３０１、アナログ入力端子３０５、デジタル入力端子３０７及び制御端子３０９は、それぞれ２個ずつ設けられ、一方のＩＥ3１３９４Ｉ／Ｆ３０１、アナログ入力端子３０５、デジタル入力端子３０７及び制御端子３０９にそれぞれ一方のＤＶＤプレーヤ２ＡのＩＥ3１３９４Ｉ／Ｆ２０６、アナログ入力端子２０７、デジタル入力端子２０８及び制御端子２１０が上述した所定のケーブルで接続され、他方のＩＥ3１３９４Ｉ／Ｆ３０１、アナログ入力端子３０５、デジタル入力端子３０７及び制御端子３０９にそれぞれ他方のＤＶＤプレーヤ２ＢのＩＥ3１３９４Ｉ／Ｆ２０６、アナログ入力端子２０７、デジタル入力端子２０８及び制御端子２１０が上述した所定のケーブルで接続されている。
【００７４】
ＡＶアンプ３は、外部入力される同一若しくは異なるオーディオ信号を２つのスピーカシステム４Ａ，４Ｂにそれぞれ独立に出力する２つのスピーカ出力系統を有している。第１入力セレクタ３１０、第１ＤＳＰ３１１、第１アンプ３１２及び第１スピーカ出力端子３１３は第１スピーカ出力系統を構成し、第２入力セレクタ３１４、第２ＤＳＰ３１５、第２アンプ３１６及び第２スピーカ出力端子３１７は第２スピーカ出力系統を構成している。また、ＩＥ3１３９４Ｉ／Ｆ３０１Ｉ、Ｅ3１３９４マイコン３０２、ＩＥ3１３９４入力セレクタ３０３、ＩＥ3１３９４デコーダ３０４、アナログ入力端子３０５、アナログ入力セレクタ３０６、デジタル入力端子３０７及びデジタル入力セレクタ３０８は、外部入力される複数種類のオーディオ信号を第１，第２スピーカ出力系統に入力するための前段回路を構成している。
【００７５】
ＩＥ3１３９４Ｉ／Ｆ３０１とＩＥ3１３９４マイコン３０２は、それぞれ上述したＤＶＤプレーヤ２ＡのＩＥ3１３９４Ｉ／Ｆ２０６とＩＥ3１３９４マイコン２０５と同一の機能を果たすものである。ＩＥ3１３９４マイコン３０２によるＩＥ3１３９４伝送データの送受に関する制御は、ＡＶシステムマイコン３１８より制御される。
【００７６】
ＩＥ3１３９４入力セレクタ３０３は、２つのＩＥ3１３９４Ｉ／Ｆ３０１のうち、いずれの１のＩＥ3１３９４Ｉ／Ｆ３０１からのＩＥ3１３９４伝送データを選択的にＩＥ3１３９４デコーダ３０４に出力するものである。ＩＥ3１３９４入力セレクタ３０３の入力設定はユーザの操作部３１９の操作により選択可能になっている。
【００７７】
図示はしていないが、各ＩＥ3１３９４Ｉ／Ｆ３０１にはポート番号が付加されており、ユーザが操作部３１９によりＩＥ3１３９４Ｉ／Ｆ３０１のポート番号を入力すると、ＡＶシステムマイコン３１８からそのポート番号がＩＥ3１３９４入力セレクタ３０３に設定される。これによりＩＥ3１３９４入力セレクタ３０３は設定されたポート番号のＩＥ3１３９４Ｉ／Ｆ３０１から入力されるＩＥ3１３９４伝送データをＩＥ3１３９４デコーダ３０４に出力する。図１において、ＩＥ3１３９４Ｉ／Ｆ３０１の上側のポート番号が設定されていと、ＩＥ3１３９４デコーダ３０４には、ＤＶＤプレーヤ２ＡからＩＥ3１３９４Ｉ／Ｆ２０６及びＩＥ3１３９４Ｉ／Ｆ３０１を介して入力されるＩＥ3１３９４伝送データが入力される。
【００７８】
ＩＥ3１３９４デコーダ３０４は、入力されるＩＥ3１３９４伝送データを元のデジタルオーディオデータにデコードするものである。デコードされたデジタルオーディオデータは第１入力セレクタ３１０に入力される。
【００７９】
アナログ入力セレクタ３０６は、２つのアナログ入力端子３０５から入力されるアナログオーディオ信号のうち、いずれか１のアナログオーディオ信号を選択的に後段に出力するものである。また、デジタル入力セレクタ３０８は、２つのデジタル入力端子３０７から入力されるデジタルオーディオデータのうち、いずれか１のデジタルオーディオデータを選択的に出力するものである。
【００８０】
アナログ入力セレクタ３０６及びデジタル入力セレクタ３０８の入力設定もユーザの操作部３１９の操作により選択可能になっている。アナログ入力セレクタ３０６及びデジタル入力セレクタ３０８にも、図示はしていないが、それぞれポート番号が付加されており、ユーザが操作部３１９によりアナログ入力セレクタ３０６及びデジタル入力セレクタ３０８のポート番号を入力すると、ＡＶシステムマイコン３１８からそのポート番号がアナログ入力セレクタ３０６及びデジタル入力セレクタ３０８にそれぞれ設定される。これによりアナログ入力セレクタ３０６及びデジタル入力セレクタ３０８は、それぞれ設定されたポート番号のアナログ入力端子３０５及びデジタル入力端子３０７から入力されるアナログオーディオ信号とデジタルオーディオデータを後段の回路に出力する。
【００８１】
図１において、アナログ入力セレクタ３０６の上側のポート番号が設定されていると、ＤＶＤプレーヤ２Ａからアナログ出力端子２０７及びアナログ入力端子３０５を介して入力されるアナログオーディオ信号がアナログ入力セレクタ３０６から出力される。アナログ入力セレクタ３０６から出力されるアナログオーディオ信号は、第１入力セレクタ３１０及び第２入力セレクタ３１４に入力される。従って、ＤＶＤプレーヤ２Ａのアナログ出力端子２０７から出力されるアナログオーディオ信号が第１入力セレクタ３１０及び第２入力セレクタ３１４に入力される。
【００８２】
また、デジタル入力セレクタ３０８の上側のポート番号が設定されていると、ＤＶＤプレーヤ２Ａからデジタル出力端子２０８及びデジタル入力端子３０７を介して入力されるデジタルオーディオデータがデジタル入力セレクタ３０８から出力される。デジタル入力セレクタ３０８から出力されるデジタルオーディオデータは、第１入力セレクタ３１０及び第２入力セレクタ３１４に入力される。従って、ＤＶＤプレーヤ２Ａのデジタル出力端子２０７から出力されるデジタルオーディオデータが第１入力セレクタ３１０及び第２入力セレクタ３１４に入力される。
【００８３】
第１入力セレクタ３１０は、ＩＥ3１３９４デコーダ３０４から入力されるデジタルオーディオデータ、アナログ入力セレクタ３０６から入力されるアナログオーディオ信号、及びデジタル入力セレクタ３０８から入力されるデジタルオーディオデータのうち、いずれか１の入力を後段の第１ＤＳＰ３１１に選択的に出力するものである。
【００８４】
第１入力セレクタ３１０の入力設定もユーザの操作部３１９の操作により選択可能になっている。ユーザが操作部３１９により第１スピーカ出力系統に対して「ＩＥ3１３９４  ＩＮ」（ＩＥ3１３９４Ｉ／Ｆ３０１からの入力）、「アナログ  ＩＮ」（アナログ入力端子３０５からの入力）及び「デジタル  ＩＮ」（デジタル入力端子３０７からの入力）のいずれかを指定すると、ＡＶシステムマイコン３１８から情報が第１入力セレクタ３１０に設定される。
【００８５】
例えば「ＩＥ3１３９４  ＩＮ」が設定されると、ＩＥ3１３９４デコーダ３０４から入力されるデジタルオーディオデータが第１入力セレクタ３１０から出力され、「アナログ  ＩＮ」が設定されると、アナログ入力端子３０５から入力されるアナログオーディオ信号が第１入力セレクタ３１０から出力され、「デジタル  ＩＮ」が設定されると、デジタル入力端子３０７から入力されるデジタルオーディオデータが第１入力セレクタ３１０から出力される。
【００８６】
第１ＤＳＰ３１１は、上述したＤＶＤプレーヤ２ＡのＤＳＰ２０２と同一の機能を果たすものである。従って、デジタル入力端子３０７から入力されるデジタルオーディオデータがアナログオーディオ信号にデコードされる。第１ＤＳＰ３１１のデコード動作はＡＶシステムマイコン３１８により制御される。すなわち、ＡＶシステムマイコン３１８は、第１入力セレクタ３１０に「デジタル  ＩＮ」が設定されたとき、第１ＤＳＰ３１１を「デコード  ＯＮ」に設定してデコード処理を行わせ、第１入力セレクタ３１０に「ＩＥ3１３９４  ＩＮ」又は「アナログ  ＩＮ」が設定されたときは、第１ＤＳＰ３１１を「デコード  ＯＦＦ」に設定してデコード処理を禁止する。このときは、第１ＤＳＰ３１１から入力された信号がそのまま出力される。
【００８７】
なお、デジタルオーディオデータが５．１チャンネルのサラウンド音声データの場合は、各チャンネルに対応した周波数特性を有するアナログオーディオ信号（すなわち、６種類のアナログオーディオ信号）にデコードされる。第１ＤＳＰ３１１でデコードされたアナログオーディオ信号は第１アンプ３１２に入力される。
【００８８】
第１アンプ３１２は、第１ＤＳＰ３１１から入力されるアナログオーディオ信号を所定のレベルに増幅するものである。第１アンプ３１２は、５．１チャンネルのサラウンドシステムに対応して６個のアンプを備えている。第１アンプ３１２の増幅度は、ユーザの操作部３１９の操作による音量によって調整される。すなわち、ユーザが操作部３１９を操作して第１スピーカ出力系統の音量を設定すると、ＡＶシステムマイコン３１８から音量の設定値の情報が第１アンプ３１２に入力され、第１アンプ３１２ではこの情報に基づいて各チャンネルの増幅度が設定される。
【００８９】
第１アンプ３１２から出力されるアナログオーディオ信号は第１スピーカ出力端子３１３を介して第１スピーカシステム４Ａに出力される。より具体的には、第１アンプ３１２から出力されるＦＬ，Ｃ，ＦＲ，ＳＬ，ＳＲ，ＳＷの各チャンネルのアナログオーディオ信号はそれぞれ第１スピーカ出力端子３１３のＦＬ，Ｃ，ＦＲ，ＳＬ，ＳＲ，ＳＷの各出力端子から出力され、それぞれ第１スピーカシステム４ＡのスピーカＦＬ，スピーカＣ，スピーカＦＲ，スピーカＳＬ，スピーカＳＲ，スピーカＳＷから音声出力される。
【００９０】
第２入力セレクタ３１４は、アナログ入力セレクタ３０６から入力されるアナログオーディオ信号及びデジタル入力セレクタ３０８から入力されるデジタルオーディオデータのうち、いずれか１の入力を選択的に後段の第２ＤＳＰ３１５に出力するものである。
【００９１】
第２入力セレクタ３１４の入力設定もユーザの操作部３１９の操作により選択可能になっている。ユーザが操作部３１９により第２スピーカ出力系統に対して「アナログ  ＩＮ」（アナログ入力端子３０５からの入力）及び「デジタル  ＩＮ」（デジタル入力端子３０７からの入力）のいずれかを指定すると、ＡＶシステムマイコン３１８から情報が第２入力セレクタ３１４に設定される。
【００９２】
例えば「アナログ  ＩＮ」が設定されると、アナログ入力端子３０５から入力されるアナログオーディオ信号が第２入力セレクタ３１４から出力され、「デジタル  ＩＮ」が設定されると、デジタル入力端子３０７から入力されるデジタルオーディオデータが第２入力セレクタ３１４から出力される。
【００９３】
第２ＤＳＰ３１５は、第１ＤＳＰ３１１と同一の機能を果たすものである。従って、デジタル入力端子３０７から入力されるデジタルオーディオデータがアナログオーディオ信号にデコードされる。第２ＤＳＰ３１５のデコード動作もＡＶシステムマイコン３１８により制御される。すなわち、ＡＶシステムマイコン３１８は、第２入力セレクタ３１４に「デジタル  ＩＮ」が設定されたとき、第２ＤＳＰ３１５を「デコード  ＯＮ」に設定してデコード処理を行わせ、第２入力セレクタ３１４に「アナログ  ＩＮ」が設定されたときは、第２ＤＳＰ３１５を「デコード  ＯＦＦ」に設定してデコード処理を禁止する。このときは、第２ＤＳＰ３１５から入力された信号がそのまま出力される。
【００９４】
なお、デジタルオーディオデータが５．１チャンネルのサラウンド音声データの場合は、第１ＤＳＰ３１１と同様に、各チャンネルに対応した周波数特性を有するアナログオーディオ信号にデコードされ、それぞれ第２アンプ３１６に入力される。
【００９５】
第２アンプ３１６は、第２ＤＳＰ３１５から入力されるアナログオーディオ信号を所定のレベルに増幅するものである。第２アンプ３１６も５．１チャンネルのサラウンドシステムに対応して６個のアンプを備えている。第２アンプ３１６の増幅度も第１アンプ３１２と同様に、ユーザの操作部３１９の操作による音量によって調整される。すなわち、ユーザが操作部３１９を操作して第２スピーカ出力系統の音量を設定すると、ＡＶシステムマイコン３１８から音量の設定値の情報が第２アンプ３１６に入力され、第２アンプ３１６ではこの情報に基づいて各チャンネルの増幅度が設定される。
【００９６】
第２アンプ３１６から出力されるアナログオーディオ信号は第２スピーカ出力端子３１７を介して第２スピーカシステム４Ｂに出力される。より具体的には、第２アンプ３１６から出力されるＦＬ，Ｃ，ＦＲ，ＳＬ，ＳＲ，ＳＷの各チャンネルのアナログオーディオ信号はそれぞれ第２スピーカ出力端子３１７のＦＬ，Ｃ，ＦＲ，ＳＬ，ＳＲ，ＳＷの各出力端子から出力され、それぞれ第２スピーカシステム４ＢのスピーカＦＬ，スピーカＣ，スピーカＦＲ，スピーカＳＬ，スピーカＳＲ，スピーカＳＷから音声出力される。
【００９７】
ＡＶシステムマイコン３１８は、ＡＶアンプ３の動作を統括的に制御するもので、マイクロコンピュータで構成されている。ＡＶシステムマイコン３１８は、操作部３１９から入力される操作情報に基づいてＩＥ3１３９４入力セレクタ３０３、アナログ入力セレクタ３０６、デジタル入力セレクタ３０８、第１，第２入力セレクタ３１０，３１４、第１，第２ＤＳＰ３１１，３１５、第１，第２アンプ３１２，３１６の各部の動作を制御してＩＥ3１３９４Ｉ／Ｆ３０１、アナログ入力端子３０５及びデジタル入力端子３０７から入力されるデジタルオーディオデータ若しくはアナログオーディオ信号を第１，第２スピーカ出力系統を通してスピーカシステム４Ａ，４Ｂへ出力する一連の再生処理を制御する。
【００９８】
また、ＡＶシステムマイコン３１８は、ＤＶＤプレーヤ２ＡのＤＶＤシステムマイコン２０９との間で各種の情報を通信し、ＡＶアンプ３の動作状態や動作条件をＤＶＤプレーヤ２Ａの動作状態や動作条件にリンクをさせる。例えばＤＶＤプレーヤ２Ａに装着されたディスクがＳＡＣＤで、そのデータの出力形式がＡＶアンプ３で再生処理の可能な形式でない場合は、ＤＶＤプレーヤ２Ａの出力形式をＡＶアンプ３で再生処理の可能な形式に変更させる。
【００９９】
すなわち、装着されたディスクがＳＡＣＤで、ＩＥ3１３９４入力セレクタ２０４が「ＩＥ3１３９４  ＯＮ」に設定されている場合、ＡＶアンプ３の再生処理の可能な信号形式がアナログ信号に設定されていれば、ＡＶシステムマイコン３１８は、ＤＶＤシステムマイコン２０９に「ＩＥ3１３９４  ＯＦＦ」のコマンドを送信し、ＤＶＤプレーヤ２ＡのＩＥ3１３９４入力セレクタ２０４を「ＩＥ3１３９４  ＯＦＦ」に切り換えさせる。
【０１００】
逆にＩＥ3１３９４出力セレクタ２０４が「ＩＥ3１３９４  ＯＦＦ」に設定されている場合、ＡＶアンプ３の再生処理の可能な信号形式がＩＥ3１３９４伝送データに設定されてい
れば、ＡＶシステムマイコン３１８は、ＤＶＤシステムマイコン２０９に「ＩＥ3１３９４  ＯＮ」のコマンドを送信し、ＤＶＤプレーヤ２ＡのＩＥ3１３９４入力セレクタ２０４を「ＩＥ3１３９４  ＯＮ」に切り換えさせる。
【０１０１】
制御端子３０９は、ＡＶシステムマイコン３１８とＤＶＤプレーヤ２ＡのＤＶＤシステムマイコン２０９との間で制御信号を送受するための端子である。
【０１０２】
操作部３１９は、ＡＶアンプ３の本体に設けられた複数の操作ボタンやリモートコントローラからなり、ユーザが操作部３１９を操作することにより外部入力されるオーディ信号の再生に関する各種の条件を入力するものである。ユーザは操作部３１９を操作することにより、例えば再生音の音量や音質、第１，第２スピーカ出力系統への入力の設定、上述したＩＥ3１３９４入力セレクタ２０４の設定内容などを所望の条件に設定することができる。
【０１０３】
次に、本発明に係る音響システムのＤＶＤプレーヤ２ＡのＩＥ3１３９４出力セレクタ２０４の切換制御について説明する。
【０１０４】
図２は、ＤＶＤプレーヤ２におけるＩＥ3１３９４出力セレクタ２０４の切換制御に関する処理手順を示すフローチャートである。
【０１０５】
ＤＶＤプレーヤ２Ａでは、電源がＯＮの状態では（Ｓ１〜Ｓ３のループ）、ディスクの装着若しくはディスクの交換があったか否かの判別（Ｓ１）と、ＡＶアンプ３からのＩＥ3１３９４出力セレクタ２０４の設定に関するコマンドを受信したか否かの判別（Ｓ２）が行われている。
【０１０６】
ディスクの装着若しくはディスクの交換があると（Ｓ１：ＹＥＳ）、更に装着されたディスクの種類がＳＡＣＤであるか否かが判別される（Ｓ４）。ディスク読取部２０１によって装着されたディスクの種類情報が読み取られ、その種類情報がＤＶＤシステムマイコン２０９に入力されるので、この判別は、ＤＶＤシステムマイコン２０９によりその種類情報に基づいて行われる。
【０１０７】
装着されたディスクの種類がＳＡＣＤでなければ、すなわち、装着されたディスクの種類がＤＶＤ若しくはＣＤであれば（Ｓ４：ＮＯ）、ステップＳ２に移行し、装着されたディスクの種類がＳＡＣＤであれば（Ｓ４：ＹＥＳ）、更にＩＥ3１３９４出力セレクタ２０４が「ＩＥ3１３９４  ＯＮ」に設定されているか否かが判別される。ディスク読取部２０１によってＩＥ3１３９４出力セレクタ２０４の設定情報がＤＶＤシステムマイコン２０９に入力されるので、この判別は、ＤＶＤシステムマイコン２０９によりその設定情報に基づいて行われる。
【０１０８】
ＩＥ3１３９４出力セレクタ２０４が「ＩＥ3１３９４  ＯＮ」に設定されていれば（Ｓ５：ＹＥＳ）、ＩＥ3１３９４Ｉ／Ｆ２０６がＡＶアンプ３のＩＥ3１３９４Ｉ／Ｆ３０１との間でＩＥ3１３９４伝送データを送受信可能な状態になっているか否かが判別される（Ｓ６）。ＩＥ3１３９４Ｉ／Ｆ２０６とＩＥ3１３９４Ｉ／Ｆ３０１との間のハード的な接続状態とソフト的な送受信可能な状態はＩＥ3１３９４マイコン２０５によって制御され、その制御情報はＤＶＤシステムマイコン２０９に入力されるので、この判別は、ＤＶＤシステムマイコン２０９によりその制御情報に基づいて行われる。
【０１０９】
送受信可能な状態になっていなければ（Ｓ６：ＮＯ）、ＩＥ3１３９４出力セレクタ２０４の設定が「ＩＥ3１３９４  ＯＦＦ」に切り換えられて（Ｓ７）、ステップＳ２に移行し、送受信可能な状態になっていれば（Ｓ６：ＹＥＳ）、ＩＥ3１３９４出力セレクタ２０４の設定を切り換えることなくステップＳ２に移行する。
【０１１０】
また、ステップＳ５の判別で、ＩＥ3１３９４出力セレクタ２０４が「ＩＥ3１３９４  ＯＦＦ」に設定されていれば（Ｓ５：ＮＯ）、ステップＳ６と同様に、ＩＥ3１３９４Ｉ／Ｆ２０６がＡＶアンプ３のＩＥ3１３９４Ｉ／Ｆ３０１との間でＩＥ3１３９４伝送データを送受信可能な状態になっているか否かが判別される（Ｓ８）。送受信可能な状態になっていれば（Ｓ８：ＹＥＳ）、ＩＥ3１３９４出力セレクタ２０４の設定が「ＩＥ3１３９４  ＯＮ」に切り換えられて（Ｓ９）、ステップＳ２に移行し、送受信可能な状態になっていなければ（Ｓ８：ＮＯ）、ＩＥ3１３９４出力セレクタ２０４の設定を切り換えることなくステップＳ２に移行する。
【０１１１】
すなわち、ディスクの装着若しくは交換があったとき、新たに装着されたディスクがＳＡＣＤの場合、ＩＥ3１３９４Ｉ／Ｆ２０６がＡＶアンプ３のＩＥ3１３９４Ｉ／Ｆ３０１との間でＩＥ3１３９４伝送データを送受信可能な状態になっており、ＩＥ3１３９４出力セレクタ２０４も「ＩＥ3１３９４  ＯＮ」に設定されていれば、ＩＥ3１３９４出力セレクタ２０４を「ＩＥ3１３９４  ＯＮ」に保持してＳＡＣＤの読取データをＩＥ3１３９４Ｉ／Ｆ２０６によってデジタルオーディオデータの形式でＡＶアンプ３に送信する。
【０１１２】
一方、新たに装着されたディスクがＳＡＣＤの場合、ＩＥ3１３９４Ｉ／Ｆ２０６がＡＶアンプ３のＩＥ3１３９４Ｉ／Ｆ３０１との間でＩＥ3１３９４伝送データを送受信可能な状態になっていないのに、ＩＥ3１３９４出力セレクタ２０４が「ＩＥ3１３９４  ＯＮ」に設定されていれば、ＩＥ3１３９４出力セレクタ２０４を「ＩＥ3１３９４  ＯＦＦ」に切り換え、ＳＡＣＤの読取データをアナログ信号の形式でＡＶアンプ３に送信可能にする。
【０１１３】
ステップＳ２で、ＡＶシステムマイコン３１８により、ＡＶアンプ３からＩＥ3１３９４出力セレクタ２０４の設定に関するコマンドを受信したと判別されると（Ｓ２：ＹＥＳ）、更にその受信コマンドが「ＩＥ3１３９４  ＯＮ」の設定を指示するコマンドであるか否かが判別され（Ｓ１０）、受信コマンドが「ＩＥ3１３９４  ＯＦＦ」の設定コマンドであれば（Ｓ１０：ＮＯ）、ＩＥ3１３９４出力セレクタ２０４が「ＩＥ3１３９４  ＯＦＦ」に設定され（Ｓ１１）、受信コマンドが「ＩＥ3１３９４  ＯＮ」の設定コマンドであれば（Ｓ１０：ＹＥＳ）、ＩＥ3１３９４出力セレクタ２０４が「ＩＥ3１３９４  ＯＮ」に設定され（Ｓ１２）、ステップＳ３に移行する。すなわち、ＡＶアンプ３からのＩＥ3１３９４出力セレクタ２０４の設定に関するコマンドの内容がＩＥ3１３９４出力セレクタ２０４からディスク読取部２０１に入力され、ディスク読取部２０１によってＩＥ3１３９４出力セレクタ２０４の設定内容がコマンド内容に設定される。
【０１１４】
すなわち、ＡＶアンプ３のＩＥ3１３９４Ｉ／Ｆ３０１がＤＶＤプレーヤ２ＡのＩＥ3１３９４Ｉ／Ｆ２０６との間でＩＥ3１３９４伝送データを送受信可能な状態になっていれば、ＡＶアンプ３からＩＥ3１３９４出力セレクタ２０４の設定を「ＩＥ3１３９４  ＯＮ」にするコマンドが送信され、ＡＶアンプ３のＩＥ3１３９４Ｉ／Ｆ３０１がＤＶＤプレーヤ２ＡのＩＥ3１３９４Ｉ／Ｆ２０６との間でＩＥ3１３９４伝送データを送受信可能な状態になっていなければ、ＡＶアンプ３からＩＥ3１３９４出力セレクタ２０４の設定を「ＩＥ3１３９４  ＯＦＦ」にするコマンドが送信されるので、このコマンドに基づきＤＶＤプレーヤ２ＡのＩＥ3１３９４出力セレクタ２０４の設定を切換設定することにより、ＳＡＣＤの読取データをＡＶアンプ３で再生処理可能なＩＥ3１３９４Ｉ／Ｆ３０１によるデジタルオーディオデータの形式又はアナログ信号の形式で送信できるようにする。
【０１１５】
図３は、ＡＶアンプ３におけるＩＥ3１３９４入力セレクタ３０３の切換制御に関する処理手順を示すフローチャートである。
【０１１６】
ＡＶアンプ３では、電源がＯＮの状態では（Ｓ２１〜Ｓ２３のループ）、ユーザの操作部３１９による第１スピーカ出力系統の入力又は第２スピーカ出力系統の入力に変更があったか否かの判別（Ｓ２１，Ｓ２２）が行われている。すなわち、ＩＥ3１３９４入力セレクタ３０３、第１入力セレクタ３１０、アナログ入力セレクタ３０６、デジタル入力セレクタ３０８及び第２入力セレクタ３１４の設定に変化があったか否かの判別が行われている。
【０１１７】
第１スピーカ出力系統の入力に変更があると（Ｓ２１：ＹＥＳ）、変更後の入力先のＤＶＤプレーヤとその入力信号の形式の確認が行われる（Ｓ２４）。図１の構成では、第１入力セレクタ３１０で選択されている入力形式と、その入力形式に関係する入力セレクタで選択されている入力端子とにより第１スピーカ出力系統に接続されるＤＶＤプレーヤ２Ａ（又は２Ｂ）とそのＤＶＤプレーヤ２Ａ（又は２Ｂ）から出力される信号形式の確認が行われる。例えば第１入力セレクタ３１０でＩＥ3１３９４Ｉ／Ｆ３０１による入力が選択され、２つのＩＥ3１３９４Ｉ／Ｆ３０１のうち、上側のＩＥ3１３９４Ｉ／Ｆ３０１が選択されていると、第１スピーカ出力系統への入力はＤＶＤプレーヤ２ＡからＩＥ3１３９４Ｉ／Ｆ３０１によって入力されるデジタルオーディオデータであると認識される。また、例えば第１入力セレクタ３１０でアナログ入力端子からの入力が選択され、２つのアナログ入力端子３０５のうち、下側のアナログ入力端子３０５が選択されていると、第１スピーカ出力系統への入力はＤＶＤプレーヤ２Ｂからアナログ入力端子３０５によって入力されるアナログオーディオ信号であると認識される。
【０１１８】
続いて、選択された入力信号がＩＥ3１３９４Ｉ／Ｆ３０１からの入力信号であるか否かが判別され（Ｓ２５）、選択された入力信号がＩＥ3１３９４Ｉ／Ｆ３０１からの入力信号であれば（Ｓ２５：ＹＥＳ）、選択されたＤＶＤプレーヤとの間でＩＥ3１３９４プラグ処理が行われる（Ｓ２６）。すなわち、上記の例で説明すると、ＡＶアンプ３のＩＥ3１３９４マイコン３０２はＤＶＤプレーヤ２ＡのＩＥ3１３９４マイコン２０５との間でＩＥ3１３９４Ｉ／Ｆ２０６とＩＥ3１３９４Ｉ／Ｆ３０１間の物理的な接続状態の確認処理とデータ送受を可能にする認証処理が行われる。
【０１１９】
ＩＥ3１３９４プラグ処理が終了すると、ＡＶアンプ３のＡＶシステムマイコン３１８から、選択されたＤＶＤプレーヤ（上記の例ではＤＶＤプレーヤ２Ａ）のＤＶＤシステムマイコン２０９に「ＩＥ3１３９４  ＯＮ」のコマンドが送信された後（Ｓ２７）、ステップＳ２２に移行する。
【０１２０】
一方、選択された入力信号がＩＥ3１３９４Ｉ／Ｆ３０１からの入力信号でなければ（Ｓ２５：ＮＯ）、ＡＶアンプ３のＡＶシステムマイコン３１８から、選択されたＤＶＤプレーヤ（上記の例ではＤＶＤプレーヤ２Ａ）のＤＶＤシステムマイコン２０９に「ＩＥ3１３９４  ＯＦＦ」のコマンドが送信された後（Ｓ２７）、ステップＳ２２に移行する。なお、ステップＳ２７，Ｓ２８のコマンドの送信処理は、図２のフローチャートのステップＳ２に対応するものである。
【０１２１】
すなわち、ステップＳ２１からステップＳ２４〜Ｓ２８の処理は、第１スピーカ出力系統に対する入力信号の形式がＩＥ3１３９４Ｉ／Ｆ３０１からのデジタルオーディオデータの場合は、第１スピーカ出力系統に接続されるＤＶＤプレーヤ２Ａ（又は２Ｂ）に「ＩＥ3１３９４  ＯＮ」のコマンドを送信して当該ＤＶＤプレーヤ２Ａ（又は２Ｂ）からＩＥ3１３９４Ｉ／Ｆ２０６によってデジタルオーディオデータが出力されるようにし、第１スピーカ出力系統に対する入力信号の形式がアナログ入力端子３０５若しくはデジタル入力端子３０７からのアナログオーディオ信号若しくはデジタルオーディオデータの場合は、第１スピーカ出力系統に接続されるＤＶＤプレーヤ２Ａ（又は２Ｂ）に「ＩＥ3１３９４  ＯＦＦ
」のコマンドを送信して当該ＤＶＤプレーヤ２Ａ（又は２Ｂ）からＩＥ3１３９４Ｉ／Ｆによってデジタルオーディオデータが出力されないようにするものである。
【０１２２】
これにより、第１スピーカ出力系統に接続されるＤＶＤプレーヤ２Ａ（又は２Ｂ）にＳＡＣＤのディスクが装着された場合にも当該ＳＡＣＤからの読取データを確実に第１スピーカ出力系統を通して第１スピーカシステム４Ａから再生させることができる。
【０１２３】
続いて、ステップＳ２２で、第２スピーカ出力系統の入力に変更があると（Ｓ２２：ＹＥＳ）、第１スピーカ出力系統の入力先のＤＶＤプレーヤと、第２スピーカ出力系統の入力先のＤＶＤプレーヤとが同一であるか否かが判別される（Ｓ２９）。第１，第２スピーカ出力系統の入力先が同一でなければ（Ｓ２９：ＮＯ）、ステップＳ２３に移行し、第１，第２スピーカ出力系統の入力先が同一であれば（Ｓ２９：ＹＥＳ）、第１スピーカ出力系統の入力先のＤＶＤプレーヤとその入力信号の形式の確認が行われる（Ｓ３０）。この確認処理はステップＳ２４の場合と同様である。例えば第１入力セレクタ３１０でＩＥ3１３９４Ｉ／Ｆ３０１からの入力が選択され、２つのＩＥ3１３９４Ｉ／Ｆ３０１のうち、上側のＩＥ3１３９４Ｉ／Ｆ３０１が選択されていると、第１スピーカ出力系統及び第２スピーカ出力系統への入力はＤＶＤプレーヤ２ＡからＩＥ3１３９４Ｉ／Ｆ３０１によって入力されるデジタルオーディオデータであると確認される。また、例えば第１入力セレクタ３１０でアナログ入力端子３０５からの入力が選択されていると、２つのアナログ入力端子３０５のうち、上側のアナログ入力端子３０５が選択されていると、第１スピーカ出力系統及び第２スピーカ出力系統への入力はＤＶＤプレーヤ２Ａからアナログ入力端子３０５によって入力されるアナログオーディオ信号であると確認される。
【０１２４】
続いて、第１スピーカ出力系統への入力信号がＩＥ3１３９４Ｉ／Ｆ３０１からの入力信号であるか否かが判別され（Ｓ３１）、ＩＥ3１３９４Ｉ／Ｆ３０１からの入力信号でなければ（Ｓ３１：ＮＯ）、ステップＳ２３に移行し、ＩＥ3１３９４Ｉ／Ｆ３０１からの入力信号であれば（Ｓ３１：ＹＥＳ）、ステップＳ３２に移行する。すなわち、ステップＳ２９〜Ｓ３１では、第２スピーカ出力系統に入力されるＤＶＤプレーヤからの出力がＩＥ3１３９４Ｉ／Ｆ３０１による出力であるか否かが判別される。
【０１２５】
そして、ステップＳ３２において、ＡＶアンプ３のＡＶシステムマイコン３１８から、選択されたＤＶＤプレーヤのＤＶＤシステムマイコン２０９に「ＩＥ3１３９４  ＯＦＦ」のコマンドが送信された後、ステップＳ２３に移行する。なお、ステップＳ３２のコマンドの送信処理は、図２のフローチャートのステップＳ２に対応するものである。
【０１２６】
すなわち、ステップＳ２２からステップＳ２９，Ｓ３２の処理は、第２スピーカ出力系統が再生処理可能な入力信号の形式にはＩＥ3１３９４Ｉ／Ｆ３０１からのデジタルオーディオデータが含まれないから、第２スピーカ出力系統に接続されるＤＶＤプレーヤ２Ａ（又は２Ｂ）に「ＩＥ3１３９４  ＯＦＦ」のコマンドを送信して当該ＤＶＤプレーヤ２Ａ（又は２Ｂ）からはＩＥ3１３９４Ｉ／Ｆ２０６によってデジタルオーディオデータが出力されない
ようにするものである。
【０１２７】
これにより、第２スピーカ出力系統に接続されるＤＶＤプレーヤ２Ａ（又は２Ｂ）にＳＡＣＤのディスクが装着された場合にも当該ＳＡＣＤからの読取データをアナログ出力端子２０７からアナログオーディオ信号で出力させ、確実に第２スピーカ出力系統を通して第２スピーカシステム４Ｂから再生させることができる。
【０１２８】
上記のように、本実施形態に係る音響システムでは、ＡＶアンプ３の第１スピーカ出力系統又は第２スピーカ出力系統に対して接続されるＤＶＤプレーヤ２Ａ（又は２Ｂ）のオーディオ信号の出力形式が第１スピーカ出力系統又は第２スピーカ出力系統で再生処理可能な形式でない場合は、ＤＶＤプレーヤ２Ａ（又は２Ｂ）の側で自動的に、或いはＡＶアンプ３からのコマンドにより、オーディオ信号の出力形式を第１スピーカ出力系統又は第２スピーカ出力系統で再生処理可能な形式となるようにＩＥ3１３９４出力セレクタ２０４の設定を自動的に切り換えられるので、ＤＶＤプレーヤ２Ａ，２ＢにＳＡＣＤのような出力形式に制限のある特定のディスクが装着された場合にも、ユーザが手動操作によりＤＶＤプレーヤ２Ａ，２Ｂ及びＡＶアンプ３のセレクタを調整することなく、ＡＶアンプ３の第１，第２スピーカ出力系統の各出力系統に設定されたＤＶＤプレーヤ２Ａ（又は２Ｂ）の読取データを確実に再生させることができる。
【０１２９】
なお、上記実施形態では、第１スピーカ出力系統と第２スピーカ出力系統をそれぞれ１個ずつ有するＡＶアンプ３を用いた音響システムについて説明したが、本発明は、ＡＶアンプ３の第１スピーカ出力系統と第２スピーカ出力系統をそれぞれ複数個ずつ備えたＡＶアンプ３を用いた音響システムにも適用することができる。すなわち、本発明は、複数個のスピーカ出力系統を備え、このうちの少なくとも１組の出力系統がＩＥ3１３９４Ｉ／Ｆからのオーディオデータを再生可能な第１スピーカ出力系統とＩＥ3１３９４Ｉ／Ｆからのオーディオデータを再生できない第２スピーカ出力系統とで構成されるＡＶアンプを用いた音響システムに適用することができる。
【図面の簡単な説明】
【０１３０】
【図１】本発明に係る音響システムの一実施形態を示す要部ブロック図である。
【図２】ＤＶＤプレーヤにおけるＩＥ3１３９４セレクタの切換制御に関する処理手順を示すフローチャートである。
【図３】ＡＶアンプにおけるＩＥ3１３９４セレクタの切換制御に関する処理手順を示すフローチャートである。
【図４】従来の課題を一般化して説明するための音響システムの基本構成を示すブロック図である。
【図５】ＡＶアンプの第１スピーカ出力系統に接続されたプレーヤのオーディオ信号の出力形式が第１スピーカ出力系統で再生処理可能な形式でない場合の一例を示す図である。
【図６】ＡＶアンプの第２スピーカ出力系統に接続されたプレーヤのオーディオ信号の出力形式が第２スピーカ出力系統で再生処理可能な形式でない場合の一例を示す図である。
【符号の説明】
【０１３１】
１  音響システム
２Ａ，２Ｂ  ＤＶＤプレーヤ
２０１  ディスク読取部
２０２  ＤＳＰ
２０３  ＤＳＤデコーダ
２０４  ＩＥ3１３９４出力セレクタ
２０５  通信制御部（ＩＥ3１３９４マイコン）
２０６  ＩＥ3１３９４Ｉ／Ｆ
２０７  アナログ出力端子
２０８  デジタル出力端子
２０９  制御部（ＤＶＤシステムマイコン）
２１０  制御端子
２１１  操作部
３  ＡＶアンプ
３０１  ＩＥ3１３９４Ｉ／Ｆ
３０２  ＩＥ3１３９４マイコン
３０３  ＩＥ3１３９４入力セレクタ
３０４  ＩＥ3１３９４デコーダ
３０５  アナログ入力端子
３０６  アナログ入力セレクタ
３０７  デジタル入力端子
３０８  デジタル入力セレクタ
３０９  制御端子
３１０  第１入力セレクタ
３１１  第１ＤＳＰ
３１２  第１アンプ
３１３  第１スピーカ出力端子
３１４  第２入力セレクタ
３１５  第２ＤＳＰ
３１６  第２アンプ
３１７  第２スピーカ出力端子
３１８  制御部（ＡＶシステムマイコン）
３１９  操作部
４Ａ，４Ｂ  スピーカシステム
【手続補正３】
【補正対象書類名】図面
【補正対象項目名】図１
【補正方法】変更
【補正の内容】
【図１】
2006120195.tif 000013
【手続補正書】
【提出日】平成17年8月31日(2005.8.31)
【手続補正１】
【補正対象書類名】特許請求の範囲
【補正対象項目名】全文
【補正方法】変更
【補正の内容】
【特許請求の範囲】
【請求項１】
ディスクに記録された音声データを読み取るディスク読取部と、
前記音声データを第１の信号形式で出力する第１の信号出力手段と、
前記音声データを前記第１の信号形式とは異なる第２の信号形式で出力する第２の信号出力手段と、
前記ディスク読取部で読み取られた音声データを前記第１，第２の信号形式のいずれかの形式で出力させる出力選択手段と、
前記出力選択手段の選択動作を制御する出力選択制御手段と、
を有するディスク再生装置と、
前記第１の信号形式の音声データが入力される第１の信号入力手段と、
前記第２の信号形式の音声データが入力される第２の信号入力手段と、
前記第１の信号形式又は前記第２の信号形式の音声データを、発音手段に出力する音声出力処理手段と、
前記第１，第２の信号入力手段から入力される複数の音声データから１の音声データを選択して前記音声出力処理手段に入力する入力選択手段と、
前記入力選択手段の選択動作を制御する入力選択制御手段と、
を有する音響出力制御装置とを備え、
前記ディスク再生装置が、
前記第１の信号出力手段と前記第１の信号入力手段との間でデータの送受信が可能になっているか否かを判別する判別手段を更に有し、
前記出力選択制御手段が、前記第１の信号出力手段と前記第１の信号入力手段との間で音声データの送受信が可能になっているときは、前記ディスク読取部で読み取られた音声データを前記第１の信号形式で出力させ、前記第１の信号出力手段と前記第１の信号入力手段との間でデータの送受信が可能になっていないときは、前記ディスク読取部で読み取られた音声データを前記第２の信号形式で出力させるように、前記出力選択手段の選択動作を制御することを特徴とする、音響システム。
【請求項２】
ディスクに記録された音声データを読み取るディスク読取部と、
前記音声データを第１の信号形式で出力する第１の信号出力手段と、
前記音声データを前記第１の信号形式とは異なる第２の信号形式で出力する第２の信号出力手段と、
前記ディスク読取部で読み取られた音声データを前記第１，第２の信号形式のいずれかの形式で出力させる出力選択手段と、
前記出力選択手段の選択動作を制御する出力選択制御手段と、
を有するディスク再生装置と、
前記第１の信号出力手段から出力される音声データが入力される第１の信号入力手段と、
前記第２の信号出力手段から出力される音声データが入力される第２の信号入力手段と、
前記第１の信号形式又は前記第２の信号形式の音声データを、第１の発音手段に出力する第１の音声出力処理手段と、
前記第１，第２の信号入力手段から入力される複数の音声データから１の音声データを選択して前記第１の音声出力処理手段に入力する第１の入力選択手段と、
前記第１の入力選択手段の選択動作を制御する入力選択制御手段と、
を有する音響出力制御装置とを備え、
前記音響出力制御装置が、
前記第１の入力選択手段により前記第１の信号入力手段から入力される音声データのうち、前記ディスク再生装置の第１の信号出力手段から出力される音声データが選択されているか否かを判別する判別手段と、
前記判別手段により前記ディスク再生装置の第１の信号出力手段から出力される音声データが選択されていると判別されると、前記ディスク読取部で読み取られた音声データを前記第１の信号形式で出力させるコマンドを前記ディスク再生装置の出力選択制御手段に送信し、前記判別手段により前記ディスク再生装置の第１の信号出力手段から出力される音声データが選択されていないと判別されると、前記ディスク読取部で読み取られた音声データを前記第２の信号形式で出力させるコマンドを前記ディスク再生装置の出力選択制御手段に送信するコマンド送信手段とをさらに有し、
前記ディスク再生装置の出力選択制御手段が、前記コマンド送信手段から送信されたコマンドに従って前記出力選択手段の選択動作を制御することを特徴とする、音響システム。
【請求項３】
前記音響出力制御装置が、
前記第２の信号形式の音声データを、第２の発音手段に出力する第２の音声出力処理手段と、
前記第２の信号入力手段から入力される複数の音声データから１の音声データを選択して前記第２の音声出力処理手段に入力する第２の入力選択手段と、
前記第２の入力選択手段に前記ディスク再生装置から出力される音声データが前記第１の信号形式であるか否かを判別する第２の判別手段と、
前記第２の判別手段により前記ディスク再生装置から出力される音声データが前記第１の信号形式であると判別されると、前記ディスク読取部で読み取られた音声データを前記第２の信号形式で出力させるコマンドを前記ディスク再生装置の出力選択制御手段に送信する第２のコマンド送信手段とを更に有し、
前記ディスク再生装置の出力選択制御手段が、更に前記第２のコマンド送信手段から送信されたコマンドに従って前記出力選択手段の選択動作を制御することを特徴とする、請求項２に記載の音響システム。
【請求項４】
ディスクに記録された音声データを読み取るディスク読取部と、
前記音声データを第１の信号形式で出力する第１の信号出力手段と、
前記音声データを前記第１の信号形式とは異なる第２の信号形式で出力する第２の信号出力手段と、
前記ディスク読取部で読み取られた音声データを前記第１，第２の信号形式のいずれかの形式で出力させる出力選択手段と、
前記出力選択手段の選択動作を制御する出力選択制御手段と、
を有するディスク再生装置と、
前記第１の信号出力手段から出力される音声データが入力される第１の信号入力手段と、
前記第２の信号出力手段から出力される音声データが入力される第２の信号入力手段と、
前記第１の信号形式又は前記第２の信号形式の音声データを、第１の発音手段に出力する第１の音声出力処理手段と、
前記第２の信号形式の音声データを、第２の発音手段に出力する第２の音声出力処理手段と、
前記第１，第２の信号入力手段から入力される複数の音声データから１の音声データを選択して前記第１の音声出力処理手段に入力する第１の入力選択手段と、
前記第２の信号入力手段から入力される複数の音声データから１の音声データを選択して前記第２の音声出力処理手段に入力する第２の入力選択手段と、
前記第１，第2の入力選択手段の選択動作を制御する入力選択制御手段と、
を有する音響出力制御装置とを備え、
前記音響出力制御装置が、
前記第２の入力選択手段に前記ディスク再生装置から出力される音声データが前記第１の信号形式であるか否かを判別する判別手段と、
前記判別手段により前記ディスク再生装置から出力される音声データが前記第１の信号形式であると判別されると、前記ディスク読取部で読み取られた音声データを前記第２の信号形式で出力させるコマンドを前記ディスク再生装置の出力選択制御手段に送信するコマンド送信手段とを更に有し、
前記ディスク再生装置の出力選択制御手段が、前記コマンド送信手段から送信されたコマンドに従って前記出力選択手段の選択動作を制御することを特徴とする、音響システム。
【請求項５】
前記第１の信号形式は、ＩＥＥＥ１３９４に準拠した信号形式であり、前記第２の信号形式はアナログオーディオ信号である、請求項１〜４のいずれかに記載の音響システム。
【請求項６】
ディスクに記録された音声データを読み取るディスク読取部と、
前記音声データを第１の信号形式で出力する第１の信号出力手段と、
前記音声データを前記第１の信号形式とは異なる第２の信号形式で出力する第２の信号出力手段と、
前記ディスク読取部で読み取られた音声データを前記第１，第２の信号形式のいずれかの形式で出力させる出力選択手段と、
前記第１の信号出力手段と、音響出力制御装置の前記第１の信号形式の音声データが入力される第１の信号入力手段との間で、データの送受信が可能になっているか否かを判別する判別手段と、
前記第１の信号出力手段と前記第１の信号入力手段との間でデータの送受信が可能になっているときは、前記ディスク読取部で読み取られた音声データを前記第１の信号形式で出力させ、前記第１の信号出力手段と前記第１の信号入力手段との間でデータの送受信が可能になっていないときは、前記ディスク読取部で読み取られた音声データを前記第２の信号形式で出力させるように、前記出力選択手段の選択動作を制御する出力選択制御手段と、
を備えたことを特徴とする、ディスク再生装置。
【請求項７】
装着されたディスクが所定のディスクであるか否かを判別するディスク判別手段をさらに備え、
前記ディスク判別手段が所定のディスクが装着されていると判別した場合に、前記出力選択制御手段が前記出力選択手段の選択動作を制御する、請求項６に記載のディスク再生装置。
【請求項８】
ディスクに記録された音声データを読み取るディスク読取部と、
前記音声データを第１の信号形式で出力する第１の信号出力手段と、
前記音声データを前記第１の信号形式とは異なる第２の信号形式で出力する第２の信号出力手段と、
前記ディスク読取部で読み取られた音声データを前記第１，第２の信号形式のいずれかの形式で出力させる出力選択手段と、
前記出力選択手段の選択動作を制御する出力選択制御手段とを備え、
前記第１の信号出力手段から出力される音声データが入力される第１の信号入力手段と、
前記第２の信号出力手段から出力される音声データが入力される第２の信号入力手段と、
前記第１の信号形式又は前記第２の信号形式の音声データを、第１の発音手段に出力する第１の音声出力処理手段と、
前記第１，第２の信号入力手段から入力される複数の音声データから１の音声データを選択して前記第１の音声出力処理手段に入力する第１の入力選択手段と、
前記第１の入力選択手段の選択動作を制御する入力選択制御手段と、
前記第１の入力選択手段により前記第１の信号入力手段から入力される音声データのうち、前記第１の信号出力手段から出力される音声データが選択されているか否かを判別する判別手段と、
前記判別手段により前記第１の信号出力手段から出力される音声データが選択されていると判別されると、前記ディスク読取部で読み取られた音声データを前記第１の信号形式で出力させるコマンドを送信し、前記判別手段により前記ディスク再生装置の第１の信号出力手段から出力される音声データが選択されていないと判別されると、前記ディスク読取部で読み取られた音声データを前記第２の信号形式で出力させるコマンドを送信するコマンド送信手段とを有する音響出力制御装置に接続可能であり、
前記コマンド送信手段から送信されたコマンドに従って前記出力選択手段の選択動作を制御する出力選択制御手段をさらに有することを特徴とする、ディスク再生装置。
【請求項９】
前記音響出力制御装置が、前記第２の信号形式の音声データを、第２の発音手段に出力する第２の音声出力処理手段と、
前記第２の信号入力手段から入力される複数の音声データから１の音声データを選択して前記第２の音声出力処理手段に入力する第２の入力選択手段と、
前記第２の入力選択手段に前記ディスク再生装置から出力される音声データが前記第１の信号形式であるか否かを判別する第２の判別手段と、
前記第２の判別手段により前記ディスク再生装置から出力される音声データが前記第１の信号形式であると判別されると、前記ディスク読取部で読み取られた音声データを前記第２の信号形式で出力させるコマンドを前記ディスク再生装置の出力選択制御手段に送信する第２のコマンド送信手段とを更に有し、
前記出力選択制御手段が、更に前記第２のコマンド送信手段から送信されたコマンドに従って前記出力選択手段の選択動作を制御することを特徴とする、請求項８に記載のディスク再生装置。
【請求項１０】
ディスクに記録された音声データを読み取るディスク読取部と、
前記音声データを第１の信号形式で出力する第１の信号出力手段と、
前記音声データを前記第１の信号形式とは異なる第２の信号形式で出力する第２の信号出力手段と、
前記ディスク読取部で読み取られた音声データを前記第１，第２の信号形式のいずれかの形式で出力させる出力選択手段と、
前記出力選択手段の選択動作を制御する出力選択制御手段とを備え、
前記第１の信号出力手段から出力される音声データが入力される第１の信号入力手段と、
前記第２の信号出力手段から出力される音声データが入力される第２の信号入力手段と、
前記第１の信号形式又は前記第２の信号形式の音声データを、第１の発音手段に出力する第１の音声出力処理手段と、
前記第２の信号形式の音声データを、第２の発音手段に出力する第２の音声出力処理手段と、
前記第１，第２の信号入力手段から入力される複数の音声データから１の音声データを選択して前記第１の音声出力処理手段に入力する第１の入力選択手段と、
前記第２の信号入力手段から入力される複数の音声データから１の音声データを選択して前記第２の音声出力処理手段に入力する第２の入力選択手段と、
前記第１，第2の入力選択手段の選択動作を制御する入力選択制御手段と、
前記第２の入力選択手段に前記ディスク再生装置から出力される音声データが前記第１の信号形式であるか否かを判別する判別手段と、
前記判別手段により前記ディスク再生装置から出力される音声データが前記第１の信号形式であると判別されると、前記ディスク読取部で読み取られた音声データを前記第２の信号形式で出力させるコマンドを前記ディスク再生装置の出力選択制御手段に送信するコマンド送信手段とを備える音響出力制御装置に接続可能であり、
前記出力選択制御手段が、前記コマンド送信手段から送信されたコマンドに従って前記出力選択手段の選択動作を制御する、ディスク再生装置。
【請求項１１】
ディスク再生装置の第１の信号出力手段から出力される第１の信号形式の音声データが入力される第１の信号入力手段と、
前記ディスク再生装置の第２の信号出力手段から出力される第２の信号形式の音声データが入力される第２の信号入力手段と、
前記第１の信号形式又は前記第２の信号形式の音声データを、第１の発音手段に出力する第１の音声出力処理手段と、
前記第１，第２の信号入力手段から入力される複数の音声データから１の音声データを選択して前記第１の音声出力処理手段に入力する第１の入力選択手段と、
前記第１の入力選択手段の選択動作を制御する入力選択制御手段と、
前記第１の入力選択手段により前記第１の信号入力手段から入力される音声データのうち、前記ディスク再生装置の第１の信号出力手段から出力される音声データが選択されているか否かを判別する判別手段と、
前記判別手段により前記ディスク再生装置の第１の信号出力手段から出力される音声データが選択されていると判別されると、前記ディスク読取部で読み取られた音声データを前記第１の信号形式で出力させるコマンドを前記ディスク再生装置に送信し、前記判別手段により前記ディスク再生装置の第１の信号出力手段から出力される音声データが選択されていないと判別されると、前記ディスク読取部で読み取られた音声データを前記第２の信号形式で出力させるコマンドを前記ディスク再生装置に送信するコマンド送信手段とを備えることを特徴とする、音響出力制御装置。
【請求項１２】
前記第２の信号形式の音声データを、第２の発音手段に出力する第２の音声出力処理手段と、
前記第２の信号入力手段から入力される複数の音声データから１の音声データを選択して前記第２の音声出力処理手段に入力する第２の入力選択手段と、
前記第２の入力選択手段に前記ディスク再生装置から出力される音声データが前記第１の信号形式であるか否かを判別する第２の判別手段と、
前記第２の判別手段により前記ディスク再生装置から出力される音声データが前記第１の信号形式であると判別されると、前記ディスク読取部で読み取られた音声データを前記第２の信号形式で出力させるコマンドを前記ディスク再生装置に送信する第２のコマンド送信手段と、
を更に備えることを特徴とする、請求項１１に記載の音響出力制御装置。
【請求項１３】
ディスク再生装置の第１の信号出力手段から出力される第１の信号形式の音声データが入力される第１の信号入力手段と、
前記ディスク再生装置の第２の信号出力手段から出力される第２の信号形式の音声データが入力される第２の信号入力手段と、
前記第１の信号形式又は前記第２の信号形式の音声データを、第１の発音手段に出力する第１の音声出力処理手段と、
前記第２の信号形式の音声データを、第２の発音手段に出力する第２の音声出力処理手段と、
前記第１，第２の信号入力手段から入力される複数の音声データから１の音声データを選択して前記第１の音声出力処理手段に入力する第１の入力選択手段と、
前記第２の信号入力手段から入力される複数の音声データから１の音声データを選択して前記第２の音声出力処理手段に入力する第２の入力選択手段と、
前記第１，第2の入力選択手段の選択動作を制御する入力選択制御手段と、
前記第２の入力選択手段に前記ディスク再生装置から出力される音声データが前記第１の信号形式であるか否かを判別する判別手段と、
前記判別手段により前記ディスク再生装置から出力される音声データが前記第１の信号形式であると判別されると、前記ディスク読取部で読み取られた音声データを前記第２の信号形式で出力させるコマンドを前記ディスク再生装置の出力選択制御手段に送信するコマンド送信手段とを備えることを特徴とする、音響出力制御装置。
【手続補正２】
【補正対象書類名】明細書
【補正対象項目名】００３０
【補正方法】変更
【補正の内容】
【００３０】
請求項１に記載の発明は、ディスクに記録された音声データを読み取るディスク読取部と、前記音声データを第１の信号形式で出力する第１の信号出力手段と、前記音声データを前記第１の信号形式とは異なる第２の信号形式で出力する第２の信号出力手段と、前記ディスク読取部で読み取られた音声データを前記第１，第２の信号形式のいずれかの形式で出力させる出力選択手段と、前記出力選択手段の選択動作を制御する出力選択制御手段と、を有するディスク再生装置と、前記第１の信号形式の音声データが入力される第１の信号入力手段と、前記第２の信号形式の音声データが入力される第２の信号入力手段と、前記第１の信号形式又は前記第２の信号形式の音声データを、発音手段に出力する音声出力処理手段と、前記第１，第２の信号入力手段から入力される複数の音声データから１の音声データを選択して前記音声出力処理手段に入力する入力選択手段と、前記入力選択手段の選択動作を制御する入力選択制御手段と、を有する音響出力制御装置とを備え、前記ディスク再生装置が、前記第１の信号出力手段と前記第１の信号入力手段との間でデータの送受信が可能になっているか否かを判別する判別手段を更に有し、前記出力選択制御手段が、前記第１の信号出力手段と前記第１の信号入力手段との間で音声データの送受信が可能になっているときは、前記ディスク読取部で読み取られた音声データを前記第１の信号形式で出力させ、前記第１の信号出力手段と前記第１の信号入力手段との間でデータの送受信が可能になっていないときは、前記ディスク読取部で読み取られた音声データを前記第２の信号形式で出力させるように、前記出力選択手段の選択動作を制御することを特徴とする、音響システムである。
【手続補正３】
【補正対象書類名】明細書
【補正対象項目名】００３１
【補正方法】変更
【補正の内容】
【００３１】
請求項２に記載の発明は、ディスクに記録された音声データを読み取るディスク読取部と、前記音声データを第１の信号形式で出力する第１の信号出力手段と、前記音声データを前記第１の信号形式とは異なる第２の信号形式で出力する第２の信号出力手段と、前記ディスク読取部で読み取られた音声データを前記第１，第２の信号形式のいずれかの形式で出力させる出力選択手段と、前記出力選択手段の選択動作を制御する出力選択制御手段と、を有するディスク再生装置と、前記第１の信号出力手段から出力される音声データが入力される第１の信号入力手段と、前記第２の信号出力手段から出力される音声データが入力される第２の信号入力手段と、前記第１の信号形式又は前記第２の信号形式の音声データを、第１の発音手段に出力する第１の音声出力処理手段と、前記第１，第２の信号入力手段から入力される複数の音声データから１の音声データを選択して前記第１の音声出力処理手段に入力する第１の入力選択手段と、前記第１の入力選択手段の選択動作を制御する入力選択制御手段と、を有する音響出力制御装置とを備え、前記音響出力制御装置が、前記第１の入力選択手段により前記第１の信号入力手段から入力される音声データのうち、前記ディスク再生装置の第１の信号出力手段から出力される音声データが選択されているか否かを判別する判別手段と、前記判別手段により前記ディスク再生装置の第１の信号出力手段から出力される音声データが選択されていると判別されると、前記ディスク読取部で読み取られた音声データを前記第１の信号形式で出力させるコマンドを前記ディスク再生装置の出力選択制御手段に送信し、前記判別手段により前記ディスク再生装置の第１の信号出力手段から出力される音声データが選択されていないと判別されると、前記ディスク読取部で読み取られた音声データを前記第２の信号形式で出力させるコマンドを前記ディスク再生装置の出力選択制御手段に送信するコマンド送信手段とをさらに有し、前記ディスク再生装置の出力選択制御手段が、前記コマンド送信手段から送信されたコマンドに従って前記出力選択手段の選択動作を制御することを特徴とする、音響システムである。
【手続補正４】
【補正対象書類名】明細書
【補正対象項目名】００３２
【補正方法】変更
【補正の内容】
【００３２】
なお、請求項２に記載の発明において、前記音響出力制御装置が、前記第２の信号形式の音声データを、第２の発音手段に出力する第２の音声出力処理手段と、前記第２の信号入力手段から入力される複数の音声データから１の音声データを選択して前記第２の音声出力処理手段に入力する第２の入力選択手段と、前記第２の入力選択手段に前記ディスク再生装置から出力される音声データが前記第１の信号形式であるか否かを判別する第２の判別手段と、前記第２の判別手段により前記ディスク再生装置から出力される音声データが前記第１の信号形式であると判別されると、前記ディスク読取部で読み取られた音声データを前記第２の信号形式で出力させるコマンドを前記ディスク再生装置の出力選択制御手段に送信する第２のコマンド送信手段とを更に有し、前記ディスク再生装置の出力選択制御手段が、更に前記第２のコマンド送信手段から送信されたコマンドに従って前記出力選択手段の選択動作を制御するとよい（請求項３）。
【手続補正５】
【補正対象書類名】明細書
【補正対象項目名】００３３
【補正方法】変更
【補正の内容】
【００３３】
請求項４に記載の発明は、ディスクに記録された音声データを読み取るディスク読取部と、前記音声データを第１の信号形式で出力する第１の信号出力手段と、前記音声データを前記第１の信号形式とは異なる第２の信号形式で出力する第２の信号出力手段と、前記ディスク読取部で読み取られた音声データを前記第１，第２の信号形式のいずれかの形式で出力させる出力選択手段と、前記出力選択手段の選択動作を制御する出力選択制御手段と、を有するディスク再生装置と、前記第１の信号出力手段から出力される音声データが入力される第１の信号入力手段と、前記第２の信号出力手段から出力される音声データが入力される第２の信号入力手段と、前記第１の信号形式又は前記第２の信号形式の音声データを、第１の発音手段に出力する第１の音声出力処理手段と、前記第２の信号形式の音声データを、第２の発音手段に出力する第２の音声出力処理手段と、前記第１，第２の信号入力手段から入力される複数の音声データから１の音声データを選択して前記第１の音声出力処理手段に入力する第１の入力選択手段と、前記第２の信号入力手段から入力される複数の音声データから１の音声データを選択して前記第２の音声出力処理手段に入力する第２の入力選択手段と、前記第１，第2の入力選択手段の選択動作を制御する入力選択制御手段と、を有する音響出力制御装置とを備え、前記音響出力制御装置が、前記第２の入力選択手段に前記ディスク再生装置から出力される音声データが前記第１の信号形式であるか否かを判別する判別手段と、前記判別手段により前記ディスク再生装置から出力される音声データが前記第１の信号形式であると判別されると、前記ディスク読取部で読み取られた音声データを前記第２の信号形式で出力させるコマンドを前記ディスク再生装置の出力選択制御手段に送信するコマンド送信手段とを更に有し、前記ディスク再生装置の出力選択制御手段が、前記コマンド送信手段から送信されたコマンドに従って前記出力選択手段の選択動作を制御することを特徴とする、音響システムである。
【手続補正６】
【補正対象書類名】明細書
【補正対象項目名】００３４
【補正方法】変更
【補正の内容】
【００３４】
なお、請求項１〜４のいずれかに記載の発明において、前記第１の信号形式は、ＩＥＥＥ１３９４に準拠した信号形式であり、前記第２の信号形式はアナログオーディオ信号であるとよい（請求項５）。
【手続補正７】
【補正対象書類名】明細書
【補正対象項目名】００３５
【補正方法】変更
【補正の内容】
【００３５】
請求項６に記載の発明は、ディスクに記録された音声データを読み取るディスク読取部と、前記音声データを第１の信号形式で出力する第１の信号出力手段と、前記音声データを前記第１の信号形式とは異なる第２の信号形式で出力する第２の信号出力手段と、前記ディスク読取部で読み取られた音声データを前記第１，第２の信号形式のいずれかの形式で出力させる出力選択手段と、前記第１の信号出力手段と、音響出力制御装置の前記第１の信号形式の音声データが入力される第１の信号入力手段との間で、データの送受信が可能になっているか否かを判別する判別手段と、前記第１の信号出力手段と前記第１の信号入力手段との間でデータの送受信が可能になっているときは、前記ディスク読取部で読み取られた音声データを前記第１の信号形式で出力させ、前記第１の信号出力手段と前記第１の信号入力手段との間でデータの送受信が可能になっていないときは、前記ディスク読取部で読み取られた音声データを前記第２の信号形式で出力させるように、前記出力選択手段の選択動作を制御する出力選択制御手段と、を備えたことを特徴とする、ディスク再生装置である。
【手続補正８】
【補正対象書類名】明細書
【補正対象項目名】００３６
【補正方法】変更
【補正の内容】
【００３６】
なお、請求項６に記載の発明において、装着されたディスクが所定のディスクであるか否かを判別するディスク判別手段をさらに備え、前記ディスク判別手段が所定のディスクが装着されていると判別した場合に、前記出力選択制御手段が前記出力選択手段の選択動作を制御するとよい（請求項７）。
【手続補正９】
【補正対象書類名】明細書
【補正対象項目名】００３７
【補正方法】変更
【補正の内容】
【００３７】
請求項８に記載の発明は、ディスクに記録された音声データを読み取るディスク読取部と、前記音声データを第１の信号形式で出力する第１の信号出力手段と、前記音声データを前記第１の信号形式とは異なる第２の信号形式で出力する第２の信号出力手段と、前記ディスク読取部で読み取られた音声データを前記第１，第２の信号形式のいずれかの形式で出力させる出力選択手段と、前記出力選択手段の選択動作を制御する出力選択制御手段とを備え、前記第１の信号出力手段から出力される音声データが入力される第１の信号入力手段と、前記第２の信号出力手段から出力される音声データが入力される第２の信号入力手段と、前記第１の信号形式又は前記第２の信号形式の音声データを、第１の発音手段に出力する第１の音声出力処理手段と、前記第１，第２の信号入力手段から入力される複数の音声データから１の音声データを選択して前記第１の音声出力処理手段に入力する第１の入力選択手段と、前記第１の入力選択手段の選択動作を制御する入力選択制御手段と、前記第１の入力選択手段により前記第１の信号入力手段から入力される音声データのうち、前記第１の信号出力手段から出力される音声データが選択されているか否かを判別する判別手段と、前記判別手段により前記第１の信号出力手段から出力される音声データが選択されていると判別されると、前記ディスク読取部で読み取られた音声データを前記第１の信号形式で出力させるコマンドを送信し、前記判別手段により前記ディスク再生装置の第１の信号出力手段から出力される音声データが選択されていないと判別されると、前記ディスク読取部で読み取られた音声データを前記第２の信号形式で出力させるコマンドを送信するコマンド送信手段とを有する音響出力制御装置に接続可能であり、前記コマンド送信手段から送信されたコマンドに従って前記出力選択手段の選択動作を制御する出力選択制御手段をさらに有することを特徴とする、ディスク再生装置である。
【手続補正１０】
【補正対象書類名】明細書
【補正対象項目名】００３８
【補正方法】変更
【補正の内容】
【００３８】
なお、請求項８に記載の発明において、前記音響出力制御装置が、前記第２の信号形式の音声データを、第２の発音手段に出力する第２の音声出力処理手段と、前記第２の信号入力手段から入力される複数の音声データから１の音声データを選択して前記第２の音声出力処理手段に入力する第２の入力選択手段と、前記第２の入力選択手段に前記ディスク再生装置から出力される音声データが前記第１の信号形式であるか否かを判別する第２の判別手段と、前記第２の判別手段により前記ディスク再生装置から出力される音声データが前記第１の信号形式であると判別されると、前記ディスク読取部で読み取られた音声データを前記第２の信号形式で出力させるコマンドを前記ディスク再生装置の出力選択制御手段に送信する第２のコマンド送信手段とを更に有し、前記出力選択制御手段が、更に前記第２のコマンド送信手段から送信されたコマンドに従って前記出力選択手段の選択動作を制御するとよい（請求項９）。
【手続補正１１】
【補正対象書類名】明細書
【補正対象項目名】００３９
【補正方法】変更
【補正の内容】
【００３９】
請求項１０に記載の発明は、ディスクに記録された音声データを読み取るディスク読取部と、前記音声データを第１の信号形式で出力する第１の信号出力手段と、前記音声データを前記第１の信号形式とは異なる第２の信号形式で出力する第２の信号出力手段と、前記ディスク読取部で読み取られた音声データを前記第１，第２の信号形式のいずれかの形式で出力させる出力選択手段と、前記出力選択手段の選択動作を制御する出力選択制御手段とを備え、前記第１の信号出力手段から出力される音声データが入力される第１の信号入力手段と、前記第２の信号出力手段から出力される音声データが入力される第２の信号入力手段と、前記第１の信号形式又は前記第２の信号形式の音声データを、第１の発音手段に出力する第１の音声出力処理手段と、前記第２の信号形式の音声データを、第２の発音手段に出力する第２の音声出力処理手段と、前記第１，第２の信号入力手段から入力される複数の音声データから１の音声データを選択して前記第１の音声出力処理手段に入力する第１の入力選択手段と、前記第２の信号入力手段から入力される複数の音声データから１の音声データを選択して前記第２の音声出力処理手段に入力する第２の入力選択手段と、前記第１，第2の入力選択手段の選択動作を制御する入力選択制御手段と、前記第２の入力選択手段に前記ディスク再生装置から出力される音声データが前記第１の信号形式であるか否かを判別する判別手段と、前記判別手段により前記ディスク再生装置から出力される音声データが前記第１の信号形式であると判別されると、前記ディスク読取部で読み取られた音声データを前記第２の信号形式で出力させるコマンドを前記ディスク再生装置の出力選択制御手段に送信するコマンド送信手段とを備える音響出力制御装置に接続可能であり、前記出力選択制御手段が、前記コマンド送信手段から送信されたコマンドに従って前記出力選択手段の選択動作を制御する、ディスク再生装置である。
請求項１１に記載の発明は、ディスク再生装置の第１の信号出力手段から出力される第１の信号形式の音声データが入力される第１の信号入力手段と、前記ディスク再生装置の第２の信号出力手段から出力される第２の信号形式の音声データが入力される第２の信号入力手段と、前記第１の信号形式又は前記第２の信号形式の音声データを、第１の発音手段に出力する第１の音声出力処理手段と、前記第１，第２の信号入力手段から入力される複数の音声データから１の音声データを選択して前記第１の音声出力処理手段に入力する第１の入力選択手段と、前記第１の入力選択手段の選択動作を制御する入力選択制御手段と、前記第１の入力選択手段により前記第１の信号入力手段から入力される音声データのうち、前記ディスク再生装置の第１の信号出力手段から出力される音声データが選択されているか否かを判別する判別手段と、前記判別手段により前記ディスク再生装置の第１の信号出力手段から出力される音声データが選択されていると判別されると、前記ディスク読取部で読み取られた音声データを前記第１の信号形式で出力させるコマンドを前記ディスク再生装置に送信し、前記判別手段により前記ディスク再生装置の第１の信号出力手段から出力される音声データが選択されていないと判別されると、前記ディスク読取部で読み取られた音声データを前記第２の信号形式で出力させるコマンドを前記ディスク再生装置に送信するコマンド送信手段とを備えることを特徴とする、音響出力制御装置である。
なお、請求項１１に記載の発明において、前記第２の信号形式の音声データを、第２の発音手段に出力する第２の音声出力処理手段と、前記第２の信号入力手段から入力される複数の音声データから１の音声データを選択して前記第２の音声出力処理手段に入力する第２の入力選択手段と、前記第２の入力選択手段に前記ディスク再生装置から出力される音声データが前記第１の信号形式であるか否かを判別する第２の判別手段と、前記第２の判別手段により前記ディスク再生装置から出力される音声データが前記第１の信号形式であると判別されると、前記ディスク読取部で読み取られた音声データを前記第２の信号形式で出力させるコマンドを前記ディスク再生装置に送信する第２のコマンド送信手段と、を更に備えるとよい（請求項１２）。
請求項１３に記載の発明は、ディスク再生装置の第１の信号出力手段から出力される第１の信号形式の音声データが入力される第１の信号入力手段と、前記ディスク再生装置の第２の信号出力手段から出力される第２の信号形式の音声データが入力される第２の信号入力手段と、前記第１の信号形式又は前記第２の信号形式の音声データを、第１の発音手段に出力する第１の音声出力処理手段と、前記第２の信号形式の音声データを、第２の発音手段に出力する第２の音声出力処理手段と、前記第１，第２の信号入力手段から入力される複数の音声データから１の音声データを選択して前記第１の音声出力処理手段に入力する第１の入力選択手段と、前記第２の信号入力手段から入力される複数の音声データから１の音声データを選択して前記第２の音声出力処理手段に入力する第２の入力選択手段と、前記第１，第2の入力選択手段の選択動作を制御する入力選択制御手段と、前記第２の入力選択手段に前記ディスク再生装置から出力される音声データが前記第１の信号形式であるか否かを判別する判別手段と、前記判別手段により前記ディスク再生装置から出力される音声データが前記第１の信号形式であると判別されると、前記ディスク読取部で読み取られた音声データを前記第２の信号形式で出力させるコマンドを前記ディスク再生装置の出力選択制御手段に送信するコマンド送信手段とを備えることを特徴とする、音響出力制御装置である。
【手続補正１２】
【補正対象書類名】明細書
【補正対象項目名】００４０
【補正方法】変更
【補正の内容】
【００４０】
請求項１，５，６に記載の発明によれば、ディスク再生装置の第１の信号出力手段と音声出力制御装置の第１の信号入力手段との間で音声データの送受が可能になっているときは、第１の信号形式で音声データを出力させるように、ディスク再生装置の音声データの出力形式が設定され、ディスク再生装置の第１の信号出力手段と音声出力制御装置の第１の信号入力手段との間で音声データの送受が可能になっていないときは、第２の信号形式で音声データを出力させるように、ディスク再生装置の音声データの出力形式が設定されるので、ユーザは、ディスク再生装置から出力される音声データの信号形式を調整することなく、ディスク再生装置からの音声データを確実に音声出力制御装置の第１の音声出力処理手段で再生して第１の発音手段から出力させることができる。
【手続補正１３】
【補正対象書類名】明細書
【補正対象項目名】００４１
【補正方法】変更
【補正の内容】
【００４１】
請求項２〜４，７〜１３に記載の発明によれば、音声出力制御装置から第１の音声出力処理手段の音源として選択されたディスク再生装置に音声データを第１の信号形式で出力させるコマンドを送信し、当該ディスク再生装置から出力される音声データの信号形式を第１の音声出力処理手段で処理可能な形式に変更させるので、請求項１〜３に記載の発明と同様に、ユーザは、ディスク再生装置から出力される音声データの信号形式を調整することなく、ディスク再生装置からの音声データを確実に音声出力制御装置の第１の音声出力処理手段で再生して第１の発音手段から出力させることができる。
【手続補正１４】
【補正対象書類名】明細書
【補正対象項目名】００６５
【補正方法】変更
【補正の内容】
【００６５】
すなわち、ＤＶＤプレーヤ２ＡのＩＥ3１３９４Ｉ／Ｆ２０６からＩＥ3１３９４伝送データを出力するときは、ＤＶＤシステムマイコン２０９からＩＥ3１３９４マイコン２０５にＩＥ3１３９４Ｉ／Ｆ２０６の物理的な接続状態の確認指令やデータ送受を可能にする認証指令が出力され、ＩＥ3１３９４マイコン２０５はこれらの指令に基づいてＩＥ3１３９４Ｉ／Ｆ２０６の物理的な接続状態の確認処理やデータ送受を可能にする認証処理を行なう。その後、ＤＶＤシステムマイコン２０９からＩＥ3１３９４マイコン２０５にＩＥ3１３９４伝送データの出力指令が出力されると、ＩＥ3１３９４マイコン２０５はＩＥ3１３９４Ｉ／Ｆ２０６からＩＥ3１３９４伝送データを出力する。このとき、ＩＥ3１３９４マイコン２０５はＡＶアンプ３のＩＥ3１３９４マイコン３０２との間で通信を行ってＩＥ3１３９４伝送データの出力レートを制御する。